(57)【要約】      （修正有）【課題】複数のセルに対して搬送波集成（ＣＡ）を支援する無線通信システムにおいてＤ２Ｄ（Ｄｅｖｉｃｅ−ｔｏ−Ｄｅｖｉｃｅ）信号を送信する方法及び端末（ＵＥ）を提供する。【解決手段】マルチキャリアが適用された異種ネットワークにおいて、端末は、基地局からＤ２Ｄ信号を送信するための同期化参照セルを示す情報を受信し、同期化参照セルを示す情報に基づいて複数のセルの中から同期化参照セルを選択する。同期化参照セルを示す前記情報に基づいて選択された同期化参照セルは、ＰＣｅｌｌまたはＳＣｅｌｌである。端末は、同期化参照セルを示す情報に基づいて選択された同期化参照セルのタイミングを用いて、ＰＣｅｌｌおよびＳＣｅｌｌに関連しないセルを介してＤ２Ｄ信号を送信する。【選択図】図１６
2020191666.tif 000002
【特許請求の範囲】
【請求項１】
複数のセルに対して搬送波集成（ＣＡ）を支援する無線通信システムにおいて端末（ＵＥ）によってＤ２Ｄ（Ｄｅｖｉｃｅ−ｔｏ−Ｄｅｖｉｃｅ）信号を送信する方法であって、前記方法は、
基地局から前記Ｄ２Ｄ信号を送信するための同期化参照セルを示す情報を受信することと、
前記同期化参照セルを示す前記情報に基づいて前記複数のセルの中から前記同期化参照セルを選択することと、
前記同期化参照セルを示す前記情報に基づいて選択された前記同期化参照セルのタイミングを用いて、ＰＣｅｌｌ（Ｐｒｉｍａｒｙ  Ｃｅｌｌ）およびＳＣｅｌｌ（Ｓｅｃｏｎｄａｒｙ  Ｃｅｌｌ）に関連しないセルを介して前記Ｄ２Ｄ信号を送信することと
を含み、
前記同期化参照セルを示す前記情報に基づいて選択された前記同期化参照セルは、前記ＰＣｅｌｌまたは前記ＳＣｅｌｌである、方法。
【請求項２】
前記Ｄ２Ｄ信号がキャリアにおいて送信され、前記キャリアが前記ＳＣｅｌｌに関連するときに、前記同期化参照セルを示す前記情報は、前記ＰＣｅｌｌを介して送信される、請求項１に記載の方法。
【請求項３】
前記同期化参照セルは、ＲＳＲＰ（ｒｅｆｅｒｅｎｃｅ  ｓｉｇｎａｌ  ｒｅｃｅｉｖｅｄ  ｐｏｗｅｒ）測定に基づいて選択される、請求項１に記載の方法。
【請求項４】
前記ＵＥは、前記ＰＣｅｌｌおよび前記ＳＣｅｌｌのカバレージ内である、請求項１に記載の方法。
【請求項５】
同期化参照セルが前記同期化参照セルに対する前記情報に基づいて選択されていないことに基づいて、サービングセルが、無線リソース制御（ＲＲＣ）休止状態にある前記同期化参照セルとして選択され、前記ＰＣｅｌｌが、ＲＲＣ接続状態にある前記同期化参照セルとして選択され、前記ＵＥは、前記同期化参照セルに対する情報を前記サービングセルから受信する、請求項１に記載の方法。
【請求項６】
複数のセルに対して搬送波集成（ＣＡ）を支援する無線通信システムにおいてＤ２Ｄ（Ｄｅｖｉｃｅ−ｔｏ−Ｄｅｖｉｃｅ）信号を送信する端末（ＵＥ）であって、前記ＵＥは、
無線周波数（ＲＦ）ユニットと、
前記ＲＦユニットに作用可能に結合されたプロセッサと
を含み、前記プロセッサは、
基地局から前記Ｄ２Ｄ信号を送信するための同期化参照セルを示す情報を受信することと、
前記同期化参照セルを示す前記情報に基づいて前記複数のセルの中から前記同期化参照セルを選択することと、
前記同期化参照セルを示す前記情報に基づいて選択された前記同期化参照セルのタイミングを用いて、ＰＣｅｌｌ（Ｐｒｉｍａｒｙ  Ｃｅｌｌ）およびＳＣｅｌｌ（Ｓｅｃｏｎｄａｒｙ  Ｃｅｌｌ）に関連しないセルを介して前記Ｄ２Ｄ信号を送信することと
を行うように構成されており、
前記同期化参照セルを示す前記情報に基づいて選択された前記同期化参照セルは、前記ＰＣｅｌｌまたは前記ＳＣｅｌｌである、ＵＥ。
【請求項７】
前記Ｄ２Ｄ信号がキャリアにおいて送信され、前記キャリアが前記ＳＣｅｌｌに関連するときに、前記同期化参照セルを示す前記情報は、前記ＰＣｅｌｌを介して送信される、請求項６に記載のＵＥ。
【請求項８】
前記プロセッサは、ＲＳＲＰ（ｒｅｆｅｒｅｎｃｅ  ｓｉｇｎａｌ  ｒｅｃｅｉｖｅｄ  ｐｏｗｅｒ）測定に基づいて前記同期化参照セルを選択する、請求項６に記載のＵＥ。
【請求項９】
前記ＵＥは、前記ＰＣｅｌｌおよび前記ＳＣｅｌｌのカバレージ内である、請求項６に記載のＵＥ。
【請求項１０】
同期化参照セルが前記同期化参照セルに対する前記情報に基づいて選択されていないことに基づいて、サービングセルが、無線リソース制御（ＲＲＣ）休止状態にある前記同期化参照セルとして選択され、前記ＰＣｅｌｌが、ＲＲＣ接続状態にある前記同期化参照セルとして選択され、前記ＵＥは、前記同期化参照セルに対する情報を前記サービングセルから受信する、請求項６に記載のＵＥ。
【発明の詳細な説明】
【技術分野】
【０００１】
本発明は無線通信システムに関するもので、より詳しくは、無線通信システムにおけるＤ２Ｄ信号送受信方法及びそのための装置に関するものである。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ；ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡ（登録商標）に基づいてＬＴＥまで開発されているが、ユーザと事業者の要求と期待は増す一方である。その上、他の無線接続技術の開発が続いており、将来、競争力を有するためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
上述したような論議を基にして、以下では無線通信システムにおけるＤ２Ｄ信号送受信方法及びそのための装置を提案しようとする。
【０００８】
本発明で達成しようとする技術的課題は前記技術的課題に制限されず、言及しなかった他の技術的課題は下記の記載から本発明が属する技術分野で通常の知識を有する者に明らかに理解可能であろう。
【課題を解決するための手段】
【０００９】
上述した問題点を解決するための本発明の一態様である、搬送波集成（Ｃａｒｒｉｅｒ  Ａｇｇｒｅｇａｔｉｏｎ、ＣＡ）を支援する無線通信システムにおいて単一送信チェーン（Ｓｉｎｇｌｅ  ＴＸ  ｃｈａｉｎ）を有する第１端末のＤ２Ｄディスカバリー（Ｄｅｖｉｃｅ−ｔｏ−Ｄｅｖｉｃｅ  Ｄｉｓｃｏｖｅｒｙ）を送信する方法は、プライマリーセル（Ｐｒｉｍａｒｙ  Ｃｅｌｌ、Ｐｃｅｌｌ）上のＤ２Ｄ（Ｄｅｖｉｃｅ−ｔｏ−Ｄｅｖｉｃｅ）信号送受信に関連した第１リソース領域に対して特定のギャップ（ｇａｐ）を設定する段階；及び前記特定のギャップに対応する時間区間上でノンプライマリーセル（ｎｏｎ−Ｐｒｉｍａｒｙ  Ｃｅｌｌ、Ｎｏｎ−ＰＣｅｌｌ）を介してＤ２Ｄディスカバリーを送信する段階を含み、前記特定のギャップは、前記単一送信チェーンのプライマリーセル（ＰＣｅｌｌ）及びノンプライマリーセル（ｎｏｎ−ＰＣｅｌｌ）の間の転換（ｓｗｉｔｃｈｉｎｇ）動作をカバーするために設定された時間区間であり、前記Ｄ２Ｄディスカバリーのための伝送リソースは、前記Ｄ２Ｄディスカバリータイプによって決定されることを特徴とする。
【００１０】
また、前記ディスカバリータイプがタイプ１ディスカバリー（Ｔｙｐｅ１  ｄｉｓｃｏｖｅｒｙ）の場合、前記Ｄ２Ｄディスカバリーのための伝送リソースは、前記特定のギャップに対応する時間区間上に属する無線リソースのみによって決定されることを特徴とすることができる。
【００１１】
また、前記ディスカバリータイプがタイプ１ディスカバリー（Ｔｙｐｅ１  ｄｉｓｃｏｖｅｒｙ）であり、前記Ｄ２Ｄディスカバリーのための伝送リソースが前記特定のギャップに対応する時間区間上に属しない無線リソースの場合、前記Ｄ２Ｄディスカバリーの送信は省略されるように設定されることを特徴とすることができる。
【００１２】
また、前記ディスカバリータイプがタイプ１ディスカバリー（Ｔｙｐｅ１  ｄｉｓｃｏｖｅｒｙ）であり、前記Ｄ２Ｄディスカバリーのための伝送リソースが前記特定のギャップに対応する時間区間上に属しない無線リソースの場合、前記Ｄ２Ｄディスカバリーのための伝送リソースは、前記特定のギャップに対応する時間区間上に属する無線リソースによって決定されるまで繰り返し再設定されることを特徴とすることができる。
【００１３】
また、前記ディスカバリータイプがタイプ２ディスカバリー（Ｔｙｐｅ２  ｄｉｓｃｏｖｅｒｙ）の場合、前記Ｄ２Ｄディスカバリーのための伝送リソースは、基地局からシグナリングされた第２リソース領域上の無線リソースであることを特徴とすることができる。
【００１４】
上述した問題点を解決するための本発明の他の態様である、搬送波集成（Ｃａｒｒｉｅｒ  Ａｇｇｒｅｇａｔｉｏｎ、ＣＡ）を支援する無線通信システムにおいてＤ２Ｄディスカバリー（Ｄｅｖｉｃｅ−ｔｏ−Ｄｅｖｉｃｅ  Ｄｉｓｃｏｖｅｒｙ）を送信する単一送信チェーン（Ｓｉｎｇｌｅ  ＴＸ  ｃｈａｉｎ）を有する第１端末は、無線周波数ユニット；及びプロセッサを含み、前記プロセッサは、プライマリーセル（Ｐｒｉｍａｒｙ  Ｃｅｌｌ、Ｐｃｅｌｌ）上のＤ２Ｄ（Ｄｅｖｉｃｅ−ｔｏ−Ｄｅｖｉｃｅ）信号送受信に関連した第１リソース領域に対して特定のギャップ（ｇａｐ）を設定し、前記特定のギャップに対応する時間区間上でノンプライマリーセル（ｎｏｎ−Ｐｒｉｍａｒｙ  Ｃｅｌｌ、Ｎｏｎ−ＰＣｅｌｌ）を介してＤ２Ｄディスカバリーを送信するように構成され、前記特定のギャップは、前記単一送信チェーンのプライマリーセル（ＰＣｅｌｌ）及びノンプライマリーセル（ｎｏｎ−ＰＣｅｌｌ）の間の転換（ｓｗｉｔｃｈｉｎｇ）動作をカバーするために設定された時間区間であり、前記Ｄ２Ｄディスカバリーのための伝送リソースは、前記Ｄ２Ｄディスカバリータイプによって決定されることを特徴とする。
例えば、本願は以下の項目を提供する。
（項目１）
搬送波集成（Ｃａｒｒｉｅｒ  Ａｇｇｒｅｇａｔｉｏｎ、ＣＡ）を支援する無線通信システムにおいて単一送信チェーン（Ｓｉｎｇｌｅ  ＴＸ  ｃｈａｉｎ）を有する第１端末のＤ２Ｄディスカバリー（Ｄｅｖｉｃｅ−ｔｏ−Ｄｅｖｉｃｅ  Ｄｉｓｃｏｖｅｒｙ）を送信する方法であって、
プライマリーセル（Ｐｒｉｍａｒｙ  Ｃｅｌｌ、Ｐｃｅｌｌ）上のＤ２Ｄ（Ｄｅｖｉｃｅ−ｔｏ−Ｄｅｖｉｃｅ）信号送受信に関連した第１リソース領域に対して特定のギャップ（ｇａｐ）を設定する段階；及び
前記特定のギャップに対応する時間区間上でノンプライマリーセル（ｎｏｎ−Ｐｒｉｍａｒｙ  Ｃｅｌｌ、Ｎｏｎ−ＰＣｅｌｌ）を介してＤ２Ｄディスカバリーを送信する段階を含み、
前記特定のギャップは、
前記単一送信チェーンのプライマリーセル（ＰＣｅｌｌ）及びノンプライマリーセル（ｎｏｎ−ＰＣｅｌｌ）の間の転換（ｓｗｉｔｃｈｉｎｇ）動作をカバーするために設定された時間区間であり、
前記Ｄ２Ｄディスカバリーのための伝送リソースは、
前記Ｄ２Ｄディスカバリータイプによって決定されることを特徴とする、Ｄ２Ｄディスカバリー送信方法。
（項目２）
前記ディスカバリータイプがタイプ１ディスカバリー（Ｔｙｐｅ１  ｄｉｓｃｏｖｅｒｙ）の場合、
前記Ｄ２Ｄディスカバリーのための伝送リソースは、
前記特定のギャップに対応する時間区間上に属する無線リソースのみによって決定されることを特徴とする、項目１に記載のＤ２Ｄディスカバリー送信方法。
（項目３）
前記ディスカバリータイプがタイプ１ディスカバリー（Ｔｙｐｅ１  ｄｉｓｃｏｖｅｒｙ）であり、前記Ｄ２Ｄディスカバリーのための伝送リソースが前記特定のギャップに対応する時間区間上に属しない無線リソースの場合、
前記Ｄ２Ｄディスカバリーの送信は省略されるように設定されることを特徴とする、請求項１に記載のＤ２Ｄディスカバリー送信方法。
（項目４）
前記ディスカバリータイプがタイプ１ディスカバリー（Ｔｙｐｅ１  ｄｉｓｃｏｖｅｒｙ）であり、前記Ｄ２Ｄディスカバリーのための伝送リソースが前記特定のギャップに対応する時間区間上に属しない無線リソースの場合、
前記Ｄ２Ｄディスカバリーのための伝送リソースは、前記特定のギャップに対応する時間区間上に属する無線リソースによって決定されるまで繰り返し再設定されることを特徴とする、項目１に記載のＤ２Ｄディスカバリー送信方法。
（項目５）
前記ディスカバリータイプがタイプ２ディスカバリー（Ｔｙｐｅ２  ｄｉｓｃｏｖｅｒｙ）の場合、
前記Ｄ２Ｄディスカバリーのための伝送リソースは、
基地局からシグナリングされた第２リソース領域上の無線リソースであることを特徴とする、項目１に記載のＤ２Ｄディスカバリー送信方法。
（項目６）
搬送波集成（Ｃａｒｒｉｅｒ  Ａｇｇｒｅｇａｔｉｏｎ、ＣＡ）を支援する無線通信システムにおいてＤ２Ｄディスカバリー（Ｄｅｖｉｃｅ−ｔｏ−Ｄｅｖｉｃｅ  Ｄｉｓｃｏｖｅｒｙ）を送信する単一送信チェーン（Ｓｉｎｇｌｅ  ＴＸ  ｃｈａｉｎ）を有する第１端末であって、
無線周波数ユニット；及び
プロセッサを含み、
前記プロセッサは、
プライマリーセル（Ｐｒｉｍａｒｙ  Ｃｅｌｌ、Ｐｃｅｌｌ）上のＤ２Ｄ（Ｄｅｖｉｃｅ−ｔｏ−Ｄｅｖｉｃｅ）信号送受信に関連した第１リソース領域に対して特定のギャップ（ｇａｐ）を設定し、前記特定のギャップに対応する時間区間上でノンプライマリーセル（ｎｏｎ−Ｐｒｉｍａｒｙ  Ｃｅｌｌ、Ｎｏｎ−ＰＣｅｌｌ）を介してＤ２Ｄディスカバリーを送信するように構成され、
前記特定のギャップは、
前記単一送信チェーンのプライマリーセル（ＰＣｅｌｌ）及びノンプライマリーセル（ｎｏｎ−ＰＣｅｌｌ）の間の転換（ｓｗｉｔｃｈｉｎｇ）動作をカバーするために設定された時間区間であり、
前記Ｄ２Ｄディスカバリーのための伝送リソースは、
前記Ｄ２Ｄディスカバリータイプによって決定されることを特徴とする、第１端末。
【発明の効果】
【００１５】
本発明の実施例によると、無線通信システムにおいてＤ２Ｄ信号送受信を効率的に遂行することができる。
【００１６】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００１７】
本発明に関する理解を助けるために詳細な説明の一部として含まれる、添付図面は本発明に対する実施例を提供し、詳細な説明とともに本発明の技術的思想を説明する。
【図１】無線通信システムの一例としてＥ−ＵＭＴＳ網構造を概略的に例示する。
【図２】３ＧＰＰ無線接続網規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御平面（Ｃｏｎｔｒｏｌ  Ｐｌａｎｅ）及びユーザ平面（Ｕｓｅｒ  Ｐｌａｎｅ）構造を例示する。
【図３】３ＧＰＰシステムに用いられる物理チャネル及びこれらを用いた一般的な信号伝送方法を例示する。
【図４】ＬＴＥシステムで使われる無線フレームの構造を例示する。
【図５】下りリンクスロットに対するリソースグリッド（ｒｅｓｏｕｒｃｅ  ｇｒｉｄ）を例示する。
【図６】下りリンクサブフレームの構造を例示する。
【図７】上りリンクサブフレームの構造を示す。
【図８】Ｄ２Ｄ通信を説明するための参照図である。
【図９】Ｄ２Ｄ通信のためのリソースユニット（ＲＵ）の構成の一例を説明するための参照図である。
【図１０】ディスカバリーメッセージ関連リソースプールが周期的に現れる場合を示す。
【図１１】上述したカバレージ内（ｉｎ−ｃｏｖｅｒａｇｅ）ＵＥとカバレージ外（ｏｕｔ−ｏｆ−ｃｏｖｅｒａｇｅ）ＵＥに対するＤ２ＤＳＳ  ＳＦ設定及びＤ２ＤＳＳ  ｒｅｌａｙ  ＳＦを説明するための参照図である。
【図１２】Ｄ２ＤＳＳが送信されるリソースプール（ｒｅｓｏｕｒｃｅ  ｐｏｏｌ）の位置を示す。
【図１３】本発明に係わるオプションを説明するための参照図である。
【図１４】本発明によって、同期化ウィンドウ長ｗ２及びｗ１の隣接セルのために必要なＤＬ  ＧＡＰを比較するための参照図である。
【図１５】本発明に係わるマルチキャリアのカバレージを示す。
【図１６】マルチキャリアが適用された異種ネットワーク（ｈｅｔｅｒｏ−ｎｅｔｗｏｒｋ）を示す。
【図１７】本発明の一実施例に適用可能な基地局及び端末を示す。
【発明を実施するための形態】
【００１８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進化したバージョンである。
【００１９】
説明を明確にするために、３ＧＰＰ  ＬＴＥ／ＬＴＥ−Ａを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００２０】
図２は、３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。コントロールプレーンは、端末（Ｕｓｅｒ  Ｅｑｕｉｐｍｅｎｔ；ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００２１】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層間にデータが移動する。送信側の物理層と受信側の物理層間は、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２２】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために不要の制御情報を減らすヘッダー圧縮（Ｈｅａｄｅｒ  Ｃｏｍｐｒｅｓｓｉｏｎ）機能を果たす。
【００２３】
第３層の最下部に位置している無線リソース制御（Ｒａｄｉｏ  Ｒｅｓｏｕｒｃｅ  Ｃｏｎｔｒｏｌ；ＲＲＣ）層は、コントロールプレーンでのみ定義される。ＲＲＣ層は、無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２４】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００２５】
ネットワークから端末にデータを送信する下り伝送チャネルは、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルには、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２６】
図３は、３ＧＰＰ  ＬＴＥシステムに用いられる物理チャネル及びそれらを用いた一般的な信号送信方法を説明するための図である。
【００２７】
電源が消えた状態で電源がついたり、新しくセルに進入したりしたユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ、ＤＬ  ＲＳ）を受信して下りリンクチャネル状態を確認することができる。
【００２８】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００２９】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００３０】
上述したような手順を行ったユーザ機器は、その後、一般的な上りリンク／下りリンク信号送信手順として、物理下りリンク制御チャネル／物理下りリンク共有チャネルの受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ、ＵＣＩ）という。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ  ＡＣＫ／ＮＡＣＫは簡単に、ＨＡＲＱ−ＡＣＫあるいはＡＣＫ／ＮＡＣＫ（Ａ／Ｎ）と呼ぶ。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要請／指示に応じて、ＰＵＳＣＨを介してＵＣＩを非周期的に送信することもできる。
【００３１】
図４はＬＴＥシステムで使われる無線フレームの構造を例示する図である。
【００３２】
図４を参照すると、セルラーＯＦＤＭ無線パケット通信システムにおいて、上りリンク／下りリンクデータパケット伝送はサブフレーム（ｓｕｂｆｒａｍｅ）単位でなされ、一つのサブフレームは多数のＯＦＤＭシンボルを含む一定の時間区間として定義される。３ＧＰＰ  ＬＴＥ標準ではＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２の無線フレーム構造を支援する。
【００３３】
図４の（ａ）はタイプ１無線フレームの構造を例示する。下りリンク無線フレーム（ｒａｄｉｏ  ｆｒａｍｅ）は１０個のサブフレーム（ｓｕｂｆｒａｍｅ）で構成され、一つのサブフレームは時間領域（ｔｉｍｅ  ｄｏｍａｉｎ）で２個のスロット（ｓｌｏｔ）で構成される。一つのサブフレームが送信されるのにかかる時間をＴＴＩ（ｔｒａｎｓｍｉｓｓｉｏｎ  ｔｉｍｅ  ｉｎｔｅｒｖａｌ）と言う。例えば、一つのサブフレームの長さは１ｍｓ、一つのスロットの長さは０．５ｍｓであり得る。一つのスロットは時間領域で複数のＯＦＤＭシンボルを含み、周波数領域で多数のリソースブロック（Ｒｅｓｏｕｒｃｅ  Ｂｌｏｃｋ；ＲＢ）を含む。３ＧＰＰ  ＬＴＥシステムにおいては、下りリンクでＯＦＤＭＡを使うので、ＯＦＤＭシンボルが一つのシンボル区間を示す。ＯＦＤＭシンボルはまたＳＣ−ＦＤＭＡシンボル又はシンボル区間と呼ばれることもできる。リソース割り当て単位としてのリソースブロック（ＲＢ）は一つのスロットで複数の連続的な副搬送波（ｓｕｂｃａｒｒｉｅｒ）を含むことができる。
【００３４】
一つのスロットに含まれるＯＦＤＭシンボルの数はＣＰ（Ｃｙｃｌｉｃ  Ｐｒｅｆｉｘ）の構成（ｃｏｎｆｉｇｕｒａｔｉｏｎ）によって違うことができる。ＣＰには拡張されたＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、一つのスロットに含まれるＯＦＤＭシンボルの数は７個であり得る。ＯＦＤＭシンボルが拡張されたＣＰによって構成された場合、一ＯＦＤＭシンボルの長さが増えるので、一つのスロットに含まれるＯＦＤＭシンボルの数は標準ＣＰの場合より少ない。拡張されたＣＰの場合、例えば、一つのスロットに含まれるＯＦＤＭシンボルの数は６個であり得る。ユーザ機器が高速で移動するなどの場合のようにチャネル状態が不安定な場合、シンボル間の干渉をもっと減らすために、拡張されたＣＰを使うことができる。
【００３５】
標準ＣＰが使われる場合、一つのスロットは７個のＯＦＤＭシンボルを含むので、一つのサブフレームは１４個のＯＦＤＭシンボルを含む。この際、各サブフレームの最初の最大３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当てられ、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てられることができる。
【００３６】
図４の（ｂ）はタイプ２無線フレームの構造を例示する。タイプ２無線フレームは２個のハーフフレーム（ｈａｌｆ  ｆｒａｍｅ）で構成され、各ハーフフレームは２個のスロットを含む４個の一般サブフレームとＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）で構成される。
【００３７】
前記特別サブフレームで、ＤｗＰＴＳはユーザ器機での初期セル探索、同期化又はチャネル推定に使われる。ＵｐＰＴＳは基地局でのチャネル推定とユーザ器機の上りリンク伝送同期を合わせるのに使われる。すなわち、ＤｗＰＴＳは下りリンク伝送に、ＵｐＰＴＳは上りリンク伝送に使われ、特にＵｐＰＴＳはＰＲＡＣＨプリアンブル又はＳＲＳ伝送の用途に活用される。また、保護区間は上りリンクと下りリンクの間に下りリンク信号の多重経路遅延によって上りリンクで発生する干渉を除去するための区間である。
【００３８】
前記特別サブフレームに関し、現在３ＧＰＰ標準文書では下記の表１のように設定を定義している。表１で、
【００３９】
【数１】
2020191666.tif 000003
【００４０】
の場合、ＤｗＰＴＳとＵｐＰＴＳを示し、残りの領域が保護区間として設定される。
【００４１】
【表１】
2020191666.tif 000004
【００４２】
一方、タイプ２無線フレームの構造、すなわちＴＤＤシステムにおいて上りリンク／下りリンクサブフレーム設定（ＵＬ／ＤＬ  ｃｏｎｆｉｇｕｒａｔｉｏｎ）は下記の表２の通りである。
【００４３】
【表２】
2020191666.tif 000005
【００４４】
前記表２で、Ｄは下りリンクサブフレーム、Ｕは上りリンクサブフレームを示し、Ｓは前記特別サブフレームを意味する。また、前記表２はそれぞれのシステムにおいて上りリンク／下りリンクサブフレーム設定で下りリンク−上りリンクスイッチング周期も示す。
【００４５】
上述した無線フレームの構造は例示に過ぎず、無線フレームに含まれるサブフレームの数又はサブフレームに含まれるスロットの数、スロットに含まれるシンボルの数は多様に変更可能である。
【００４６】
図５は下りリンクスロットに対するリソースグリッド（ｒｅｓｏｕｒｃｅ  ｇｒｉｄ）を例示する。
【００４７】
図５を参照すると、下りリンクスロットは、時間領域で
【００４８】
【数２】
2020191666.tif 000006
【００４９】
ＯＦＤＭシンボルを含み、周波数領域で
【００５０】
【数３】
2020191666.tif 000007
【００５１】
リソースブロックを含む。それぞれのリソースブロックが
【００５２】
【数４】
2020191666.tif 000008
【００５３】
副搬送波を含むので、下りリンクスロットは周波数領域で
【００５４】
【数５】
2020191666.tif 000009
【００５５】
副搬送波を含む。図５は下りリンクスロットが７ＯＦＤＭシンボルを含み、リソースブロックが１２副搬送波を含むものを例示しているが、必ずしもこれに制限されるものではない。例えば、下りリンクスロットに含まれるＯＦＤＭシンボルの個数は循環前置（Ｃｙｃｌｉｃ  Ｐｒｅｆｉｘ；ＣＰ）の長さによって変形可能である。
【００５６】
リソースグリッド上の各要素をリソース要素（Ｒｅｓｏｕｒｃｅ  Ｅｌｅｍｅｎｔ；ＲＥ）と言い、一つのリソース要素は一つのＯＦＤＭシンボルインデックス及び一つの副搬送波インデックスで指示される。一つのＲＢは
【００５７】
【数６】
2020191666.tif 000010
【００５８】
リソース要素で構成されている。下りリンクスロットに含まれるリソースブロックの数
【００５９】
【数７】
2020191666.tif 000011
【００６０】
はセルで設定される下りリンク伝送帯域幅（ｂａｎｄｗｉｄｔｈ）に従属する。
【００６１】
図６は下りリンクサブフレームの構造を例示する。
【００６２】
図６を参照すると、サブフレームの一番目スロットで前部に位置する最大３（４）個のＯＦＤＭシンボルは制御チャネルが割り当てられる制御領域に対応する。残りのＯＦＤＭシンボルはＰＤＳＣＨ（Ｐｈｙｓｉｃａｌ  ｄｏｗｎｌｉｎｋ  ｓｈａｒｅｄ  ｃｈａｎｎｅｌ）が割り当てられるデータ領域に対応する。ＬＴＥで使われる下りリンク制御チャネルの例はＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  ｄｏｗｎｌｉｎｋ  ｃｏｎｔｒｏｌ  ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨはサブフレームの一番目ＯＦＤＭシンボルで送信され、サブフレーム内で制御チャネルの伝送に使われるＯＦＤＭシンボルの個数についての情報を運ぶ。ＰＨＩＣＨは上りリンク伝送に応じてＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００６３】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と言う。ＤＣＩはユーザ器機又はユーザ器機グループのためのリソース割り当て情報及び他の制御情報を含む。例えば、ＤＣＩは上り／下りリンクスケジューリング情報、上りリンク伝送（Ｔｘ）パワー制御命令などを含む。
【００６４】
ＰＤＣＣＨは下りリンク共有チャネル（ｄｏｗｎｌｉｎｋ  ｓｈａｒｅｄ  ｃｈａｎｎｅｌ、ＤＬ−ＳＣＨ）の伝送フォーマット及びリソース割り当て情報、上りリンク共有チャネル（ｕｐｌｉｎｋ  ｓｈａｒｅｄ  ｃｈａｎｎｅｌ、ＵＬ−ＳＣＨ）の伝送フォーマット及びリソース割り当て情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダム接続応答のような上位−階層制御メッセージのリソース割り当て情報、ユーザ器機グループ内の個別ユーザ器機に対するＴｘパワー制御命令セット、Ｔｘパワー制御命令、ＶｏＩＰ（Ｖｏｉｃｅ  ｏｖｅｒ  ＩＰ）の活性化指示情報などを運ぶ。複数のＰＤＣＣＨが制御領域内で送信されることができる。ユーザ機器は複数のＰＤＣＣＨをモニターすることができる。ＰＤＣＣＨは一つ又は複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で送信される。ＣＣＥはＰＤＣＣＨに無線チャネル状態に基づくコーディングレートを提供するのに使われる論理的割り当てユニットである。ＣＣＥは複数のリソース要素グループ（Ｒｅｓｏｕｒｃｅ    Ｅｌｅｍｅｎｔ  ｇｒｏｕｐ、ＲＥＧ）に対応する。ＰＤＣＣＨのフォーマット及びＰＤＣＣＨビットの個数はＣＣＥの個数によって決定される。基地局はユーザ器機に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付け加える。ＣＲＣはＰＤＣＣＨの所有者又は使用目的によって識別子（例えば、ＲＮＴＩ（ｒａｄｉｏ  ｎｅｔｗｏｒｋ  ｔｅｍｐｏｒａｒｙ  ｉｄｅｎｔｉｆｉｅｒ））でマスキングされる。例えば、ＰＤＣＣＨが特定のユーザ器機のためのものである場合、該当のユーザ器機の識別子（例えば、ｃｅｌｌ−ＲＮＴＩ（Ｃ−ＲＮＴＩ））がＣＲＣにマスキングされることができる。ＰＤＣＣＨがページングメッセージのためのものである場合、ページング識別子（例えば、ｐａｇｉｎｇ−ＲＮＴＩ（Ｐ−ＲＮＴＩ））がＣＲＣにマスキングされることができる。ＰＤＣＣＨがシステム情報（より具体的に、システム情報ブロック（ｓｙｓｔｅｍ  Ｉｎｆｏｒｍａｔｉｏｎ  ｂｌｏｃｋ、ＳＩＣ））のためのものである場合、ＳＩ−ＲＮＴＩ（ｓｙｓｔｅｍ  Ｉｎｆｏｒｍａｔｉｏｎ  ＲＮＴＩ）がＣＲＣにマスキングされることができる。ＰＤＣＣＨがランダム接続応答のためのものである場合、ＲＡ−ＲＮＴＩ（ｒａｎｄｏｍ  ａｃｃｅｓｓ−ＲＮＴＩ）がＣＲＣにマスキングされることができる。
【００６５】
図７はＬＴＥで使われる上りリンクサブフレームの構造を例示する。
【００６６】
図７を参照すると、上りリンクサブフレームは複数（例えば、２個）のスロットを含む。スロットはＣＰ長によって相異なる数のＳＣ−ＦＤＭＡシンボルを含むことができる。上りリンクサブフレームは周波数領域でデータ領域と制御領域に区分される。データ領域はＰＵＳＣＨを含み、音声などのデータ信号を送信するのに使われる。制御領域はＰＵＣＣＨを含み、上りリンク制御情報（Ｕｐｌｉｎｋ  Ｃｏｎｔｒｏｌ  Ｉｎｆｏｒｍａｔｉｏｎ、ＵＣＩ）を送信するのに使われる。ＰＵＣＣＨは周波数軸でデータ領域の両端部に位置するＲＢ対（ＲＢ  ｐａｉｒ）を含み、スロットを境界としてホッピングする。
【００６７】
ＰＵＣＣＨは次の制御情報を送信するのに使われることができる。
【００６８】
−ＳＲ（Ｓｃｈｅｄｕｌｉｎｇ  Ｒｅｑｕｅｓｔ）：上りリンクＵＬ−ＳＣＨリソースを要請するのに使われる情報である。ＯＯＫ（Ｏｎ−Ｏｆｆ  Ｋｅｙｉｎｇ）方式を用いて送信される。
【００６９】
−ＨＡＲＱ  ＡＣＫ／ＮＡＣＫ：ＰＤＳＣＨ上の下りリンクデータパケットに対する応答信号である。下りリンクデータパケットが成功的に受信されたか否かを示す。単一下りリンクコードワードに対する応答としてＡＣＫ／ＮＡＣＫ１ビットが送信され、二つの下りリンクコードワードに対する応答としてＡＣＫ／ＮＡＣＫ２ビットが送信される。
【００７０】
−ＣＳＩ（Ｃｈａｎｎｅｌ  Ｓｔａｔｅ  Ｉｎｆｏｒｍａｔｉｏｎ）：下りリンクチャネルについてのフィードバック情報である。ＣＳＩはＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報はＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（ＰｒｅｃｏｄｉｎｇタイプＩｎｄｉｃａｔｏｒ）などを含む。サブフレーム当たり２０ビットが使われる。
【００７１】
ユーザ機器がサブフレームで送信することができる制御情報（ＵＣＩ）の量は制御情報伝送に可用なＳＣ−ＦＤＭＡの個数による。制御情報の伝送に可用なＳＣ−ＦＤＭＡはサブフレームで参照信号伝送のためのＳＣ−ＦＤＭＡシンボルを除いた残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除かれる。参照信号はＰＵＣＣＨのコヒーレント検出に使われる。
【００７２】
以下では、Ｄ２Ｄ（ＵＥ−ｔｏ−ＵＥ  Ｃｏｍｍｕｎｉｃａｔｉｏｎ）通信について説明する。
【００７３】
Ｄ２Ｄ通信方式は、大別して、ネットワーク／コーディネーションステーション（例えば、基地局）の助けを受ける方式と、そうではない方式とに分けることができる。
【００７４】
図８を参照すると、図８（ａ）には制御信号（例えば、ｇｒａｎｔ  ｍｅｓｓａｇｅ）、ＨＡＲＱ、チャネル状態情報（Ｃｈａｎｎｅｌ  Ｓｔａｔｅ  Ｉｎｆｏｒｍａｔｉｏｎ）などの送受信にはネットワーク／コーディネーションステーションが介入され、Ｄ２Ｄ通信を行う端末間にはデータ送受信のみが行われる方式が示されている。また、図８（ｂ）には、ネットワークは最小限の情報（例えば、該当のセルで使用可能なＤ２Ｄ連結（ｃｏｎｎｅｃｔｉｏｎ）情報など）のみを提供し、Ｄ２Ｄ通信を行う端末がリンクを形成してデータ送受信を行う方式が示されている。
【００７５】
前述した内容を基にし、本発明では、Ｄ２Ｄ（Ｄｅｖｉｃｅ−ｔｏ−Ｄｅｖｉｃｅ）通信が行われる環境で、Ｄ２Ｄ同期化信号（Ｄ２ＤＳＳ）（送信／受信）リソース及びＤ２ＤＳＳ伝送条件を効率的に設定する方法について説明する。
【００７６】
ここで、Ｄ２Ｄ通信はＵＥが他のＵＥと直接無線チャネルを介して通信することを意味し、一般的にＵＥはユーザの端末を意味するが、ｅＮＢのようなネットワーク装備がＵＥ間の通信方式によって信号を送信／受信する場合には本発明が適用可能な一種のＵＥと見なすことができる。また、ＷＡＮ  ＤＬ通信はｅＮＢがＵＥに送信する（Ｅ）ＰＤＣＣＨ、ＰＤＳＣＨ、ＣＲＳ、ＣＳＩ−ＲＳなどの各種の既存通信を意味することができ、あるいはＷＡＮ通信はＵＥがｅＮＢに送信するＰＲＡＣＨ、ＰＵＳＣＨ、ＰＵＣＣＨなどの各種の既存通信を意味することができる。
【００７７】
また、以下では、説明の便宜のために、３ＧＰＰ  ＬＴＥシステムに基づいて本発明を説明するが、本発明が適用されるシステムの範囲は３ＧＰＰ  ＬＴＥシステムの外に他のシステムにも拡張可能である。
【００７８】
また、以下では、説明の便宜のために、Ｄ２Ｄ信号送信動作を行うＵＥを“Ｄ２Ｄ  ＴＸ  ＵＥ”と定義し、Ｄ２Ｄ信号受信動作を行うＵＥを“Ｄ２Ｄ  ＲＸ  ＵＥ”と定義する。
【００７９】
また、本発明の実施例は、ｉ）Ｄ２Ｄ通信に参加する一部のＤ２Ｄ  ＵＥはネットワークのカバレージ内にあり、残りのＤ２Ｄ  ＵＥはネットワークのカバレージ外にある場合（Ｄ２Ｄ  Ｄｉｓｃｏｖｅｒｙ／Ｃｏｍｍｕｎｉｃａｔｉｏｎ  ｏｆ  Ｐａｒｔｉａｌ  Ｎｅｔｗｏｒｋ  Ｃｏｖｅｒａｇｅ）、及び／又はｉｉ）Ｄ２Ｄ通信に参加するＤ２Ｄ  ＵＥが全てネットワークのカバレージ内にある場合（Ｄ２Ｄ  Ｄｉｓｃｏｖｅｒｙ／Ｃｏｍｍｕｎｉｃａｔｉｏｎ  Ｗｉｔｈｉｎ  Ｎｅｔｗｏｒｋ  Ｃｏｖｅｒａｇｅ）、及び／又はｉｉｉ）Ｄ２Ｄ通信に参加するＤ２Ｄ  ＵＥが全てネットワークのカバレージ外にある場合（Ｄ２Ｄ  Ｄｉｓｃｏｖｅｒｙ／Ｃｏｍｍｕｎｉｃａｔｉｏｎ  Ｏｕｔｓｉｄｅ  Ｎｅｔｗｏｒｋ  Ｃｏｖｅｒａｇｅ（ｆｏｒ  Ｐｕｂｌｉｃ  Ｓａｆｅｔｙ  Ｏｎｌｙ））などにも拡張して適用可能である。
【００８０】
以下では、本発明についての具体的な説明を開示するに先立ち、Ｄ２Ｄ通信を遂行する場合のリソース設定／割り当てについて先に説明する。
【００８１】
一般に、ＵＥが他のＵＥと直接無線チャネルを介して通信を遂行するとき、一連（ｃｏｎｔｉｇｕｏｕｓｌｙ）のリソース集合を意味するリソースプール（Ｒｅｓｏｕｒｃｅ  ｐｏｏｌ）内で特定のリソースに相当するリソースユニット（Ｒｅｓｏｕｒｃｅ  Ｕｎｉｔ、ＲＵ）が選択され、該当のＲＵを使ってＤ２Ｄ信号を送信（すなわち、Ｄ２Ｄ  ＴＸ  ＵＥの動作）するように動作することができる。これに対するＤ２Ｄ  ＲＸ  ＵＥはＤ２Ｄ  ＴＸ  ＵＥが信号を送信することができるリソースプール情報をシグナリングによって受け、該当のリソースプール内でＤ２Ｄ  ＴＸ  ＵＥの信号を検出する。ここで、リソースプール情報はｉ）Ｄ２Ｄ  ＴＸ  ＵＥが基地局の連結範囲内にある場合には基地局が知らせることができ、ｉｉ）基地局の連結範囲の外にある場合には他のＵＥが知らせるかあるいは前もって決定されたリソースとして決定されることもできる。
【００８２】
一般に、リソースプールは複数のリソースユニット（ＲＵ）で構成され、各ＵＥは一つあるいは複数のリソースユニット（ＲＵ）を選定して自分のＤ２Ｄ信号送信に使うことができる。
【００８３】
図９はＤ２Ｄ通信のためのリソースユニット（ＲＵ）の構成の一例を説明するための参照図である。全ての周波数リソースがＮＦ個に分割され、全ての時間リソースがＮＴ個に分割され、全部ＮＦ＊ＮＴ個のリソースユニット（ＲＵ）が定義される場合に相当する。ここで、該当のリソースプールがＮＴサブフレームを周期として繰り返されると言える。特徴的に、一つのリソースユニット（ＲＵ）は図９に示すように周期的に繰り返して現れることができる。若しくは、時間や周波数の次元でのダイバーシティ（Ｄｉｖｅｒｓｉｔｙ）効果を得るために、一つの論理的なリソースユニット（ＲＵ）がマッピングされる物理的リソースユニット（ＲＵ）のインデックスが時間によって前もって決定されたパターンで変化することもできる。このようなリソースユニット構造において、リソースプールはＤ２Ｄ信号を送信しようとするＵＥが送信に使えるリソースユニットの集合を意味することができる。
【００８４】
また、上述したリソースプール（Ｒｅｓｏｕｒｃｅ  ｐｏｏｌ）は多くの種類に細分化することができる。まず、リソースプールで送信されるＤ２Ｄ信号のコンテンツ（Ｃｏｎｔｅｎｔ）によって区分することができる。一例として、Ｄ２Ｄ信号のコンテンツは以下のように区分することができ、それぞれに対して別個のリソースプールが設定（Ｃｏｎｆｉｇｕｒａｔｉｏｎ）できる。
【００８５】
・スケジューリング割り当て（Ｓｃｈｅｄｕｌｉｎｇ  Ａｓｓｉｇｎｍｅｎｔ、ＳＡ）：それぞれのＤ２Ｄ  ＴＸ  ＵＥが後行するＤ２Ｄデータチャネル（Ｄａｔａ  Ｃｈａｎｎｅｌ）の伝送で使うリソースの位置及びその外のデータチャネルの復調のために必要なＭＣＳ（Ｍｏｄｕｌａｔｉｏｎ  ａｎｄ  Ｃｏｄｉｎｇ  Ｓｃｈｅｍｅ）又はＭＩＭＯ伝送方式などの情報を含む信号を意味する。このような信号は同じリソースユニット上でＤ２Ｄデータと一緒に多重化して送信されることも可能である。この場合、ＳＡリソースプールとはＳＡがＤ２Ｄデータと多重化して送信されるリソースのプール（Ｐｏｏｌ）を意味することができる。以下、本発明では、説明の便宜のために、‘ＳＡプール’という。
【００８６】
・Ｄ２Ｄデータチャネル（Ｄ２Ｄ  Ｄａｔａ  Ｃｈａｎｎｅｌ）：ＳＡによって指定されたリソースを使ってＤ２Ｄ  ＴＸ  ＵＥがユーザデータ（Ｕｓｅｒ  Ｄａｔａ）を送信するのに使うリソースのプール（Ｐｏｏｌ）を意味する。仮に、同じリソースユニット上でＳＡ情報と一緒に多重化して送信されることも可能な場合には、Ｄ２ＤデータチャネルのためのリソースプールではＳＡ情報を除いた形態のＤ２Ｄデータチャネルのみが送信される形態となることができる。言い換えれば、ＳＡリソースプール内の個別リソースユニット上でＳＡ情報を送信するのに使われたＲＥ（Ｒｅｓｏｕｒｃｅ  Ｅｌｅｍｅｎｔ）を、Ｄ２Ｄデータチャネルのリソースプールでは依然としてＤ２Ｄデータを送信するのに使うものである。以下、本発明では、説明の便宜のために、‘データプール’という。
【００８７】
ディスカバリーメッセージ（Ｄｉｓｃｏｖｅｒｙ  Ｍｅｓｓａｇｅ）：Ｄ２Ｄ  ＴＸ  ＵＥが自分のＩＤなどの情報を送信し、隣接ＵＥが自分を見つけることができるようにするメッセージのためのリソースプールを意味する。以下、本発明では、説明の便宜のために、‘ディスカバリープール’という。
【００８８】
また、上述したように、Ｄ２Ｄ信号のコンテンツが同一である場合にも１２２Ｄ信号の送信／受信属性によって相異なるリソースプールを使うこともできる。例えば、同じＤ２Ｄデータチャネル（Ｄ２Ｄ  Ｄａｔａ  Ｃｈａｎｎｅｌ）又はディスカバリーメッセージと言っても、ｉ）Ｄ２Ｄ信号の送信タイミング決定方式（例えば、同期基準信号の受信時点で送信される方式、同期基準信号の受信時点で一定のＴＡ（Ｔｉｍｉｎｇ  Ａｄｖａｎｃｅ）を適用して送信される方式）、又はｉｉ）リソース割り当て方式（例えば、個別信号の伝送リソースをセル（Ｃｅｌｌ）が個別Ｄ２Ｄ  ＴＸ  ＵＥに指定する方式、個別Ｄ２Ｄ  ＴＸ  ＵＥがプール（Ｐｏｏｌ）内で自ら個別信号伝送リソースを選択する方式）、又はｉｉｉ）シグナルフォーマット（例えば、各Ｄ２Ｄ信号が一つのサブフレームで占めるシンボルの個数、又は一つのＤ２Ｄ信号の伝送に使われるサブフレームの個数）によってさらに相異なるリソースプールに区分することができる。
【００８９】
さらに、Ｄ２Ｄデータチャネル送信のためのリソース割り当て方法は次の二つのモード（Ｍｏｄｅ）に区分することができる。
【００９０】
モード１（Ｍｏｄｅ１）：セル（Ｃｅｌｌ）がＳＡ及びＤ２Ｄデータを送信するのに使うリソースを個別Ｄ２Ｄ  ＴＸ  ＵＥに直接指定する方式を意味する。その結果、セル（ｃｅｌｌ）はどのＵＥがどのリソースをＤ２Ｄ信号送信に使うかを正確に把握することができる。しかし、全てのＤ２Ｄ信号の送信ごとにセル（ｃｅｌｌ）がＤ２Ｄリソースを指定することは過度なシグナリングオーバーヘッド（Ｓｉｇｎａｌｉｎｇ  Ｏｖｅｒｈｅａｄ）を引き起こすことができるので、一回のシグナリングによって複数のＳＡ及び／又はデータ送信リソースを割り当てるように動作することもできる。
【００９１】
モード２（Ｍｏｄｅ２）：セル（ｃｅｌｌ）が複数のＤ２Ｄ  ＴＸ  ＵＥに設定した一連（ｃｏｎｔｉｇｕｏｕｓｌｙ）のＳＡ及びデータ関連リソースプール内で個別Ｄ２Ｄ  ＴＸ  ＵＥが適切なリソースを選択してＳＡ及びデータを送信する方式を意味する。その結果、セル（ｃｅｌｌ）はどのＵＥがどのリソースをＤ２Ｄ送信に使うかを正確に把握することができない。
【００９２】
また、ディスカバリーメッセージ送信のためのリソース割り当て方法は以下の二つのタイプ（Ｔｙｐｅ）に区分することができる。
【００９３】
タイプ（ＴＹＰＥ）１：非ＵＥ特定に基づく（ｎｏｎ  ＵＥ−ｓｐｅｃｉｆｉｃ  ｂａｓｉｓ）ディスカバリー信号伝送のためのリソースが割り当てられた場合のディスカバリー過程。ここで、前記リソースは全てのＵＥ又はＵＥのグループのためのものであってもよい。
【００９４】
タイプ（ＴＹＰＥ）２：ＵＥ特定に基づく（ＵＥ−ｓｐｅｃｉｆｉｃ  ｂａｓｉｓ）ディスカバリー信号伝送のためのリソースが割り当てられた場合のディスカバリー過程。
【００９５】
−タイプ（ＴＹＰＥ）２Ａ：リソースはディスカバリー信号のそれぞれの特定伝送時間（ｉｎｓｔａｎｃｅ）ごとに割り当てられる。
【００９６】
−タイプ（ＴＹＰＥ）２Ｂ：リソースはディスカバリー信号伝送のために半永久的に（ｓｅｍｉ−ｐｅｒｓｉｓｔｅｎｔｌｙ）割り当てられる。
【００９７】
図１０はディスカバリーメッセージ関連リソースプール（以下、“ディスカバリーリソースプール（Ｄｉｓｃｏｖｅｒｙ  Ｒｅｓｏｕｒｃｅ  ｐｏｏｌ）”と表記）が周期的に現れる場合を示す。図１０で、該当のリソースプールが現れる周期を“ディスカバリーリソースプール周期（Ｄｉｓｃｏｖｅｒｙ  Ｒｅｓｏｕｒｃｅ  ｐｏｏｌ  Ｐｅｒｉｏｄ）”と表記した。また、図１０で、（一つの）ディスカバリーリソースプール周期内に設定された多数のディスカバリーリソースプールのうち、特定のディスカバリーリソースプール（等）はサービングセル関連ディスカバリー送信／受信リソースプール（Ｄｉｓｃｏｖｅｒｙ  Ｔｒａｎｓｍｉｓｓｉｏｎ／Ｒｅｃｅｐｔｉｏｎ  Ｒｅｓｏｕｒｃｅ  ｐｏｏｌ）（等）と定義し、他の（残りの）ディスカバリーリソースプール（等）は隣接セル（Ｎｅｉｇｈｂｏｒ  ｃｅｌｌ）関連ディスカバリー受信リソースプール（Ｄｉｓｃｏｖｅｒｙ  Ｒｅｃｅｐｔｉｏｎ  Ｒｅｓｏｕｒｃｅ  ｐｏｏｌ）（等）と定義することができる。
【００９８】
前述したものに基づき、本発明で提案するＤ２Ｄ同期化信号（Ｄ２ＤＳＳ）リソース設定方法及びＤ２ＤＳＳ伝送条件を説明する。
【００９９】
まず、カバレージ内（ｉｎ−ｃｏｖｅｒａｇｅ、又はｉｎ−ｎｅｔｗｏｒｋ（ｉｎ−ＮＷ））ＵＥの場合を説明する。
【０１００】
−カバレージ内ＵＥに対し、一つのセルごとに最大１個のＤ２ＤＳＳリソースが設定することができる。ここで、Ｄ２ＤＳＳリソースは以下のｉ）、ｉｉ）条件（ｃｏｎｄｉｔｉｏｎ）を満たす周期的に現れるサブフレームを含む。該当の周期的に現れるサブフレーム上でＤ２ＤＳＳが送信されることができる（例えば、基地局はＤ２ＤＳＳ伝送に使われないリソースを（ＷＡＮ通信に）用いる）。ｉ）Ｄ２ＤＳＳリソースの周期はカバレージ内（ｉｎ−ｃｏｖｅｒａｇｅ）及びカバレージ外（ｏｕｔ−ｏｆ−ｃｏｖｅｒａｇｅ）の場合が同一であり、４０ｍｓに前もって固定されることができる。また、ｉｉ）Ｄ２ＤＳＳリソース設定時、サブフレーム単位の時間オフセットが設定されることができ、隣接セル（ｎｅｉｇｈｂｏｒ  ｃｅｌｌ）のＤ２ＤＳＳリソースオフセット（例えば、サービングセルのＳＦＮ＃０に対するサブフレーム単位の時間オフセット形態）はＳＩＢを介してシグナリングできる。
【０１０１】
−ＳＡ又はＤ２Ｄデータを送信するＵＥは、Ｄ２ＤＳＳリソース内の以下の（一部又は全ての）条件を満たす各サブフレーム上でＤ２ＤＳＳを送信する。
【０１０２】
・ＵＥの観点で、セルラー伝送と衝突しないサブフレーム
・ＵＥの能力（ｃａｐａｂｉｌｉｔｙ）などの前もって定義された条件を満たす場合
ＳＡ又はＤ２Ｄデータが送信されるＳＡ又はＤ２Ｄデータ周期（ｐｅｒｉｏｄ）内のサブフレーム（ｔｈｅ  ｓｕｂｆｒａｍｅ  ｉｓ  ｗｉｔｈｉｎ  ｔｈｅ  ＳＡ  ｏｒ  Ｄ２Ｄ  ｄａｔａ  ｐｅｒｉｏｄ  ｉｎ  ｗｈｉｃｈ  ＳＡ  ｏｒ  ｄａｔａ  ｉｓ  ｔｒａｎｓｍｉｔｔｅｄ）
・ＵＥがＲＲＣ＿Ｃｏｎｎｅｃｔｅｄ状態であり、ｅＮＢが（専用（ｄｅｄｉｃａｔｅｄ）シグナリングによって）Ｄ２ＤＳＳ送信開始を指示し、及び／又はＵＥがＳＡ又はＤ２Ｄデータ周期内のサブフレーム上でＳＡ又はＤ２Ｄデータを送信しない場合に前もって定義された他の条件が満たされ、及び／又は以下の条件が全て（又は一部）満たされる場合
−Ｄ２Ｄ通信関連Ｄ２ＤＳＳ伝送のためのＲＳＲＰ閾値が設定され、該当の閾値がＳＩＢを介して設定された場合。ここで、一例として、閾値は｛−∞、−１１５、・・・、−６０（５単位で増加）、＋∞｝ｄＢｍのうちで一つの値として設定することができる。
【０１０３】
−ＵＥのＲＳＲＰ値が閾値より低い場合
−ｅＮＢが（専用（ｄｅｄｉｃａｔｅｄ）シグナリングによって）Ｄ２ＤＳＳ送信中断を指示しなかった場合。
【０１０４】
−ディスカバリーＵＥの場合、それぞれのディスカバリープールに対し、ディスカバリープールの一番目サブフレームがＤ２ＤＳＳリソースであるとき、以下の（一部又は全ての）条件が満たされれば該当のサブフレーム上でＤ２ＤＳＳを送信し、そうではないときにはディスカバリープールの開始点以前に存在する一番近いＤ２ＤＳＳリソース上で以下の（一部又は全ての）条件が満たされれば該当のサブフレーム上でＤ２ＤＳＳを送信する。
【０１０５】
・ＵＥの観点で、セルラー伝送と衝突しないサブフレーム
・ＵＥが他のＤ２ＤＳＳのためのスキャニングを行わない場合、
・ＵＥの能力（ｃａｐａｂｉｌｉｔｙ）などの前もって定義された条件を満たす場合
・ＵＥがディスカバリープール内でディスカバリーメッセージを送信する場合（ｔｈｅ  ＵＥ  ｔｒａｎｓｍｉｔｓ  ａ  ｄｉｓｃｏｖｅｒｙ  ｍｅｓｓａｇｅ  ｉｎ  ｔｈｅ  ｄｉｓｃｏｖｅｒｙ  ｐｏｏｌ）、
・ＵＥがＲＲＣ＿Ｃｏｎｎｅｃｔｅｄ状態であり、ｅＮＢが（専用（ｄｅｄｉｃａｔｅｄ）シグナリングによって）Ｄ２ＤＳＳ送信開始を指示し、及び／又は以下の条件が全て（又は一部）満たされる場合
−Ｄ２Ｄディスカバリー関連Ｄ２ＤＳＳ伝送のためのＲＳＲＰ閾値が設定され、該当の閾値がＳＩＢを介して設定された場合。ここで、一例として、閾値は｛−∞、−１１５、・・・、−６０（５単位で増加）、＋∞｝ｄＢｍのうちで一つの値として設定することができる。
【０１０６】
−ＵＥのＲＳＲＰ値が閾値より低い場合
−ｅＮＢが（専用（ｄｅｄｉｃａｔｅｄ）シグナリングによって）Ｄ２ＤＳＳ送信中断を指示しなかった場合。
【０１０７】
さらに、カバレージ外（又はｏｕｔ−ｎｅｔｗｏｒｋ（ｏｕｔ−ＮＷ））ＵＥについて説明する。カバレージ外ＵＥは二つ以上のＤ２ＤＳＳリソース上でＤ２ＤＳＳを送信することができない。ここで、一例として、二つのＤ２ＤＳＳリソースがカバレージ外（ｏｕｔ−ｏｆ−ｃｏｖｅｒａｇｅ）のために使われる。ここで、一例として、Ｄ２ＤＳＳリソース位置は（ＤＦＮ＃０に対して（又はＤＦＮ＃０を基準に））前もって設定されるか、シグナリングされることができる。
【０１０８】
一例として、Ｄ２Ｄ  ＲＸ  ＵＥが（前もって定義された上位階層シグナルによって）ｗ１／ｗ２の隣接セル（ＮＥＩＧＨＢＯＲ  ＣＥＬＬ）関連同期誤差情報を受信すれば、隣接セルＤ２Ｄリソース（例えば、ＮＥＩＧＨＢＯＲ  ＣＥＬＬ  Ｄ２ＤＳＳ  ＲＥＳＯＵＲＣＥ（及び／又はＮＥＩＧＨＢＯＲ  ＣＥＬＬ  ＤＩＳＣＯＶＥＲＹ  ＲＥＳＯＵＲＣＥ  ＰＯＯＬ））に対して±ｗ１／±ｗ２大きさのディスカバリー参照同期化ウィンドウ（ＤＩＳＣＯＶＥＲＹ  ＲＥＦＥＲＥＮＣＥ  ＳＹＮＣＨＲＯＮＩＺＡＴＩＯＮ  ＷＩＮＤＯＷ）を仮定することになる（表３参照）。
【０１０９】
【表３】
2020191666.tif 000012
【０１１０】
図１１は上述したカバレージ内ＵＥとカバレージ外ＵＥに対するＤ２ＤＳＳ  ＳＦ設定及びＤ２ＤＳＳ  ｒｅｌａｙ  ＳＦを説明するための参照図である。
【０１１１】
図１１を参照して説明すると、ｅＮＢのカバレージ内に存在するカバレージ内ＵＥ（例えば、ＵＥａ）に対しては一つのセルごとに最大１個のＤ２ＤＳＳリソース（例えば、Ｄ２ＤＳＳ  ＳＦ）が設定することができる。これに対し、ｅＮＢのカバレージ外に存在するカバレージ外ＵＥに対してはカバレージ内ＵＥのためのＤ２ＤＳＳリソースとアライン（ａｌｉｇｎ）される（一つの）Ｄ２ＤＳＳリソースとともに、Ｄ２ＤＳＳリレーのための（さらに他の）Ｄ２ＤＳＳリソース（例えば、Ｄ２ＤＳＳ  ｒｅｌａｙ  ＳＦ）が設定することができる。
【０１１２】
図１２はＤ２ＤＳＳが送信されるリソースプール（ｒｅｓｏｕｒｃｅ  ｐｏｏｌ）の位置を示す。図１２を参照して説明すると、ディスカバリープールの最初サブフレームの場合（ａ）、あるいはディスカバリープールの開始点以前に一番近いＤ２ＤＳＳリソースであるサブフレーム（ｂ）でＤ２ＤＳＳが送信されることができる。
【０１１３】
Ｄ２ＤＳＳが送信されるための条件は、カバレージ内ＵＥとカバレージ外ＵＥが互いに違うこともある。一例として、カバレージ内ＵＥの場合にはｉ）ｅＮＢから専用シグナリング（ｄｅｄｉｃａｔｅｄ  ｓｉｇｎａｌｉｎｇ）によって指示されるか、ｉｉ）（前もって設定されるか指示された）ＲＳＲＰ基準によってＤ２ＤＳＳ伝送可否が決定できる。一例として、カバレージ外ＵＥの場合には、ＰＳＢＣＨ（Ｐｈｙｓｉｃａｌ  Ｓｉｄｅｌｉｎｋ  Ｂｒｏａｄｃａｓｔ  ＣＨａｎｎｅｌ）ＤＭＲＳに対する（エネルギー）測定／検出に基づいてＤ２ＤＳＳ伝送可否が決定できる。ここで、一例として、（一定の領域／距離内で）一定の閾値以上の信号（例えば、ＰＳＢＣＨ  ＤＭＲＳ）が測定／検出されなければ（該当の一定領域／距離内に）同期ソースがないと判断し（独立的な同期ソース（ＩＳＳ）としての）Ｄ２ＤＳＳ伝送を遂行する。また、図１２では、説明の便宜のために、ディスカバリー（プール）関連Ｄ２ＤＳＳ伝送のみを中心に説明したが、本発明はＤ２Ｄ通信（例えば、ＳＡ、Ｄ２Ｄデータ）（プール）関連Ｄ２ＤＳＳ伝送にも拡張して適用可能である。
【０１１４】
上述した内容に基づき、ネットワーク内（ＩＮ−ＮＷ）ＵＥの動作について先に説明する。Ｄ２ＤＳＳ伝送はＤ２Ｄ支援（ｃａｐａｂｌｅ）ＵＥの選択的（ｏｐｔｉｏｎａｌ）な特徴となることができる。したがって、一例として、Ｄ２ＤＳＳ支援ＵＥのみがＤ２ＤＳＳを送信するようにすることが好ましい。
【０１１５】
ディスカバリー（ｄｉｓｃｏｖｅｒｙ）ＵＥの場合、それぞれのディスカバリー周期ごとに、単一サブフレーム上でＤ２ＤＳＳを送信する。このような動作はｉｎ−ＮＷ  ＵＥのみのために動作するディスカバリーによって遂行できる。すなわち、ｉｎ−ＮＷ  ＵＥがセルに同期化し、送信ＵＥと受信ＵＥの間の周波数エラーは制限され、単一サブフレームでのＤ２ＤＳＳ検出は充分に信頼できる。このような場合、Ｄ２ＤＳＳスキャニングのために、別個の条件は必要でなくても良い。これは、サービングセルが隣接セルのＤ２ＤＳＳリソースを提供し、多数のセルのＤ２ＤＳＳリソースはネットワーク設定によって時間上で分離されることができるからである。また、ＵＥはリソースプールでディスカバリー信号を送信することができないこともある。このような理由の一つはＷＡＮ  ＵＬ  ＴＸとの衝突のためである。
【０１１６】
したがって、前述したディスカバリー関連Ｄ２ＤＳＳ伝送条件の一つである“ＵＥがディスカバリープール内でディスカバリーメッセージを送信する場合（ｔｈｅ  ＵＥ  ｔｒａｎｓｍｉｔｓ  ａ  ｄｉｓｃｏｖｅｒｙ  ｍｅｓｓａｇｅ  ｉｎ  ｔｈｅ  ｄｉｓｃｏｖｅｒｙ  ｐｏｏｌ）”が“ＵＥがディスカバリープール内でディスカバリーメッセージを送信する意図（／意向）がある場合（ｔｈｅ  ＵＥ  ｉｎｔｅｎｄｓ  ｔｏ  ｔｒａｎｓｍｉｔ  ａ  ｄｉｓｃｏｖｅｒｙ  ｍｅｓｓａｇｅ  ｉｎ  ｔｈｅ  ｄｉｓｃｏｖｅｒｙ  ｐｏｏｌ）”に変更される必要がある。
【０１１７】
また、コミュニケーション（Ｃｏｍｍｕｎｉｃａｔｉｏｎ）に関連し、まずＤ２ＤＳＳがＳＡ送信以前に送信される必要があるかも考慮することができる（ここで、データはＳＡ送信以前に送信できない）。なぜなら、ＳＡ／データ周期内でＳＡサブフレーム以前にＤ２ＤＳＳリソースが存在しないこともあり、このような場合、ＳＡが先に送信され、以後にＤ２ＤＳＳが送信されることがあるからである。すなわち、ＳＡ受信以前に同期化される必要があれば、上述したディスカバリー（関連Ｄ２ＤＳＳ伝送）と類似の条件がさらに設定できる。
【０１１８】
しかし、このような場合、単一サブフレーム上のＤ２ＤＳＳ伝送は大きな初期化周波数オフセットを有することができるｏｕｔ−ＮＷ  ＵＥ（等）に対して信頼度ある同期化性能を提供することができないことがあり得る。よって、ＳＡ送信以前には複数のサブフレームでＤ２ＤＳＳが送信されることがより好ましい。ここで、一例として、該当の先行するＤ２ＤＳＳ伝送のために、時間的制限（ｔｉｍｅ  ｌｉｍｉｔａｔｉｏｎ）が必要であることもある。なぜなら、Ｄ２ＤＳＳサブフレームとＳＡサブフレームの間のタイムギャップ（ｔｉｍｅ  ｇａｐ）が大きい場合、ＵＥがＳＡ送信のインテンション（ｉｎｔｅｎｔｉｏｎ）を正確に予測しにくいからである。
【０１１９】
また、ＳＡ／データ周期内でＳＡあるいはデータを送信しない場合、Ｄ２ＤＳＳを送信するかについて説明する。コミュニケーションのためのＤ２ＤＳＳはｏｕｔ−ＮＷ  ＵＥが受信する必要があるから、ディスカバリーのための動作とコミュニケーションのための動作が互いに違う必要がある。具体的に、ｏｕｔ−ＮＷ  ＵＥは大きな周波数エラーを有することができるから、Ｄ２ＤＳＳ検出性能の信頼性が高くなければならない。
【０１２０】
ｏｕｔ−ＮＷ  ＵＥの早い同期化のために、ｉｎ−ＮＷ  ＵＥは少なくとも（前もって設定された）ある程度の区間の間にＤ２ＤＳＳを連続的に送信する必要がある。これにより、ｏｕｔ−ＮＷ  ＵＥは連続的なＤ２ＤＳＳ伝送サブフレームの集合で少なくとも一度はＤ２ＤＳＳを検出することができる。
【０１２１】
また、ｏｕｔ−ＮＷ  ＵＥが同期化参照（ｒｅｆｅｒｅｎｃｅ）選択及びＤ２ＤＳＳ伝送条件満足の判断のためのＤ２ＤＳＳ測定を遂行し、適切な（又は信頼性ある）測定が多くのＤ２ＤＳＳサブフレームを平均することが必要であるから、４０ｍｓの時間単位のＤ２ＤＳＳ送信のランダムオン−オフ（ｏｎ−ｏｆｆ）は避けることが好ましい。
【０１２２】
したがって、このために、仮に前もって設定された特定の条件が満たされれば、ＵＥがＳＡ／データ周期内でＳＡ又はＤ２Ｄデータを送信しなくても、Ｄ２ＤＳＳを送信するように設定できる。以下では、これを“連続的なＤ２ＤＳＳ伝送のための条件（ｃｏｎｄｉｔｉｏｎ  ｆｏｒ  ｃｏｎｔｉｎｕｉｎｇ  Ｄ２ＤＳＳ  ｔｒａｎｓｍｉｓｓｉｏｎ）”と名付ける。
【０１２３】
このような“連続的なＤ２ＤＳＳ伝送のための条件（ｃｏｎｄｉｔｉｏｎ  ｆｏｒ  ｃｏｎｔｉｎｕｉｎｇ  Ｄ２ＤＳＳ  ｔｒａｎｓｍｉｓｓｉｏｎ）”は、ＵＥが以前時点でＤ２ＤＳＳを送信したなら（前もって設定された）時間区間の間にＤ２ＤＳＳ伝送を続けて（又は連続して）遂行するという原理に基づくことができる。このような原理はｏｕｔ−ＮＷ  ＵＥのＤ２ＤＳＳ検出及び測定に役立つ連続的なＤ２ＤＳＳ伝送を保障することができる。
【０１２４】
したがって、本発明では、以下のオプション１−１〜オプション１−３を考慮することができ、図１３はオプション１−１〜オプション１−３を説明するための参照図である。図１３を参照して説明すると、
−オプション１−１：“Ｄ２ＤＳＳ  ｔｒａｎｓｍｉｓｓｉｏｎ  ｔｉｍｅｒ”を定義することができる。仮に、ＵＥが“ＳＡ又はＤ２Ｄデータが送信されるＳＡ又はＤ２Ｄデータ周期（ｐｅｒｉｏｄ）内のサブフレーム（ｔｈｅ  ｓｕｂｆｒａｍｅ  ｉｓ  ｗｉｔｈｉｎ  ｔｈｅ  ＳＡ  ｏｒ  Ｄ２Ｄ  ｄａｔａ  ｐｅｒｉｏｄ  ｉｎ  ｗｈｉｃｈ  ＳＡ  ｏｒ  ｄａｔａ  ｉｓ  ｔｒａｎｓｍｉｔｔｅｄ）”という条件によってサブフレーム＃ｎでＤ２ＤＳＳを送信する場合、該当のＵＥは送信すべきＳＡ／データがない場合であってもサブフレーム＃ｎ＋４０、＃ｎ＋８０、・・・、＃ｎ＋Ｋ＊４０でＤ２ＤＳＳを続けて（又は連続して）伝送することができる。ここで、Ｋは“Ｄ２ＤＳＳ  ｔｒａｎｓｍｉｓｓｉｏｎ  ｔｉｍｅｒ”に対応する。
【０１２５】
−オプション１−２：全てのＤＦＮレンジ（ＤＦＮ  ｒａｎｇｅ）は多数の時間パーティション（ｔｉｍｅ  ｐａｒｔｉｔｉｏｎ）に分割されることができる。ＤＦＮレンジが０から１０２３（すなわち、一つのＤ２Ｄフレームは１０ｍｓに対応する）であると仮定すれば、ＤＦＮパーティションｘはＤ２Ｄ  ｆｒａｍｅ  ｘ、ｘ＋１、．．．、ｘ＋Ｍ−１（すなわち、１０２４／Ｍ  ＤＦＮパーティションに分割された場合）を含む。仮に、ＤＦＮパーティションＸに含まれるサブフレームでＤ２ＤＳＳを送信すれば、ＵＥはＤＦＮパーティションｘ内の残っているＤ２ＤＳＳサブフレームでＤ２ＤＳＳを続けて（又は連続して）送信する。このようなオプションは、受信ＵＥが連結された（又は連関された）ＰＤ２ＤＳＣＨ上でＤＦＮをデコードした後、潜在的なＤ２ＤＳＳ伝送変更関連タイムインスタンス（ｔｉｍｅ  ｉｎｓｔａｎｃｅ）が分かる利点がある。
【０１２６】
−オプション１−３：“Ｄ２ＤＳＳ  ｍｅａｓｕｒｅｍｅｎｔ  ｐｅｒｉｏｄ”を定義することができ、特定のサブフレーム上でＤ２ＤＳＳを送信したＵＥは該当の特定サブフレームと連結されたＤ２ＤＳＳ測定区間（Ｄ２ＤＳＳ  ｍｅａｓｕｒｅｍｅｎｔ  ｐｅｒｉｏｄ）上でＤ２ＤＳＳを送信することになる。例えば、（ＵＥがＤ２ＤＳＳを送信した特定のサブフレームと）一番近いＤ２ＤＳＳ測定区間が（該当の特定サブフレームと）連結されたものであると定義することができる。
【０１２７】
上述した条件に関連し、ＵＥはＤ２ＤＳＳ伝送のための条件が満たされないサブフレームではＤ２ＤＳＳを送信しないように明確にする必要がある。ｅＮＢはＤ２ＤＳＳが送信されないサブフレームのサブセットを少なくとも把握し、このようなサブフレーム上のＤ２ＤＳＳリソースをセルラー（通信）伝送の用途に使うことができる。
【０１２８】
すなわち、カバレージ内ＵＥの場合、
−ＳＡ又はＤ２Ｄデータを送信するＵＥは、Ｄ２ＤＳＳリソース内の以下の（一部又は全ての）条件を満たす各サブフレーム上でＤ２ＤＳＳを送信する。
【０１２９】
・ＵＥの観点で、セルラー伝送と衝突しないサブフレーム
・Ｄ２ＤＳＳ支援（ｃａｐａｂｌｅ）ＵＥ
・ＳＡ又はＤ２Ｄデータが送信されるＳＡ又はＤ２Ｄデータ周期（ｐｅｒｉｏｄ）内のサブフレーム（ｔｈｅ  ｓｕｂｆｒａｍｅ  ｉｓ  ｗｉｔｈｉｎ  ｔｈｅ  ＳＡ  ｏｒ  Ｄ２Ｄ  ｄａｔａ  ｐｅｒｉｏｄ  ｉｎ  ｗｈｉｃｈ  ＳＡ  ｏｒ  ｄａｔａ  ｉｓ  ｔｒａｎｓｍｉｔｔｅｄ）、又は（／及び）ＵＥがＳＡを送信する意図（ｉｎｔｅｎｄ）があるサブフレームからＸｍｓ以内のサブフレーム、又は（／及び）“ｃｏｎｄｉｔｉｏｎ  ｆｏｒ  ｃｏｎｔｉｎｕｉｎｇ  Ｄ２ＤＳＳ  ｔｒａｎｓｍｉｓｓｉｏｎ”を満たすサブフレーム
・ＵＥがＲＲＣ＿Ｃｏｎｎｅｃｔｅｄ状態であり、ｅＮＢが（専用（ｄｅｄｉｃａｔｅｄ）シグナリングによって）Ｄ２ＤＳＳ送信開始を指示するか、又は（／及び）以下の条件が全て（又は一部）満たされる場合
−Ｄ２Ｄ通信関連Ｄ２ＤＳＳ伝送のためのＲＳＲＰ閾値が設定され、該当の閾値がＳＩＢを介して設定された場合。ここで、一例として、閾値は｛−∞、−１１５、・・・、−６０（５単位で増加）、＋∞｝ｄＢｍのうちで一つの値として設定できる。
【０１３０】
−ＵＥのＲＳＲＰ値が閾値より低い場合
−ｅＮＢが（専用（ｄｅｄｉｃａｔｅｄ）シグナリングによって）Ｄ２ＤＳＳ送信中断を指示しなかった場合。
【０１３１】
−ディスカバリーＵＥの場合、それぞれのディスカバリープールに対し、ディスカバリープールの一番目サブフレームがＤ２ＤＳＳリソースであるときに以下の（一部又は全ての）条件が満たされれば該当のサブフレーム上でＤ２ＤＳＳを送信し、そうではないときにはディスカバリープールの開始点以前に存在する一番近いＤ２ＤＳＳリソース上で以下の（一部又は全ての）条件が満たされれば該当のサブフレーム上でＤ２ＤＳＳを送信する。
【０１３２】
・ＵＥの観点で、セルラー伝送と衝突しないサブフレーム
・Ｄ２ＤＳＳ支援（ｃａｐａｂｌｅ）ＵＥ
・ＵＥがディスカバリープール内でディスカバリーメッセージを送信する意図（ｉｎｔｅｎｄ）がある場合
・ＵＥがＲＲＣ＿Ｃｏｎｎｅｃｔｅｄ状態であり、ｅＮＢが（専用（ｄｅｄｉｃａｔｅｄ）シグナリングによって）Ｄ２ＤＳＳ送信開始を指示し、及び／又は以下の条件が全て（又は一部）満たされる場合
−Ｄ２Ｄディスカバリー関連Ｄ２ＤＳＳ伝送のためのＲＳＲＰ閾値が設定され、該当の閾値がＳＩＢを介して設定された場合。ここで、一例として、閾値は｛−∞、−１１５、・・・、−６０（５単位で増加）、＋∞｝ｄＢｍのうちで一つの値として設定できる。
【０１３３】
−ＵＥのＲＳＲＰ値が閾値より低い場合
−ｅＮＢが（専用（ｄｅｄｉｃａｔｅｄ）シグナリングによって）Ｄ２ＤＳＳ送信中断を指示しなかった場合。
【０１３４】
−前記条件が満たされない場合、ＵＥはＤ２ＤＳＳを送信しない。
【０１３５】
また、“連続的なＤ２ＤＳＳ伝送のための条件（ｃｏｎｄｉｔｉｏｎ  ｆｏｒ  ｃｏｎｔｉｎｕｉｎｇ  Ｄ２ＤＳＳ  ｔｒａｎｓｍｉｓｓｉｏｎ）”のために、以下のオプション２−１〜オプション２−３、すなわち三つのオプションを考慮することができる。
【０１３６】
−オプション２−１：Ｄ２ＤＳＳタイマーが定義され、ＳＡ／データ伝送の条件によってＤ２ＤＳＳを送信したＵＥは前記タイマーが満了するまでＳＡ／データ伝送なしでＤ２ＤＳＳの伝送を維持することができる。
【０１３７】
−オプション２−２：全てのＤＦＮレンジは多数のＤＦＮパーティションに分割され、サブフレーム上でＤ２ＤＳＳを送信したＵＥはＤＦＮパーティションの間にＤ２ＤＳＳを送信する。
【０１３８】
−オプション２−３：Ｄ２ＤＳＳ測定区間が定義され、サブフレーム上でＤ２ＤＳＳを送信したＵＥは連結されたＤ２ＤＳＳ測定区間の間にＤ２ＤＳＳを送信する。
【０１３９】
また、Ｄ２ＤＳＳ受信のために、ディスカバリーのための参照同期化ウィンドウがコミュニケーション（ｃｏｍｍｕｎｉｃａｔｉｏｎ）のために適用されることもできる。これは、ディスカバリーとコミュニケーションが同じＤ２ＤＳＳリソースを共有するからである。ディスカバリーリソースプールを受信した後、ＵＥはディスカバリーのためのＤ２ＤＳＳ伝送の正確な位置を把握することができる。さらに、ｗ２の場合にＤ２ＤＳＳが省略されるか同期化ウィンドウの外で送信されることができるので、これを考慮し、同期化ウィンドウ内のＤ２ＤＳＳ（受信）関連ＵＥ仮定がｗ１の場合に制限されることもできる。
【０１４０】
したがって、“ＵＥ  ｅｘｐｅｃｔｓ  ｔｈａｔ  Ｄ２ＤＳＳ  ｉｎｄｉｃａｔｅｄ  ｂｙ  ｔｈｅ  ｒｅｓｏｕｒｃｅ  ｐｏｏｌ  ｃｏｎｆｉｇｕｒａｔｉｏｎ  ａｐｐｅａｒｓ  ｏｎｌｙ  ｗｉｔｈｉｎ  ｓｉｇｎａｌｅｄ  ｒｅｆｅｒｅｎｃｅ  ｓｙｎｃｈｒｏｎｉｚａｔｉｏｎ  ｗｉｎｄｏｗ  ｉｆ  ｗ１  ｉｓ  ｉｎｄｉｃａｔｅｄ”の原理に基づいて前記参照同期化ウィンドウはディスカバリー及びコミュニケーション（ｃｏｍｍｕｎｉｃａｔｉｏｎ）の両方に適用されることができる。
【０１４１】
ついで、ＯＵＴ−ＮＷ  ＵＥについて説明する。一例として、ＯＵＴ−ＮＷ  ＵＥが追跡（ｔｒａｃｋ）する必要があるＤ２ＤＳＳの個数を最小化することが重要である。すなわち、ＵＥは制限された個数のＤ２ＤＳＳのみを追跡することができるので、入って来る（ｉｎｃｏｍｉｎｇ）ＳＡ及びデータと連関されたＤ２ＤＳＳの個数が制限を超える場合にはＵＥが全ての入って来る（ｉｎｃｏｍｉｎｇ）ＳＡ及びデータを受信することができない。
【０１４２】
したがって、相異なるタイミングを追跡するＵＥの能力が制限されているので、以下のＵＥ動作に対して考慮して見る必要がある。すなわち、
１）Ｄ２ＤＳＳと同期化されたＵＥは共通タイミング（ｃｏｍｍｏｎ  ｔｉｍｉｎｇ）を共有する同期化クラスターを作るために同じＤ２ＤＳＳを送信する。
【０１４３】
２）ただ、データ伝送（ｄａｔａ  ＴＸ）ＵＥのみがＩＳＳ（Ｉｎｄｅｐｅｎｄｅｎｔ  Ｓｙｎｃｈｒｏｎｉｚａｔｉｏｎ  Ｓｏｕｒｃｅ）となることができる。
【０１４４】
３）仮に、以前区間（ｐｒｅｖｉｏｕｓ  ｐｅｒｉｏｄ）で特定のシーケンスを送信したなら、ＩＳＳはＤ２ＤＳＳ再選択時に同一のＤ２ＤＳＳシーケンスを除く。
【０１４５】
したがって、ＯＵＴ−ＮＷ  ＵＥのためのＤ２ＤＳＳシーケンス選択過程は以下のような３段階で決定される。ここで、一例として、以下では、説明の便宜のために、“ａ  ｓｅｔ  ｏｆ  Ｄ２ＤＳＳ  ｓｅｑｕｅｎｃｅ（ｓ）  ｔｒａｎｓｍｉｔｔｅｄ  ｂｙ  ＵＥ  ｗｈｅｎ  ｔｈｅ  ｔｒａｎｓｍｉｓｓｉｏｎ  ｔｉｍｉｎｇ  ｒｅｆｅｒｅｎｃｅ  ｉｓ  ａｎ  ｅＮＢ”をＤ２ＤＳＳ＿ｎｅｔと言い、“ａ  ｓｅｔ  ｏｆ  Ｄ２ＤＳＳ  ｓｅｑｕｅｎｃｅ（ｓ）  ｔｒａｎｓｍｉｔｔｅｄ  ｂｙ  ＵＥ  ｗｈｅｎ  ｔｈｅ  ｔｒａｎｓｍｉｓｓｉｏｎ  ｔｉｍｉｎｇ  ｒｅｆｅｒｅｎｃｅ  ｉｓ  ｎｏｔ  ａｎ  ｅＮＢ”をＤ２ＤＳＳｕｅ＿ｏｏｎと言う。
【０１４６】
段階１：仮に、ＯＵＴ−ＮＷ  ＵＥが自分の送信タイミングレファレンスとしてＤ２ＤＳＳｕｅ＿ｎｅｔのＤ２ＤＳＳＸを選択したなら、ＵＥはＤ２ＤＳＳｕｅ＿ｏｏｎでＤ２ＤＳＳ  Ｙを選択し、Ｄ２ＤＳＳを送信するとき、選択されたＤ２ＤＳＳ  Ｙを送信する。このような選択はランダムになされるか、あるいはＵＥは送信タイミングレファレンス選択過程で検出されたＤ２ＤＳＳを選択することを回避／防止することができる。
【０１４７】
段階２：仮に、ＵＥが自分の送信タイミングレファレンスとしてＤ２ＤＳＳｕｅ＿ｏｏｎのＤ２ＤＳＳ  Ｚを選択すれば、ＵＥは同じＤ２ＤＳＳ  ＺをＤ２ＤＳＳの送信時に送信する。
【０１４８】
段階３：仮に、ＵＥが送信すべきＤ２Ｄデータトラフィックを持っていれば、Ｄ２ＤＳＳｕｅ＿ｏｏｎでランダムに選択されたＤ２ＤＳＳを用いてＩＳＳ（Ｉｎｄｅｐｅｎｄｅｎｔ  Ｓｙｎｃｈｒｏｎｉｚａｔｉｏｎ  Ｓｏｕｒｃｅ）となることができる。
【０１４９】
段階２は上述したＤ２ＤＳＳと同期化されたＵＥは共通タイミング（ｃｏｍｍｏｎ  ｔｉｍｉｎｇ）を共有する同期化クラスターを作るために同じＤ２ＤＳＳを送信するという点を考慮し、システム上のＤ２ＤＳＳの個数を減少させるＤ２ＤＳＳリレー動作を可能にする。
【０１５０】
また、仮に、以前区間（ｐｒｅｖｉｏｕｓ  ｐｅｒｉｏｄ）で特定のシーケンスを送信したなら、ＩＳＳはＤ２ＤＳＳ再選択時に同一のＤ２ＤＳＳシーケンスを除くという点を考慮し、Ｄ２ＤＳＳ  Ｚの伝送を遂行した（又は始めた）ＩＳＳは、段階２で、他のＤ２ＤＳＳと同期化されることができるようにするために、Ｄ２ＤＳＳ  Ｚが検出されなかったと仮定する。言い換えれば、ＩＳＳは再選択過程を遂行する前に自分が送信したＤ２ＤＳＳではない他のＤ２ＤＳＳが再選択過程中に検出されなかった場合にのみＩＳＳ動作を維持することができる。このような過程の後、ＯＵＴ−ＮＷ  ＵＥはＤ２ＤＳＳ送信時に使われるＤ２ＤＳＳシーケンスを決定することができる。
【０１５１】
また、本発明では“ｄｅｔｅｃｔｉｎｇ  Ｄ２ＤＳＳ”に対して具体的に定義する。これは、仮に連関された（ａｓｓｏｃｉａｔｅｄ）ＰＤ２ＤＳＣＨが正確にデコードされないかＰＤ２ＤＳＣＨ受信品質が非常に悪い場合、Ｄ２ＤＳＳが検出されたと見なし、信頼できる（ｒｅｌｉａｂｌｅ）同期化ソースとして使われることは適切ではないからである。具体的に、仮に連関されたＰＤ２ＤＳＣＨ受信品質（例えば、ＰＤ２ＤＳＣＨ  ＤＭ  ＲＳのＲＳＲＱ）が特定のレベルより低い場合、ＵＥはＤ２ＤＳＳが検出されなかったと（よって、該当のＤ２ＤＳＳがＵＥのＤ２Ｄ同期化過程に影響を及ぼさない）仮定することができる。
【０１５２】
したがって、本発明によると、Ｄ２ＤＳＳシーケンス選択のために以下の設定を適用することができる。
【０１５３】
・仮に、ＵＥが自分の送信タイミング参照としてＤ２ＤＳＳｕｅ＿ｏｏｎを選択すれば、同じＤ２ＤＳＳを送信する。
【０１５４】
・ＵＥは同じＤ２ＤＳＳを送信するＵＥが同期化されたと仮定する。
【０１５５】
前記過程によって選択されたＤ２ＤＳＳシーケンスを用いてＯＵＴ−ＮＷ  ＵＥがＤ２ＤＳＳを送信する条件についてさらに説明する。基本的に、ｉｎ−ＮＷ  ＵＥのためのＤ２ＤＳＳ送信条件公式（ｆｏｒｍｕｌａｔｉｏｎ）を再使用することができる。ＩＳＳではないＵＥの場合、他のＵＥからのＤ２ＤＳＳが検出される場合、自分のＳＡ／データ送信可否にかかわらずＤ２ＤＳＳが送信される。すなわち、Ｎｏｎ−ＩＳＳ  ＵＥのＤ２ＤＳＳ送信のために更なる条件が必要であることもある。例えば、ＲＳＲＰ閾値がＤ２ＤＳＳ測定閾値を代わることができ、さらにｅＮＢ設定部分が除去（ｒｅｍｏｖｅｄ）されることができる。
【０１５６】
ＯＵＴ−ＮＷ  ＵＥの信頼できる（ｒｅｌｉａｂｌｅ）Ｄ２ＤＳＳ検出及び測定のために、前述したＳＡ送信よりＤ２ＤＳＳ送信が先に行われることとＤ２ＤＳＳ送信維持の条件が同様に必要であることがあり得る。
【０１５７】
したがって、本発明によると、一つのサブフレーム内でＯＵＴ−ＮＷ  ＵＥがＤ２ＤＳＳを送信するかを決定する条件に対して以下のように設定することができる。
【０１５８】
・カバレージ外ＵＥの場合、
−ＵＥが独立的な同期化ソース（ｓｙｎｃｈｒｏｎｉｚａｔｉｏｎ  ｓｏｕｒｃｅ）（すなわち、ＩＳＳ）の場合、Ｄ２ＤＳＳ送信のために自分が選択したＤ２ＤＳＳリソース上のそれぞれのサブフレームが、仮に、ｉ）ＳＡ又はＤ２Ｄデータが送信されるＳＡ又はＤ２Ｄデータ周期内のサブフレームである場合、ｉｉ）ＵＥがＳＡを送信する意図（ｉｎｔｅｎｄ）があるサブフレームからＸｍｓ以内のサブフレームの場合、又は（／及び）ｉｉｉ）“ｃｏｎｄｉｔｉｏｎ  ｆｏｒ  ｃｏｎｔｉｎｕｉｎｇ  Ｄ２ＤＳＳ  ｔｒａｎｓｍｉｓｓｉｏｎ”を満たすサブフレームの場合には該当のサブフレーム上でＤ２ＤＳＳを送信しなければならない。
【０１５９】
−ＵＥが独立的な同期化ソース（ｓｙｎｃｈｒｏｎｉｚａｔｉｏｎ  ｓｏｕｒｃｅ）ではない場合、自分の送信同期化参照を受信するのに使われないＤ２ＤＳＳリソース上のそれぞれのサブフレームで、仮に、ｉ）サブフレームがＳＡ又はＤ２Ｄデータが送信されるＳＡ又はＤ２Ｄデータ周期内のサブフレームである場合、ＵＥがＳＡを送信する意図（ｉｎｔｅｎｄ）があるサブフレームからＸｍｓ以内のサブフレームである場合、又は（／及び）“ｃｏｎｄｉｔｉｏｎ  ｆｏｒ  ｃｏｎｔｉｎｕｉｎｇ  Ｄ２ＤＳＳ  ｔｒａｎｓｍｉｓｓｉｏｎ”を満たすサブフレームである場合又は（／及び）（前もって設定された）タイムウィンドウ内に自分の送信同期化参照のＤ２ＤＳＳが検出された場合、又は（／及び）ｉｉ）送信タイミングレファレンスのＤ２ＤＳＳ測定が閾値より低い場合にはＤ２ＤＳＳを送信しなければならない。
【０１６０】
また、Ｄ２ＤＳＳ送信リソースはただ２個のＤ２ＤＳＳリソースが設定され、ｏｕｔ−ＮＷ  ＵＥは一つのＤ２ＤＳＳリソース上で自分の同期参照からＤ２ＤＳＳを受信し、残りのＤ２ＤＳＳリソース上でＤ２ＤＳＳを送信する。
【０１６１】
また、カバレージ外ＵＥの場合、周期的に現れる同期化リソースがＤ２ＤＳＳ伝送に使われる。ここで、一例として、Ｄ２ＤＳＳ伝送時、ＰＤ２ＤＳＣＨ（支援する場合）が送信されることもできる。また、一例として、同期化リソースの大きさは前もって定義されることができ、同期化リソースの周期も前もって設定することができる。
【０１６２】
Ｄ２Ｄ同期化ソースが同期化リソース上でＤ２ＤＳＳを送信するとき、少なくとも一つの同期化リソースでＤ２ＤＳＳを送信し、少なくとも他の同期化リソース（等）でＤ２ＤＳＳを受信する。ここで、Ｄ２ＤＳＳを送信（及び／又は受信）する同期化リソースは前もって設定することもできる。更なる一例として、Ｄ２ＤＳＳ受信を同期化リソースとＤ２ＤＳＳ送信のための同期化リソースの間の時間（ｔｉｍｉｎｇ）オフセットが設定することができる。
【０１６３】
したがって、本発明によると、他のＵＥからのＤ２ＤＳＳ受信を確かにするために、ＵＥは自分のＤ２ＤＳＳ伝送のために使われない（Ｄ２ＤＳＳ）サブフレームで何の（他の）Ｄ２Ｄシグナル／チャネルも送信してはいけない。
【０１６４】
また、ＵＥがＤ２ＤＳＳ再選択過程を遂行するとき、Ｄ２Ｄ−中断区間（Ｄ２Ｄ−ｓｉｌｅｎｔ  ｐｅｒｉｏｄ）が必要であるかについて説明する。同期化リソースが周期的な形態で現れ、ＵＥは自分のＤ２ＤＳＳ伝送のために使われる同期化リソースを除いては（他の）同期化リソース上で何の（他の）Ｄ２Ｄシグナル／チャネル送信も遂行しないと言っても、（自分のＤ２ＤＳＳ伝送のために使わない同期化リソースでは）該当の周期的な同期化リソースに同期化されなかったｅＮＢ及びＵＥからのＤ２ＤＳＳ伝送があり得る。したがって、ＵＥが潜在的な（ｐｏｔｅｎｔｉａｌ）非同期的Ｄ２ＤＳＳに対するスキャンを効率的に遂行するために、近接したＤ２Ｄ  ＵＥの伝送から邪魔されない（又は干渉されない）Ｄ２Ｄスキャニングのための“Ｄ２Ｄ−ｓｉｌｅｎｔ  ｐｅｒｉｏｄ”が定義される必要がある。仮に、このような区間が定義されない場合、ＯＵＴ−ＮＷ  ＵＥは他のＯＵＴ−ＮＷ  ＵＥからの干渉によって、ｅＮＢ又はｉｎ−ＮＷ  ＵＥから送信される、弱いが優先順位の高いＤ２ＤＳＳを検出することができないことがあり得る。
【０１６５】
したがって、本発明では、Ｄ２ＤＳＳ周期長の倍数として定義される“Ｄ２Ｄ−ｓｉｌｅｎｔ  ｐｅｒｉｏｄ”を定義し、ｏｕｔ−ＮＷ  ＵＥの他の同期化ソースに対するスキャニングを支援することができる。
【０１６６】
前述した内容に基づき、以下では単一受信チェーン（ＳＩＮＧＬＥ  ＲＸ  ＣＨＡＩＮ）のＤ２Ｄ  ＲＸ  ＵＥ（すなわち、“ＳＲＸＣＨ＿Ｄ２Ｄ  ＲＸ  ＵＥ”）がＤ２Ｄ  ＤＩＳＣＯＶＥＲＹ  ＳＩＧＮＡＬ受信時に仮定するＷＡＮ  ＤＬシグナル受信動作について説明する。
【０１６７】
【表４】
2020191666.tif 000013
【０１６８】
また、Ｄ２Ｄ  ＲＸ  ＵＥのインタ−セルディスカバリー信号（ＩＮＴＥＲ−ＣＥＬＬ  ＤＩＳＣＯＶＥＲＹ  ＳＩＧＮＡＬ）（又は隣接セルディスカバリー信号（ＮＥＩＧＨＢＯＲ  ＣＥＬＬ  ＤＩＳＣＯＶＥＲＹ  ＳＩＧＮＡＬ））受信のための同期（ＳＹＮＣＨＲＯＮＩＺＡＴＩＯＮ）仮定／設定に対する一例は表３のようである。一例として、Ｄ２Ｄ  ＲＸ  ＵＥが（前もって定義された上位階層シグナルによって）ｗ１／ｗ２の隣接セル（ＮＥＩＧＨＢＯＲ  ＣＥＬＬ）関連同期誤差情報を受信すれば、隣接セルＤ２Ｄリソース（例えば、ＮＥＩＧＨＢＯＲ  ＣＥＬＬ  Ｄ２ＤＳＳ  ＲＥＳＯＵＲＣＥ（及び／又はＮＥＩＧＨＢＯＲ  ＣＥＬＬ  ＤＩＳＣＯＶＥＲＹ  ＲＥＳＯＵＲＣＥ  ＰＯＯＬ））に対して±ｗ１／±ｗ２大きさのディスカバリー参照同期化ウィンドウ（ＤＩＳＣＯＶＥＲＹ  ＲＥＦＥＲＥＮＣＥ  ＳＹＮＣＨＲＯＮＩＺＡＴＩＯＮ  ＷＩＮＤＯＷ）を仮定することになる（表３参照）。
【０１６９】
具体的な一例として、サービングセルＳＦ＃Ｎ上に隣接セルＤ２ＤＳＳリソースが設定された場合、Ｄ２Ｄ  ＲＸ  ＵＥは‘ＳＦ＃Ｎ−ｗ１’から‘ＳＦ＃Ｎ＋ｗ１’までの範囲内に隣接セルＤ２ＤＳＳが受信されることができると仮定することになる。また、Ｄ２Ｄ  ＲＸ  ＵＥが（前もって定義された上位階層シグナルによって）ｗ２の隣接セル関連同期誤差情報を受信すれば、隣接セルディスカバリーリソースに対して±ｗ２大きさのディスカバリー参照同期化ウィンドウを仮定することになる。具体的な一例として、サービングセルＳＦ＃Ｋ上に隣接セルディスカバリーリソースが設定された場合、Ｄ２Ｄ  ＲＸ  ＵＥは‘ＳＦ＃Ｋ−ｗ２’から‘ＳＦ＃Ｋ＋ｗ２’までの範囲内に隣接セルディスカバリーが受信されることができると仮定することになる。
【０１７０】
以下、本発明の提案方法では、Ｄ２Ｄコミュニケーションが行われる環境の下で、単一ＲＸチェーン（ＳＩＮＧＬＥ  ＲＸ  ＣＨＡＩＮ）のＤ２Ｄ  ＲＸ  ＵＥが前もって設定されるかシグナリングされたＤ２Ｄ信号リソースプール上でのＤ２Ｄ信号（Ｓ）及び／又は（該当のＤ２Ｄ信号リソースプールと連結された）Ｄ２ＤＳＳ（Ｓ）を受信するとき、時間領域の側面で少なくとも一部（すなわち、一部又は全部）が重なるＤＬ  ＳＦ（Ｓ）上での効率的なＷＡＮ下りリンク信号（等）受信方法を提案する。
【０１７１】
以下では、説明の便宜のために、単一ＲＸチェーン（ＳＩＮＧＬＥ  ＲＸ  ＣＨＡＩＮ）のＤ２Ｄ  ＲＸ  ＵＥを“ＳＲＸＣＨ＿Ｄ２Ｄ  ＲＸ  ＵＥ”と名付ける。ここで、一例として、本発明において“ＳＲＸＣＨ＿Ｄ２Ｄ  ＲＸ  ＵＥ”という用語はＷＡＮ  ＤＬ  ＳＩＧＮＡＬ／ＣＨＡＮＮＥＬ及び／又はＤ２Ｄ  ＳＩＧＮＡＬ／ＣＨＡＮＮＥＬ関連同時受信動作遂行時に必要なＲＸチェーン個数に比べて相対的に少ない個数のＲＸチェーンを有するＵＥにも（拡張）解釈されることができる。また、一例として、ＳＲＸＣＨ＿Ｄ２Ｄ  ＲＸ  ＵＥは一つのみであるＲＸ  ＣＨＡＩＮによって、相異なるキャリア（又は周波数帯域）上で少なくとも一部（すなわち、一部又は全部）が重なる時間リソース領域で送信されるＤ２Ｄ信号（等）（すなわち、ＵＬ  ＣＡＲＲＩＥＲ＃Ｘ）とＷＡＮ下りリンク信号（等）（すなわち、ＵＬ  ＣＡＲＲＩＥＲ＃Ｘとペアリング（ＰＡＩＲＩＮＧ）されたＤＬ  ＣＡＲＲＩＥＲ＃Ｘ）、又はＤ２ＤＳＳ（Ｓ）とＷＡＮ下りリンク信号（等）を同時に受信することが難しい。例えば、該当のＳＲＸＣＨ＿Ｄ２Ｄ  ＲＸ  ＵＥは単一ＲＸチェーン（ＳＩＮＧＬＥ  ＲＸ  ＣＨＡＩＮ）のキャリア（又は周波数帯域）スイッチング動作によって、相異なるキャリア（又は周波数帯域）上の他の時間リソース領域で送信されるｉ）Ｄ２Ｄ信号（等）（／Ｄ２ＤＳＳ（Ｓ））とＷＡＮ下りリンク信号（等）又はｉｉ）Ｄ２ＤＳＳ（Ｓ）とＷＡＮ下りリンク信号（等）を受信することになる。
【０１７２】
また、時間領域の側面で少なくとも一部（すなわち、一部又は全部）が重なるＤＬ  ＳＦ（Ｓ）はｉ）Ｄ２Ｄ信号リソースプール設定関連ビットマップが適用される時間区間内の全てのＳＦ（Ｓ）と時間リソース領域上で少なくとも一部（すなわち、一部又は全部）が重なるＤＬ  ＳＦ（Ｓ）、又はｉｉ）（Ｄ２Ｄ信号リソースプール又はＤ２Ｄ信号（等）受信関連の有効な）Ｄ２ＤＳＳ（Ｓ）と時間リソース領域上で少なくとも一部（すなわち、一部又は全部）が重なるＤＬ  ＳＦ（Ｓ）、又はｉｉｉ）（表４で現れた）Ｄ２Ｄ信号リソースプール以前（ＰＲＥＣＥＤＩＮＧ）の一つのＳＦ及び以後（ＦＯＬＬＯＷＩＮＧ）の一つのＳＦ（すなわち、単一ＲＸチェーン（ＳＩＮＧＬＥ  ＲＸ  ＣＨＡＩＮ）のキャリア（又は周波数帯域）スイッチング動作に必要な時間を保障するためのＳＦ（Ｓ））と時間リソース領域上で少なくとも一部（すなわち、一部又は全部）が重なるＤＬ  ＳＦ（Ｓ）又はｉｖ）Ｄ２Ｄ信号リソースプール設定関連ビットマップが適用される時間区間内のＳＦ（Ｓ）内に実際にＤ２Ｄ  ＳＦ（Ｓ）として設定されたＳＦ（Ｓ）と時間リソース領域上で少なくとも一部（すなわち、一部又は全部）が重なるＤＬ  ＳＦ（Ｓ）又はｖ）（Ｄ２Ｄ信号リソースプール又はＤ２Ｄ信号（等）受信関連の有効な）Ｄ２ＤＳＳ（Ｓ）以前（ＰＲＥＣＥＤＩＮＧ）の一つのＳＦ及び以後（ＦＯＬＬＯＷＩＮＧ）の一つのＳＦ（すなわち、単一ＲＸチェーン（ＳＩＮＧＬＥ  ＲＸ  ＣＨＡＩＮ）のキャリア（又は周波数帯域）スイッチング動作に必要な時間を保障するためのＳＦ（Ｓ））と時間リソース領域上で少なくとも一部（すなわち、一部又は全部）が重なるＤＬ  ＳＦ（Ｓ）の少なくとも一つと解釈されることができる。
【０１７３】
以下で、説明の便宜のために、このようなＤＬ  ＳＦ（Ｓ）を“ＩＮＶ＿ＤＬ  ＳＦ（Ｓ）”（又は“ＤＬ  ＧＡＰ”）と名付ける。また、ＳＲＸＣＨ＿Ｄ２Ｄ  ＲＸ  ＵＥはＤ２Ｄ信号（等）／Ｄ２ＤＳＳ（Ｓ）受信時に該当のＩＮＶ＿ＤＬ  ＳＦ（Ｓ）（又はＤＬ  ＧＡＰ）上でＷＡＮ下りリンク信号（等）受信を遂行しないと解釈することもできる。また、前もって設定されるかシグナリングされたＤ２Ｄ信号リソースプールは、サービングセル関連Ｄ２Ｄ信号リソースプール及び／又は隣接セル関連Ｄ２Ｄ信号リソースプールの少なくとも一つと解釈されることができる。また、ｉ）Ｄ２Ｄ  ＳＡ受信又はｉｉ）Ｄ２Ｄ  ＤＡＴＡ受信又はｉｉｉ）Ｄ２Ｄ  ＤＩＳＣＯＶＥＲＹ  ＳＩＧＮＡＬ受信又はｉｖ）Ｄ２Ｄディスカバリープールに関連した少なくとも一つの有効なＤ２ＤＳＳリソース位置は上述したＤ２ＤＳＳリソース設定によって仮定されることができる。
【０１７４】
以下、本発明の実施例はＳＲＸＣＨ＿Ｄ２Ｄ  ＲＸ  ＵＥが前もって設定されるかシグナリングされた（サービングセル／隣接セル）Ｄ２Ｄ信号リソースプール上でディスカバリー信号（等）及び／又は（該当（サービングセル／隣接セル）Ｄ２Ｄ信号リソースプールと連結された）Ｄ２ＤＳＳ（Ｓ）を受信する状況を仮定する。しかし、本発明の提案方法が他の形態のＤ２Ｄ信号（例えば、Ｄ２Ｄ  ＣＯＭＭＵＮＩＣＡＴＩＯＮ  ＳＩＧＮＡＬ）受信状況でも拡張して適用することができる。また、以下の提案方法はＦＤＤキャリアに基づくＤ２Ｄ信号／Ｄ２ＤＳＳ受信動作のためにのみ限定的に適用されるように設定することもできる。
【０１７５】
＜方法１＞
本発明によると、ＳＲＸＣＨ＿Ｄ２Ｄ  ＲＸ  ＵＥが（サービングセル／隣接セル）Ｄ２Ｄ信号リソースプールと連結されたＤ２ＤＳＳ（Ｓ）を受信するとき、ｉ）該当のＤ２ＤＳＳリソース（等）（又はＤ２ＤＳＳＳＦ（Ｓ））と時間リソース領域上で少なくとも一部（すなわち、一部又は全部）が重なるＤＬ  ＳＦ（Ｓ）だけでなく、ｉｉ）Ｄ２ＤＳＳリソース（等）（又はＤ２ＤＳＳＳＦ（Ｓ））以前（ＰＲＥＣＥＤＩＮＧ）の一つのＳＦ及び以後（ＦＯＬＬＯＷＩＮＧ）の一つのＳＦ（すなわち、単一ＲＸチェーン（ＳＩＮＧＬＥ  ＲＸ  ＣＨＡＩＮ）のキャリア（又は周波数帯域）スイッチング動作に必要な時間を保障するためのＳＦ（Ｓ））と時間リソース領域上で少なくとも一部（すなわち、一部又は全部）が重なるＤＬ  ＳＦ（Ｓ）もＩＮＶ＿ＤＬ  ＳＦ（Ｓ）と仮定するように設定することもできる。
【０１７６】
また、ＳＲＸＣＨ＿Ｄ２Ｄ  ＲＸ  ＵＥが前もって設定されるかシグナリングされた隣接セルディスカバリーリソースプール上でディスカバリー信号（等）及び／又は（該当の隣接セルディスカバリーリソースプールと連結された）Ｄ２ＤＳＳ（Ｓ）を受信するとき、ＩＮＶ＿ＤＬ  ＳＦ（Ｓ）は以下の少なくとも一部（すなわち、一部又は全部）の規則に従って定義／設定することができる。
【０１７７】
以下で、ＳＲＸＣＨ＿Ｄ２Ｄ  ＲＸ  ＵＥが（前もって定義された上位階層シグナルによって）ｗ１（又はｗ２）の隣接セル関連同期誤差情報を受信（表４参照）した状況を仮定した。このような場合、該当のｉ）ＳＲＸＣＨ＿Ｄ２Ｄ  ＲＸ  ＵＥは‘ＳＦ＃Ｎ−ｗ１’から‘ＳＦ＃Ｎ＋ｗ１’までの範囲内（すなわち、サービングセルＳＦ＃Ｎ上に隣接セルＤ２ＤＳＳリソースが設定された場合）に隣接セルＤ２ＤＳＳが受信されることができると仮定するか、又はｉｉ）ＳＲＸＣＨ＿Ｄ２Ｄ  ＲＸ  ＵＥは‘ＳＦ＃Ｋ−ｗ２’から‘ＳＦ＃Ｋ＋ｗ２’までの範囲内（すなわち、サービングセルＳＦ＃Ｋ上に隣接セルディスカバリーリソースが設定された場合に隣接セルディスカバリーが受信されることができると仮定することになる。
【０１７８】
（例示１−１）
本発明の第１実施例によると、ＳＲＸＣＨ＿Ｄ２Ｄ  ＲＸ  ＵＥはＤ２Ｄ  ＲＸ隣接セル関連同期誤差のため、隣接セルＤ２ＤＳＳ受信（又は検出）のために‘ＳＦ＃Ｎ−ｗ１’から‘ＳＦ＃Ｎ＋ｗ１’までの領域（すなわち、サービングセルＳＦ＃Ｎ上に隣接セルＤ２ＤＳＳリソースが設定された場合）をブラインド探索（ＢＬＩＮＤ  ＳＥＡＲＣＨ）しなければならない。
【０１７９】
このような動作のために、ＳＲＸＣＨ＿Ｄ２Ｄ  ＲＸ  ＵＥが（前もって設定されるかシグナリングされた隣接セルディスカバリーリソースプールと連結された）隣接セルＤ２ＤＳＳを受信するとき、ｉ）‘ＳＦ＃Ｎ−ＣＥＩＬＩＮＧ（ｗ１）’から‘ＳＦ＃Ｎ＋ＣＥＩＬＩＮＧ（ｗ１）’までの領域と時間リソース領域上で少なくとも一部（すなわち、一部又は全部）が重なるＤＬ  ＳＦ（Ｓ）だけでなく、ｉｉ）該当‘ＳＦ＃Ｎ−ＣＥＩＬＩＮＧ（ｗ１）’から‘ＳＦ＃Ｎ＋ＣＥＩＬＩＮＧ（ｗ１）’までの領域以前（ＰＲＥＣＥＤＩＮＧ）の一つのＳＦ及び以後（ＦＯＬＬＯＷＩＮＧ）の一つのＳＦ（すなわち、単一ＲＸチェーン（ＳＩＮＧＬＥ  ＲＸ  ＣＨＡＩＮ）のキャリア（又は周波数帯域）スイッチング動作に必要な時間を保障するためのＳＦ（Ｓ））と時間リソース領域上で少なくとも一部（すなわち、一部又は全部）が重なるＤＬ  ＳＦ（Ｓ）もＩＮＶ＿ＤＬ  ＳＦ（Ｓ）と仮定するように設定することができる。
【０１８０】
言い替えれば、ＳＲＸＣＨ＿Ｄ２Ｄ  ＲＸ  ＵＥは‘ＳＦ＃Ｎ−ＣＥＩＬＩＮＧ（ｗ１）−１’から‘ＳＦ＃Ｎ＋ＣＥＩＬＩＮＧ（ｗ１）＋１’までの領域と時間リソース領域上で少なくとも一部（すなわち、一部又は全部）が重なるＤＬ  ＳＦ（Ｓ）をＩＮＶ＿ＤＬ  ＳＦ（Ｓ）と仮定することになる。ここで、ＣＥＩＬＩＮＧ（Ｘ）はＸより大きいか同じ最小整数を導出する関数を示す。
【０１８１】
さらに他の一例として、同じ状況の下で、（ｗ１値が前もって設定されるかシグナリングされた閾値より小さい場合、すなわちキャリア（又は周波数帯域）スイッチング動作に必要な時間が更なるＩＮＶ＿ＤＬ  ＳＦ（Ｓ）設定なしにも確保される場合）ＳＲＸＣＨ＿Ｄ２Ｄ  ＲＸ  ＵＥに最終的に‘ＳＦ＃Ｎ−ＣＥＩＬＩＮＧ（ｗ１）’から‘ＳＦ＃Ｎ＋ＣＥＩＬＩＮＧ（ｗ１）’までの領域と時間リソース領域上で少なくとも一部（すなわち、一部又は全部）が重なるＤＬ  ＳＦ（Ｓ）をＩＮＶ＿ＤＬ  ＳＦ（Ｓ）と仮定するように設定することもできる。
【０１８２】
さらに他の一例として、（同じ状況の下で）ＳＲＸＣＨ＿Ｄ２Ｄ  ＲＸ  ＵＥはＤ２Ｄ  ＲＸ隣接セル関連同期誤差のため、隣接セルディスカバリー受信／検出のために‘ＳＦ＃Ｐ−ｗ１’から‘ＳＦ＃Ｐ＋ｗ１’までの領域（すなわち、サービングセルＳＦ＃Ｐ上に隣接セルディスカバリーリソースが設定された場合）をブラインド探索しなければならない。
【０１８３】
ここで、このような動作のために、ＳＲＸＣＨ＿Ｄ２Ｄ  ＲＸ  ＵＥはｉ）‘隣接セルディスカバリープール上の一番目（ＳＴＡＲＴＩＮＧ）ＳＦ−ＣＥＩＬＩＮＧ（ｗ１）−１’から‘隣接セルディスカバリープール上の最後（ＥＮＤＩＮＧ）ＳＦ＋ＣＥＩＬＩＮＧ（ｗ１）＋１’までの領域と時間リソース領域上で少なくとも一部（すなわち、一部又は全部）が重なるＤＬ  ＳＦ（Ｓ）をＩＮＶ＿ＤＬ  ＳＦ（Ｓ）と仮定するか、又はｉｉ）（ｗ１値が前もって設定されるかシグナリングされた閾値より小さい場合）ＳＲＸＣＨ＿Ｄ２Ｄ  ＲＸ  ＵＥは‘隣接セルディスカバリープール上の一番目（ＳＴＡＲＴＩＮＧ）ＳＦ−ＣＥＩＬＩＮＧ（ｗ１）’から‘隣接セルディスカバリープール上の最後（ＥＮＤＩＮＧ）ＳＦ＋ＣＥＩＬＩＮＧ（ｗ１）’までの領域と時間リソース領域上で少なくとも一部（すなわち、一部又は全部）が重なるＤＬ  ＳＦ（Ｓ）をＩＮＶ＿ＤＬ  ＳＦ（Ｓ）と仮定するか、又はｉｉｉ）‘ＳＦ＃Ｐ−ＣＥＩＬＩＮＧ（ｗ１）−１’から‘ＳＦ＃Ｐ＋ＣＥＩＬＩＮＧ（ｗ１）＋１’までの領域（又は（ｗ１値が前もって設定されるかシグナリングされた閾値より小さい場合）‘ＳＦ＃Ｐ−ＣＥＩＬＩＮＧ（ｗ１）’から‘ＳＦ＃Ｐ＋ＣＥＩＬＩＮＧ（ｗ１）’までの領域）と時間リソース領域上で少なくとも一部（すなわち、一部又は全部）が重なるＤＬ  ＳＦ（Ｓ）をＩＮＶ＿ＤＬ  ＳＦ（Ｓ）と仮定（すなわち、ＩＮＶ＿ＤＬ  ＳＦ（Ｓ）設定時に隣接セルディスカバリープール設定関連ビットマップが適用される時間区間内のＳＦ（Ｓ）のうちで実際にＤＩＳＣＯＶＥＲＹ  ＳＦ（Ｓ）として設定されたＳＦ（Ｓ）のみを考慮すると解釈可能））するように設定することもできる。
【０１８４】
さらに他の一例として、仮に（サービングセル／隣接セル）ディスカバリープール設定関連ビットマップが適用される時間区間の最後（ＥＮＤＩＮＧ）ＳＦが、ＮＯＮ−Ｄ２Ｄ  ＳＦ（又はＮＯＮ−ＤＩＳＣＯＶＥＲＹ  ＳＦ）であれば、該当の最後ＳＦ以後の一つのＳＦと時間リソース領域上で少なくとも一部（すなわち、一部又は全部）が重なるＤＬ  ＳＦ（Ｓ）をＩＮＶ＿ＤＬ  ＳＦ（Ｓ）と仮定しないように設定することもできる。
【０１８５】
さらに他の一例として、仮に（サービングセル／隣接セル）ディスカバリープール設定関連ビットマップが適用される時間区間内に“ＮＯＮ−Ｄ２Ｄ  ＳＦ、Ｄ２Ｄ  ＳＦ、ＮＯＮ−Ｄ２Ｄ  ＳＦ”順のＳＦ配列が現れれば、該当のＤ２Ｄ  ＳＦ以前の一つのＳＦ及び以後の一つのＳＦと時間リソース領域上で少なくとも一部（すなわち、一部又は全部）が重なるＤＬ  ＳＦ（Ｓ）をＩＮＶ＿ＤＬ  ＳＦ（Ｓ）と仮定するように設定することもできる。若しくは、仮に（サービングセル／隣接セル）ディスカバリープール設定関連ビットマップが適用される時間区間内に“ＮＯＮ−ＤＩＳＣＯＶＥＲＹ  ＳＦ、ＤＩＳＣＯＶＥＲＹ  ＳＦ、ＮＯＮ−ＤＩＳＣＯＶＥＲＹ  ＳＦ”順のＳＦ配列が現れれば、該当のＤＩＳＣＯＶＥＲＹ  ＳＦ以前の一つのＳＦ及び以後の一つのＳＦと時間リソース領域上で少なくとも一部（すなわち、一部又は全部）が重なるＤＬ  ＳＦ（Ｓ）をＩＮＶ＿ＤＬ  ＳＦ（Ｓ）と仮定するように設定することもできる。
【０１８６】
さらに他の一例として、（サービングセル／隣接セル）ディスカバリープール設定関連ビットマップが適用される時間区間内に、該当のビットマップが‘１’（すなわち、Ｄ２Ｄ  ＳＦ（又はＤＩＳＣＯＶＥＲＹ  ＳＦ）として設定されたことを意味）と指定されなかった（ＵＬ）ＳＦ（Ｓ）上にＤ２ＤＳＳ伝送が設定されるか該当のビットマップが‘１’と指定されなかった（ＵＬ）ＳＦ（Ｓ）がＤ２ＤＳＳリソースと定義された場合、例外的にＤ２ＤＳＳ伝送が遂行されるように設定することもできる。若しくは、反対に、（サービングセル／隣接セル）ディスカバリープール設定関連ビットマップが適用される時間区間内に、該当のビットマップが‘１’と指定されなかった（ＵＬ）ＳＦ（Ｓ）上にＤ２ＤＳＳ伝送が設定されるか該当のビットマップが‘１’と指定されなかった（ＵＬ）ＳＦ（Ｓ）がＤ２ＤＳＳリソースと定義された場合、例外的にＤ２ＤＳＳ伝送が遂行されないように設定することもできる。
【０１８７】
さらに他の一例として、ＳＲＸＣＨ＿Ｄ２Ｄ  ＲＸ  ＵＥがＤ２Ｄ  ＲＸ隣接セル関連同期誤差のため、（前もって設定されるかシグナリングされた隣接セルディスカバリーリソースプールと連結された）隣接セルＤ２ＤＳＳ受信／検出のために‘ＳＦ＃Ｎ−ｗ２’から‘ＳＦ＃Ｎ＋ｗ２’までの領域（すなわち、サービングセルＳＦ＃Ｎ上に隣接セルＤ２ＤＳＳリソースが設定された場合）をブラインド探索する場合、‘ＳＦ＃Ｎ−１’から‘ＳＦ＃Ｎ＋１’までの領域又は  ‘ＳＦ＃Ｎ−ＣＥＩＬＩＮＧ（ｗ２）−１’から‘ＳＦ＃Ｎ＋ＣＥＩＬＩＮＧ（ｗ２）＋１’までの領域又は  ‘ＳＦ＃Ｎ−ＦＬＯＯＲ（ｗ２）−１’から‘ＳＦ＃Ｎ＋ＦＬＯＯＲ（ｗ２）＋１’までの領域の一つと時間リソース領域上で少なくとも一部（すなわち、一部又は全部）が重なるＤＬ  ＳＦ（Ｓ）をＩＮＶ＿ＤＬ  ＳＦ（Ｓ）と仮定するように設定することもできる。
【０１８８】
さらに他の一例として、（同じ状況の下で）ＳＲＸＣＨ＿Ｄ２Ｄ  ＲＸ  ＵＥはＤ２Ｄ  ＲＸ隣接セル関連同期誤差のため、隣接セルディスカバリー受信／検出のために‘ＳＦ＃Ｐ−ｗ２’から‘ＳＦ＃Ｐ＋ｗ２’までの領域（すなわち、サービングセルＳＦ＃Ｐ上に隣接セルディスカバリーリソースが設定された場合）をブラインド探索しなければならない。
【０１８９】
一例として、このような動作のために、ＳＲＸＣＨ＿Ｄ２Ｄ  ＲＸ  ＵＥはｉ）‘隣接セルディスカバリープール上の一番目ＳＦ−１’から‘隣接セルディスカバリープール上の最後のＳＦ＋１’までの領域、又はｉｉ）‘隣接セルディスカバリープール上の一番目ＳＦ−ＣＥＩＬＩＮＧ（ｗ２）−１’から‘隣接セルディスカバリープール上の最後のＳＦ＋ＣＥＩＬＩＮＧ（ｗ２）＋１’までの領域、又はｉｉｉ）‘隣接セルディスカバリープール上の一番目ＳＦ−ＦＬＯＯＲ（ｗ２）−１’から‘隣接セルディスカバリープール上の最後のＳＦ＋ＦＬＯＯＲ（ｗ２）＋１’までの領域の一つと、時間リソース領域上で少なくとも一部（すなわち、一部又は全部）が重なるＤＬ  ＳＦ（Ｓ）をＩＮＶ＿ＤＬ  ＳＦ（Ｓ）と仮定するように設定することもできる。
【０１９０】
さらに他の一例として、表４の“ＰＡＧＩＮＧ  ＲＥＣＥＰＴＩＯＮ  （ＡＮＤ／ＯＲ  ＳＩＢ  ＲＥＣＥＰＴＩＯＮ）ＩＳ  ＰＲＩＯＲＩＴＩＺＥＤ  ＯＶＥＲ  Ｄ２Ｄ  ＲＥＣＥＰＴＩＯＮ”規則が適用されることによって、（ＲＲＣ＿ＩＤＬＥ）Ｄ２Ｄ  ＵＥがｉ）（隣接／サービングセル）Ｄ２Ｄ信号リソースプール上で（隣接／サービングセル）ディスカバリー信号受信動作、又はｉｉ）（隣接／サービングセル）Ｄ２Ｄ信号リソースプールと連結された（隣接／サービングセル）Ｄ２ＤＳＳ受信動作の少なくとも一つを遂行しているうちにページング信号（及び／又はＳＩＢ）（ＳＦ＃Ｎ）を受信しなければならなければ、‘ＳＦ＃Ｎ−１’から‘ＳＦ＃Ｎ＋１’までの領域（又は‘ＳＦ＃Ｎ’）と時間リソース領域上で少なくとも一部（すなわち、一部又は全部）が重なる（隣接／サービングセル）Ｄ２Ｄ信号リソースプール上のＳＦ（Ｓ）でディスカバリー信号受信動作を遂行しないように設定することができる。
【０１９１】
さらに他の一例として、表４の“ＰＡＧＩＮＧ  ＲＥＣＥＰＴＩＯＮ  （ＡＮＤ／ＯＲ  ＳＩＢ  ＲＥＣＥＰＴＩＯＮ）ＩＳ  ＰＲＩＯＲＩＴＩＺＥＤ  ＯＶＥＲ  Ｄ２Ｄ  ＲＥＣＥＰＴＩＯＮ”規則が適用されることによって、（ＲＲＣ＿ＩＤＬＥ）Ｄ２Ｄ  ＵＥがｉ）（隣接／サービングセル）Ｄ２Ｄ信号リソースプール上で（隣接／サービングセル）ディスカバリー信号受信動作、又はｉｉ）（隣接／サービングセル）Ｄ２Ｄ信号リソースプールと連結された（隣接／サービングセル）Ｄ２ＤＳＳ受信動作の少なくとも一つを遂行しているうちにページング信号（及び／又はＳＩＢ）（ＳＦ＃Ｎ）を受信しなければならなければ、‘ＳＦ＃Ｎ−１’から‘ＳＦ＃Ｎ＋１’までの領域（又は‘ＳＦ＃Ｎ’）と時間リソース領域上で少なくとも一部（すなわち、一部又は全部）が重なる（隣接／サービングセル）Ｄ２ＤＳＳＳＦ（Ｓ）（又はＤ２ＤＳＳリソース）上でＤ２ＤＳＳ受信動作を遂行しないように設定することもできる。
【０１９２】
ここで、さらに他の一例として、該当のページング信号（及び／又はＳＩＢ）受信時点と少なくとも一部（すなわち、一部又は全部）が重なる（隣接／サービングセル）Ｄ２Ｄ信号リソースプール内ではディスカバリー信号受信動作を遂行しないように設定することもできる。
【０１９３】
（例示１−２）
本発明の第１実施例によると、ｉ）前もってシグナリングされるか設定された隣接セルＤ２ＤＳＳリソースＯＦＦＳＥＴと隣接セルディスカバリーリソースプールオフセットの間の間隔、又はｉｉ）前記例示１−１で説明した隣接セルＤ２ＤＳＳ受信関連ＩＮＶ＿ＤＬ  ＳＦ（Ｓ）設定のための‘ＳＦ＃Ｎ＋ＣＥＩＬＩＮＧ（ｗ１）＋１’（又は‘ＳＦ＃Ｎ＋ＣＥＩＬＩＮＧ（ｗ１）’）と隣接セルディスカバリー受信関連ＩＮＶ＿ＤＬ  ＳＦ（Ｓ）設定のための‘隣接セルディスカバリープール上の一番目ＳＦ−ＣＥＩＬＩＮＧ（ｗ１）−１’（又は‘隣接セルディスカバリープール上の一番目ＳＦ−ＣＥＩＬＩＮＧ（ｗ１）’）の間の間隔が前もって設定されるかシグナリングされた閾値より小さければ、前記（例示１−１）で説明した隣接セルＤ２ＤＳＳ受信関連ＩＮＶ＿ＤＬ  ＳＦ（Ｓ）設定のための‘ＳＦ＃Ｎ＋ＣＥＩＬＩＮＧ（ｗ１）＋１’（又は‘ＳＦ＃Ｎ＋ＣＥＩＬＩＮＧ（ｗ１）’）と隣接セルディスカバリー受信関連ＩＮＶ＿ＤＬ  ＳＦ（Ｓ）設定のための‘隣接セルディスカバリープール上の一番目ＳＦ−ＣＥＩＬＩＮＧ（ｗ１）−１’（又は‘隣接セルディスカバリープール上の一番目ＳＦ−ＣＥＩＬＩＮＧ（ｗ１）’）の間の領域と時間リソース領域上で少なくとも一部（すなわち、一部又は全部）が重なるＤＬ  ＳＦ（Ｓ）もＩＮＶ＿ＤＬ  ＳＦ（Ｓ）と仮定／設定するように設定することができる。ここで、このような仮定／設定の適用によって、頻繁な単一ＲＸチェーン（ＳＩＮＧＬＥ  ＲＸ  ＣＨＡＩＮ）のキャリア（又は周波数帯域）スイッチング動作の発生を緩和させることができる。
【０１９４】
また、一例として、このような仮定／設定はｉ）前もってシグナリングされるか設定された隣接セルＤ２ＤＳＳリソースオフセットと隣接セルディスカバリーリソースプールオフセットの間の間隔、又はｉｉ）前記例示１−１で説明した隣接セルＤ２ＤＳＳ受信関連ＩＮＶ＿ＤＬ  ＳＦ（Ｓ）設定のための‘ＳＦ＃Ｎ＋ＣＥＩＬＩＮＧ（ｗ１）＋１’（又は‘ＳＦ＃Ｎ＋ＣＥＩＬＩＮＧ（ｗ１）’）と隣接セルディスカバリー受信関連ＩＮＶ＿ＤＬ  ＳＦ（Ｓ）設定のための‘隣接セルディスカバリープール上の一番目ＳＦ−ＣＥＩＬＩＮＧ（ｗ１）−１’（又は‘隣接セルディスカバリープール上の一番目ＳＦ−ＣＥＩＬＩＮＧ（ｗ１）’）の間の間隔が前もって設定されるかシグナリングされた閾値より大きければ、前記例示１−１で説明した隣接セルＤ２ＤＳＳ受信関連ＩＮＶ＿ＤＬ  ＳＦ（Ｓ）設定のための‘ＳＦ＃Ｎ＋ＣＥＩＬＩＮＧ（ｗ１）＋１’（又は‘ＳＦ＃Ｎ＋ＣＥＩＬＩＮＧ（ｗ１）’）と隣接セルディスカバリー受信関連ＩＮＶ＿ＤＬ  ＳＦ（Ｓ）設定のための‘隣接セルディスカバリープール上の一番目ＳＦ−ＣＥＩＬＩＮＧ（ｗ１）−１’（又は‘隣接セルディスカバリープール上の一番目ＳＦ−ＣＥＩＬＩＮＧ（ｗ１）’）の間の領域と時間リソース領域上で少なくとも一部（すなわち、一部又は全部）が重なるＤＬ  ＳＦ（Ｓ）をＩＮＶ＿ＤＬ  ＳＦ（Ｓ）と仮定／設定しないと解釈可能である。
【０１９５】
＜方法２＞
上述したように、前もって固定されるか設定された周期（ＰＥＲＩＯＤＩＣＩＴＹ）の（サービングセル／隣接セル）Ｄ２ＤＳＳリソースは、多数の（サービングセル／隣接セル）Ｄ２Ｄ信号リソースプールと連結されることができる。若しくは、一つの（サービングセル／隣接セル）Ｄ２ＤＳＳ設定は、多数の（サービングセル／隣接セル）Ｄ２Ｄ信号リソースプールのために用いられることができる。また、一例として、（サービングセル／隣接セル）Ｄ２ＤＳＳリソース周期は４０ｍｓと固定されることができる。
【０１９６】
このような特性を考慮するとき、（サービングセル／隣接セル）Ｄ２Ｄ信号リソースプール（等）と連結された（サービングセル／隣接セル）Ｄ２ＤＳＳ（Ｓ）受信関連ＩＮＶ＿ＤＬ  ＳＦ（Ｓ）設定時、ＳＲＸＣＨ＿Ｄ２Ｄ  ＲＸ  ＵＥの自分が実際に受信しようとする（サービングセル／隣接セル）Ｄ２Ｄ信号リソースプールの（以前（又は前）に位置する）連結された（サービングセル／隣接セル）Ｄ２ＤＳＳ（すなわち、ＴＨＥ  ＬＡＴＥＳＴ  ＳＵＢＦＲＡＭＥ  ＯＦ  ＴＨＥ  Ｄ２ＤＳＳリソースＢＥＦＯＲＥ  ＴＨＥ  ＳＴＡＲＴ  ＯＦディスカバリープール）のみを考慮し、上述した方法＃１に基づくＩＮＶ＿ＤＬ  ＳＦ（Ｓ）を設定することもできる。
【０１９７】
このような設定／仮定の適用は、一例として、ＳＲＸＣＨ＿Ｄ２Ｄ  ＲＸ  ＵＥの自分が実際に受信しないか受信したくない（サービングセル／隣接セル）Ｄ２Ｄ信号リソースプールの以前（又は前）に位置する連結された（サービングセル／隣接セル）Ｄ２ＤＳＳを考慮し、ＩＮＶ＿ＤＬ  ＳＦ（Ｓ）を設定しないと解釈可能である。また、このような設定／仮定の適用によって、（サービングセル／隣接セル）Ｄ２ＤＳＳによる過度なＩＮＶ＿ＤＬ  ＳＦ（Ｓ）設定を緩和させることができる。
【０１９８】
また、一例として、このような仮定／設定はＳＲＸＣＨ＿Ｄ２Ｄ  ＲＸ  ＵＥが（サービングセルから）前もって定義された指定シグナリング（ＤＥＤＩＣＡＴＥＤ  ＳＩＧＮＡＬＩＮＧ）（例えば、ＲＲＣ  ＳＩＧＮＡＬＩＮＧ）によって特定の（サービングセル／隣接セル）Ｄ２Ｄ信号リソースプール上でのみ（サービングセル／隣接セル）ディスカバリー受信動作を遂行することを指示された場合にのみ限定的に適用されるように設定することもできる。
【０１９９】
さらに他の一例として、前述した方法＃１によって、（サービングセル／隣接セル）Ｄ２Ｄ信号リソースプール（等）と連結された（サービングセル／隣接セル）Ｄ２ＤＳＳ（Ｓ）受信関連ＩＮＶ＿ＤＬ  ＳＦ（Ｓ）設定時、ＳＲＸＣＨ＿Ｄ２Ｄ  ＲＸ  ＵＥが、（サービングセル／隣接セル）Ｄ２Ｄ信号リソースプールの以前（又は前）に位置する連結された（サービングセル／隣接セル）Ｄ２ＤＳＳ（すなわち、ＴＨＥ  ＬＡＴＥＳＴ  ＳＵＢＦＲＡＭＥ  ＯＦ  ＴＨＥ  Ｄ２ＤＳＳリソースＢＥＦＯＲＥ  ＴＨＥ  ＳＴＡＲＴ  ＯＦディスカバリープール）のみを考慮し、該当のＩＮＶ＿ＤＬ  ＳＦ（Ｓ）を設定することもできる。
【０２００】
＜方法＃３＞
仮に、一つの（サービングセル／隣接セル）Ｄ２ＤＳＳ受信によって、関連／連結された（サービングセル／隣接セル）Ｄ２Ｄ信号リソースプールの同期（ＳＹＮＣＨＲＯＮＩＺＡＴＩＯＮ）を取りにくければ、該当の（サービングセル／隣接セル）Ｄ２Ｄ信号リソースプール以前（又は前）に位置する前もって設定されるかシグナリングされたＱ個の（サービングセル／隣接セル）Ｄ２ＤＳＳ（Ｓ）を受信／利用するように定義することもできる。
【０２０１】
このような場合、ＳＲＸＣＨ＿Ｄ２Ｄ  ＲＸ  ＵＥが、（サービングセル／隣接セル）Ｄ２Ｄ信号リソースプール以前（又は前）に位置する前もって設定されるかシグナリングされたＱ個の（サービングセル／隣接セル）Ｄ２ＤＳＳ（Ｓ）も考慮し、（上述した方法＃１又は方法＃２によって）ＩＮＶ＿ＤＬ  ＳＦ（Ｓ）を設定するように設定することもできる。
【０２０２】
また、ディスカバリープール設定に関連して使用インデックス（ｕｓａｇｅ  ｉｎｄｅｘ）を設定する方法は表５のように定義することができる。
【０２０３】
【表５】
2020191666.tif 000014
【０２０４】
また、ＩＮＶ＿ＤＬ  ＳＦ（ｓ）（又はＤＬ  ＧＡＰ）を効率的に設定する方法についてさらに説明する。上述した表４及び表３に基づき、前記表４の動作はサービングセル及びｗ２のウィンドウ長が指示された隣接セルのＤ２Ｄディスカバリープールに対する動作として有効である。
【０２０５】
しかし、ｗ１のウィンドウ長が指示された隣接セルのプールに関し、ディスカバリープールの以前又は以後に位置する１ｍｓの余白（ｍａｒｇｉｎ）はセルタイミングの曖昧さを収容するのには十分ではない。言い替えれば、ＤＬ  ＧＡＰはＵＬキャリア上の隣接セルのディスカバリーリソースプールに属するサブフレームとこのようなサブフレームに先行する（ｃｅｉｌ（ｗ１）＋１）サブフレーム及び後行する（ｃｅｉｌ（ｗ１）＋１）サブフレームと定義しなければならない。
【０２０６】
また、ＵＥは前記ディスカバリープールの最初サブフレーム上に現れるＤ２ＤＳＳ又は前記ディスカバリープール以前の一番近いサブフレームでＤ２ＤＳＳを受信する必要がある。
【０２０７】
これを考慮するとき、隣接セルのディスカバリープールと連関されたＤ２ＤＳＳサブフレームとこのようなサブフレームに先行する（ｃｅｉｌ（ｗ１）＋１）サブフレーム及び後行する（ｃｅｉｌ（ｗ１）＋１）サブフレームを（更なる）ＤＬ  ＧＡＰと設定する必要がある。
【０２０８】
図１４は同期化ウィンドウ長ｗ２及びｗ１の隣接セルのために必要なＤＬ  ＧＡＰを比較するための参照図である。図１４（ａ）は同期化ウィンドウ長ｗ２の隣接セルのために必要なＤＬ  ＧＡＰを示し、図１４（ｂ）は同期化ウィンドウ長ｗ１の隣接セルのために必要なＤＬ  ＧＡＰを示す。
【０２０９】
ディスカバリープール及び連関されたＤ２ＤＳＳサブフレームのためのＤＬ  ＧＡＰが単一の連続的なＤＬ  ｇａｐとして現れるか、それではなければ２個の独立的な（又は分離された）ＤＬ  ｇａｐｓとして現れるかはさらに考慮することができる。また、Ｄ２ＤＳＳを支援することができないＵＥに対してＤ２ＤＳＳサブフレームのためのＤＬ  ＧＡＰが設定することができるかも考慮することができる。
【０２１０】
一例として、サービングセルのディスカバリープール又は同期化ウィンドウ長ｗ２が指示された隣接セルのディスカバリープールに対し、ディスカバリーに関連したＤＬ  ｇａｐが適用されることができる。
【０２１１】
同期化ウィンドウ長ｗ１を有する隣接セルに対し、ＤＬ  ｇａｐはディスカバリープール及びこれと連関されたＤ２ＤＳＳサブフレームとこのようなサブフレームに先行する（ｃｅｉｌ（ｗ１）＋１）サブフレーム及び後行する（ｃｅｉｌ（ｗ１）＋１）サブフレームに対して設定することができる。
【０２１２】
以下で、ｅＮＢがそれぞれのＵＥのためのＤＬ  ｇａｐの設定を制御することができるかに対して調査する。ＵＥ能力及び搬送波集成（ＣＡ）設定によって、ＤＬ  ｇａｐはあるＵＥのためには必要でないこともある。
【０２１３】
例えば、仮にＵＥがコミュニケーション（ｃｏｍｍｕｎｉｃａｔｉｏｎ）及びディスカバリーのいずれも可能であり、ＷＡＮ  ＤＬ及びＤ２Ｄの同時受信を支援することができる下りリンク搬送波集成（ＤＬ  ＣＡ）が設定されたなら、ＵＥがディスカバリーを受信するためのＤＬ  ＧＡＰが必要でないこともある。
【０２１４】
はなはだしくは、ＵＥがＤ２Ｄコミュニケーションを支援しないとしても、ＤＬ  ｇａｐを必要とする（ＵＥの）条件（又はＤＬ  ｇａｐが必要であるか不要であるか）を指示するＵＥ能力シグナリング（ＵＥ  ｃａｐａｂｉｌｉｔｙ  ｓｉｇｎａｌｉｎｇ）を定義することができる（表６参照）。
【０２１５】
【表６−１】
2020191666.tif 000015
【０２１６】
【表６−２】
2020191666.tif 000016
【０２１７】
【表６−３】
2020191666.tif 000017
【０２１８】
【表６−４】
2020191666.tif 000018
【０２１９】
【表６−５】
2020191666.tif 000019
【０２２０】
したがって、ＤＬサブフレーム損失を最小化するために、ＵＥ−特定方式でディスカバリーのためのＤＬ  ｇａｐに対する制御可能性（ｃｏｎｔｒｏｌｌａｂｉｌｉｔｙ）が必要である。
【０２２１】
ｅＮＢによってＤＬ  ｇａｐが制御されると仮定する場合、特定のリソースプール及び／又は特定のセルのためのＤＬ  ｇａｐを設定するかが決まらなければならない。ＵＥは特定の使用インデックスを有するプール上で送信されるディスカバリーを受信することに対して関心がないこともある。また、セルからの距離のため、特定の隣接セルから送信されるディスカバリーを受信することができないこともある。
【０２２２】
したがって、本発明によると、ＤＬ  ｇａｐ設定に関連し、基地局がプール−特定／隣接セル−特定方式でＤＬ  ｇａｐ設定を制御することができる。
【０２２３】
単一受信チェーン（ＳＩＮＧＬＥ  ＲＸ  ＣＨＡＩＮ）を有するＵＥがＤＬ  ｇａｐでＤＬ  ＷＡＮ動作を行う方法について説明する。例えば、ＰＨＩＣＨの受信タイミングがＤＬ  ｇａｐに属する場合、ＵＥは意図しなかったＰＵＳＣＨ再伝送を防止するために、該当のＰＨＩＣＨをＡＣＫと仮定し、自分の上位階層にこれを報告することができる。
【０２２４】
また、ＣＳＩ報告に関連したＣＳＩ参照リソース（例えば、サブフレーム＃ｎ）がＤＬ  ｇａｐに属する場合、このようなＣＳＩ参照リソースはサブフレーム＃ｎ以前の一番近い有効なＤＬサブフレーム（ＤＬ  ｇａｐに位置しない）に取り替えることができる。さらに他の一例として、このような場合、ＵＥは予め定義されたＣＳＩ値を報告するように定義することもできる。また、ＤＲＸカウンターに関連した動作を定義することもできる。例えば、ＵＥはＤ２Ｄディスカバリーを受信しない他のサービングセル（すなわち、他の集成キャリア）でＰＤＣＣＨを受信することができるから、ＤＬ  ｇａｐでもＤＲＸカウンティングを維持（又は遂行）することができる
＜方法＃４＞
前述した方法＃１／方法＃２／方法＃３によってＩＮＶ＿ＤＬ  ＳＦ（Ｓ）が設定される場合、ＳＲＸＣＨ＿Ｄ２Ｄ  ＲＸ  ＵＥが以下の例示４−１〜例示４−３の少なくとも一部（すなわち、一部又は全部）の設定によってＷＡＮ通信を遂行するように定義することができる。
【０２２５】
（例示４−１）
一例として、特定の時点に報告される（周期的／非周期的）ＣＳＩ情報計算／導出関連干渉測定リソース（ＩＭＲ）がＩＮＶ＿ＤＬ  ＳＦ上に位置する場合、ＳＲＸＣＨ＿Ｄ２Ｄ  ＲＸ  ＵＥが該当のＩＭＲが有効ではないと仮定するように設定することができる。ここで、このようなＣＳＩ報告は該当のＩＮＶ＿ＤＬ  ＳＦ以前に一番近い（又は早い）時点のＮＯＮ−ＩＮＶ＿ＤＬ  ＳＦ上に位置するＩＭＲを（再び）用いて遂行／計算されるように設定するか、あるいは該当のＣＳＩ報告は省略されるように設定するか、あるいは前もって定義された特定値（例えば、ＯＯＲ（ｏｕｔ−ｏｆ−ｒａｎｇｅ））のＣＳＩ情報を報告するように設定することもできる。
【０２２６】
また、一例として、特定の時点に報告される（周期的／非周期的）ＣＳＩ情報計算／導出関連ＣＳＩ参照リソースがＩＮＶ＿ＤＬ  ＳＦである場合、ＳＲＸＣＨ＿Ｄ２Ｄ  ＲＸ  ＵＥが該当のＣＳＩ参照リソースが有効ではないと仮定するように設定することができる。ここで、このようなＣＳＩ報告は該当のＩＮＶ＿ＤＬ  ＳＦ以前に一番近い（又は早い）時点のＮＯＮ−ＩＮＶ＿ＤＬ  ＳＦと有効な（ＶＡＬＩＤ）ＤＬ  ＳＦの条件を同時に満たすＤＬ  ＳＦをＣＳＩ参照リソースとして（再）利用／（再）仮定して遂行／計算するように設定するか、あるいは該当のＣＳＩ報告は省略されるように設定するか、あるいは前もって定義された特定の値（例えば、ＯＯＲ）のＣＳＩ情報を報告するように設定することもできる。
【０２２７】
また、一例として、前述した例示４−１の適用はＩＮＶ＿ＤＬ  ＳＦがＣＳＩ測定用途に用いられないと解釈可能である。ここで、ＣＳＩ測定用途は所望の信号測定（ＤＥＳＩＲＥＤ  ＳＩＧＮＡＬ  ＭＥＡＳＵＲＥＭＥＮＴ）及び／又は干渉測定の中で少なくとも一つを意味する。さらに他の一例として、該当のＩＮＶ＿ＤＬ  ＳＦ上でＤ２Ｄ信号受信動作ではない、ＷＡＮ通信関連ＣＳＩ測定動作を遂行するように設定することもできる。さらに他の一例として、ＩＮＶ＿ＤＬ  ＳＦはＲＲＭ及び／又はＲＬＭ用途に使われないように設定することもできる。
【０２２８】
（例示４−２）
前述した例示４−１が適用される場合、特定の時点に報告される（周期的／非周期的）ＣＳＩ情報計算関連の有効なＣＳＩ参照リソースは、前もって定義されるかシグナリングされた時間ウィンドウ（ＴＩＭＥ  ＷＩＮＤＯＷ、以下、“ＷＩＮ＿ＳＩＺＥ”）内でのみ再探索されるように設定することもできる。ここで、このような時間ウィンドウ設定は過度にＯＵＴＤＡＴＥＤ  ＣＳＩ情報が報告されることを緩和させることができる。
【０２２９】
具体的な一例として、ＳＦ＃Ｒで報告される（周期的／非周期的）ＣＳＩ情報計算／導出関連ＣＳＩ参照リソースであるＳＦ＃（Ｒ−４）がＩＮＶ＿ＤＬ  ＳＦである場合、前述した設定／仮定によって‘ＳＦ＃（Ｒ−４−１）’から‘ＳＦ＃（Ｒ−４−ＷＩＮ＿ＳＩＺＥ）’までの領域内でのみ、ＮＯＮ−ＩＮＶ＿ＤＬ  ＳＦと有効な（ＶＡＬＩＤ）ＤＬ  ＳＦの条件を同時に満たすＳＦ＃（Ｒ−４）以前に一番近い（又は早い）時点のＣＳＩ参照リソースを再探索することになる。
【０２３０】
さらに他の一例として、特定の時点に報告される（周期的／非周期的）ＣＳＩ情報計算関連の有効なＩＭＲは前もって定義されるかシグナリングされた時間ウィンドウ内でのみ再探索されるように設定することもできる。一例として、ＳＦ＃Ｒで報告される（周期的／非周期的）ＣＳＩ情報計算／導出関連ＩＭＲが位置するＳＦ＃（Ｒ−５）がＩＮＶ＿ＤＬ  ＳＦである場合、前述した設定／仮定によって‘ＳＦ＃（Ｒ−５−１）’から‘ＳＦ＃（Ｒ−５−ＷＩＮ＿ＳＩＺＥ）’までの領域内でのみ、ＮＯＮ−ＩＮＶ＿ＤＬ  ＳＦ上に位置するＩＭＲの条件を満たすＳＦ＃（Ｒ−５）以前に一番近い（又は早い）時点のＩＭＲを再探索することになる。
【０２３１】
また、前述した例示４−２が適用される場合、仮に前もって定義されるかシグナリングされた時間ウィンドウに基づく再探索領域内で有効なＣＳＩ参照リソース及び／又は有効なＩＭＲが存在しないか再選択されることができない場合、該当のＣＳＩ報告は省略されるように設定するかあるいは前もって定義された特定値（例えば、ＯＯＲ）のＣＳＩ情報を報告するように設定することもできる。
【０２３２】
（例示４−３）
一例として、単一ＲＸチェーン（ＳＩＮＧＬＥ  ＲＸ  ＣＨＡＩＮ）のＵＥ＃ＺにＤ２Ｄコミュニケーションと無線リソース用途の動的変更動作（すなわち、“ＥＩＭＴＡ  ＭＯＤＥ”）が同時に設定（ＣＯＮＦＩＧＵＲＡＴＩＯＮ）され、また、仮に無線リソース用途の動的変更関連指示子（すなわち、“ＥＩＭＴＡ  ＤＣＩ”）のモニタリング（又は受信）関連サブフレームがＩＮＶ＿ＤＬ  ＳＦに設定されれば、ＵＥ＃Ｚが、該当のＩＮＶ＿ＤＬ  ＳＦ上でＥＩＭＴＡ  ＤＣＩモニタリング（又は受信）を遂行しないように設定することもできる。さらに他の一例として、該当のＩＮＶ＿ＤＬ  ＳＦ上でＤ２Ｄ信号受信動作ではない、ＥＩＭＴＡ  ＤＣＩモニタリング（又は受信）動作を遂行するように設定することもできる。
【０２３３】
さらに他の一例として、表３から分かるように、前もって定義された特定のＷＡＮ下りリンク信号の受信は、ｉ）（サービングセル／隣接セル関連）Ｄ２Ｄ信号受信、又はｉｉ）（サービングセル／隣接セル関連）ディスカバリー信号受信、又はｉｉｉ）（サービングセル／隣接セル）Ｄ２Ｄ信号リソースプール（等）と連結された（サービングセル／隣接セル）Ｄ２ＤＳＳ（Ｓ）受信の少なくとも一つより優先する。ここで、該当のＷＡＮ下りリンク信号はページング（及び／又はＳＩＢ）と定義することができる。
【０２３４】
このような定義が適用される場合、Ｄ２Ｄ  ＵＥが（隣接／サービングセル）Ｄ２Ｄ信号リソースプール上で（隣接／サービングセル）ディスカバリー信号受信動作又は（隣接／サービングセル）Ｄ２Ｄ信号リソースプールと連結された（隣接／サービングセル）Ｄ２ＤＳＳ受信動作の一つを遂行しているうちに、ページング信号（及び／又はＳＩＢ）（ＳＦ＃Ｎ）を受信しなければならなければ、ｉ）‘ＳＦ＃Ｎ−１’から‘ＳＦ＃Ｎ＋１’までの領域（又は‘ＳＦ＃Ｎ’）と時間リソース領域上で少なくとも一部（すなわち、一部又は全部）が重なる（隣接／サービングセル）Ｄ２Ｄ信号リソースプール上のＳＦ（Ｓ）でディスカバリー信号受信動作を遂行しないように設定、又はｉｉ）‘ＳＦ＃Ｎ−１’から‘ＳＦ＃Ｎ＋１’までの領域（又は‘ＳＦ＃Ｎ’）と時間リソース領域上で少なくとも一部（すなわち、一部又は全部）が重なる（ＮＥＩＧＨＢＯＲ／ＳＥＲＶＩＮＧ）ＣＥＬＬ  Ｄ２ＤＳＳＳ  Ｆ（Ｓ）（又はＤ２ＤＳＳリソース）上でＤ２ＤＳＳ受信動作を遂行しないように設定（すなわち、ＳＦ＃Ｎでは（少なくとも）ページング信号（及び／又はＳＩＢ）受信動作遂行）の少なくとも一つが適用されることもできる。
【０２３５】
一例として、該当の‘ＳＦ＃Ｎ’（又は‘ＳＦ＃Ｎ−１’から‘ＳＦ＃Ｎ＋１’までの領域）上では、ｉ）（前記方法＃４の適用によってＩＮＶ＿ＤＬ  ＳＦ（Ｓ）で受信／有効でなかった）ＰＨＩＣＨ受信、あるいはＥＩＭＴＡ  ＤＣＩ受信、又はランダムアクセス応答受信、又は（競争に基づくランダムアクセス過程上の）ＭＥＳＳＡＧＥ４（すなわち、ＣＯＮＴＥＮＴＩＯＮ  ＲＥＳＯＬＵＴＩＯＮ  ＭＥＳＳＡＧＥ）受信、又は（競争に基づくランダムアクセス過程上の）ＭＥＳＳＡＧＥ３（例えば、ＰＵＳＣＨ）（再）伝送関連ＰＨＩＣＨ受信の少なくとも一つが遂行されるように設定し、及び／又はｉｉ）該当‘ＳＦ＃Ｎ’（又は‘ＳＦ＃Ｎ−１’から‘ＳＦ＃Ｎ＋１’までの領域）上のＩＭＲリソース又はＣＳＩ参照リソースの少なくとも一つが有効であると仮定されるように設定することもできる。ここで、このような設定はＳＲＸＣＨ＿Ｄ２Ｄ  ＲＸ  ＵＥの場合にのみ限定的に適用されるように設定することもできる。
【０２３６】
さらに他の一例として、該当の‘ＳＦ＃Ｎ’（又は‘ＳＦ＃Ｎ−１’から‘ＳＦ＃Ｎ＋１’までの領域）上では、ｉ）ＰＨＩＣＨ受信、又はＥＩＭＴＡ  ＤＣＩ受信、又はランダムアクセス応答受信、又は（競争に基づくランダムアクセス過程上の）ＭＥＳＳＡＧＥ４（すなわち、ＣＯＮＴＥＮＴＩＯＮ  ＲＥＳＯＬＵＴＩＯＮ  ＭＥＳＳＡＧＥ）受信、又は（競争に基づくランダムアクセス過程上の）ＭＥＳＳＡＧＥ３（例えば、ＰＵＳＣＨ）（再）伝送関連ＰＨＩＣＨ受信が許されないように設定し、及び／又はｉｉ）該当‘ＳＦ＃Ｎ’（又は‘ＳＦ＃Ｎ−１’から‘ＳＦ＃Ｎ＋１’までの領域）上のＩＭＲリソース及び／又はＣＳＩ参照リソースが有効ではないと仮定されるように設定することもできる。
【０２３７】
以下、ＦＤＤ環境の下で、Ｄ２Ｄ  ＵＥのＤ２Ｄ信号（すなわち、ＵＬ  ＳＰＥＣＴＲＵＭ）／ＷＡＮ下りリンク信号（すなわち、ＤＬ  ＳＰＥＣＴＲＵＭ）同時受信能力／動作の一例は表７の通りである。
【０２３８】
【表７】
2020191666.tif 000020
【０２３９】
＜方法＃５＞
前述した少なくとも一部（すなわち、一部又は全部）の提案方法（例えば、方法＃１、方法＃２、方法＃３、方法＃４）に基づいて設定されるＩＮＶ＿ＤＬ  ＳＦ（Ｓ）は下の少なくとも一部（すなわち、一部又は全部）の条件が満たされる場合に設定されないこともあり得る。ここで、方法＃５はＦＤＤシステム環境（ＤＬ  ＡＮＤ  ＵＬ  ＳＰＥＣＴＲＵＭ  ＯＦ  ＦＤＤ  ＣＡＲＲＩＥＲＳ  ＳＵＰＰＯＲＴＩＮＧ  Ｄ２Ｄ）の下でＤ２Ｄ動作が遂行される場合にのみ限定的に適用されるように設定することもできる。
【０２４０】
（例示５−１）
一例として、Ｄ２Ｄ  ＵＥがＤ２ＤコミュニケーションとＤ２Ｄディスカバリーを同時に同じ（ＵＬ）キャリア（又は（ＵＬ）ＳＰＥＣＴＲＵＭ）で受信していれば、ＩＮＶ＿ＤＬ  ＳＦ（Ｓ）が設定されないこともあり得る。なぜなら、該当のＤ２Ｄ  ＵＥは前記表７の“ＦＯＲ  ＣＯＭＭＵＮＩＣＡＴＩＯＮ、  ＲＡＮ１  ＡＳＳＵＭＥＳ  ＴＨＡＴ  ＵＥ  ＩＳ  ＡＢＬＥ  ＴＯ  ＲＥＣＥＩＶＥ  ＳＩＭＵＬＴＡＮＥＯＵＳＬＹ  ＯＮ  ＴＨＥ  ＤＬ  ＡＮＤ  ＵＬ  ＳＰＥＣＴＲＵＭ  ＯＦ  ＦＤＤ  ＣＡＲＲＩＥＲＳ  ＳＵＰＰＯＲＴＩＮＧ  Ｄ２Ｄ”によって、Ｄ２Ｄコミュニケーション受信のためのＤ２Ｄ受信機（Ｄ２Ｄ  Ｒｅｃｅｉｖｅｒ）が既に備えられているかあるいは設けられているからである。
【０２４１】
さらに他の一例として、Ｄ２Ｄ  ＵＥがＩＮＶ＿ＤＬ  ＳＦ（Ｓ）設定の必要性があるかをシグナリングすることができる場合、仮に該当のＤ２Ｄ  ＵＥがＩＮＶ＿ＤＬ  ＳＦ（Ｓ）設定が不必要であることをシグナリングしたなら、ＩＮＶ＿ＤＬ  ＳＦ（Ｓ）が設定されないこともあり得る。
【０２４２】
さらに他の一例として、Ｄ２Ｄ  ＵＥがＤＬ  ＧＡＰ設定の必要性有無をシグナリングすることができる場合、仮に該当のＤ２Ｄ  ＵＥがＤＬ  ＧＡＰ設定が不必要であることをシグナリングしたなら、ＤＬ  ＧＡＰが設定されないこともありえる。
【０２４３】
（例示５−２）
一例として、前述した方法＃１又は方法＃２又は方法＃３又は方法＃４の少なくとも一つに基づいて設定されるＤ２ＤＳＳ関連ＩＮＶ＿ＤＬ  ＳＦ（Ｓ）は、仮にＤ２Ｄ  ＵＥがＤ２ＤＳＳ（ＴＸ／ＲＸ）支援可能（ＣＡＰＡＢＬＥ）でなければ、設定されないこともあり得る。ここで、このようなＵＥ可能性（ＵＥ  Ｃａｐａｂｉｌｉｔｙ）がシグナリングされるか報告されるなら、ｅＮＢ／ネットワークがＤ２ＤＳＳ関連ＩＮＶ＿ＤＬ  ＳＦ（Ｓ）設定有無を前もって定義されたシグナル（例えば、ＤＥＤＩＣＡＴＥＤ  （ＲＲＣ）  ＳＩＧＮＡＬＩＮＧ、ＳＩＢ）によって知らせるように設定することもできる。
【０２４４】
（例示５−３）
一例として、ｉ）前もって設定されるかシグナリングされた隣接セルディスカバリープールと連結された（隣接セル）Ｄ２ＤＳＳ測定値が前もって設定されるかシグナリングされた閾値以下（すなわち、隣接セルがサービングセル／Ｄ２Ｄ  ＲＸ  ＵＥから遠い距離にあると判断）の場合、及び／又はｉｉ）該当の隣接セルの（ＭＯＤＩＦＩＥＤ）ＲＳＲＰ値（又は（ＭＯＤＩＦＩＥＤ）ＲＳＲＱ）が前もって設定されるかシグナリングされた閾値以下（すなわち、隣接セルがサービングセル（又はＤ２Ｄ  ＲＸ  ＵＥ）から遠い距離にあると判断）の場合、前述した少なくとも一部（すなわち、一部又は全部）提案方法（例えば、方法＃１及び／又は方法＃２及び／又は方法＃３及び／又は方法＃４）によって設定されるＤ２ＤＳＳ関連ＩＮＶ＿ＤＬ  ＳＦ（Ｓ）（又はＤＬ  ＧＡＰ）及び／又はディスカバリープール関連ＩＮＶ＿ＤＬ  ＳＦ（Ｓ）（又はＤＬ  ＧＡＰ）が設定されないように定義することもできる。
【０２４５】
他の一例として、ｉ）前もって設定されるかシグナリングされた隣接セルディスカバリープールと連結された（隣接セル）Ｄ２ＤＳＳ測定値が前もって設定されるかシグナリングされた閾値以上の場合、及び／又はｉｉ）該当の隣接セルの（ＭＯＤＩＦＩＥＤ）ＲＳＲＰ値（又は（ＭＯＤＩＦＩＥＤ）ＲＳＲＱ）が前もって設定されるかシグナリングされた閾値以上の場合、前述した少なくとも一部（すなわち、一部又は全部）の提案方法（例えば、方法＃１及び／又は方法＃２及び／又は方法＃３及び／又は方法＃４）によって設定されるＤ２ＤＳＳ関連ＩＮＶ＿ＤＬ  ＳＦ（Ｓ）（又はＤＬ  ＧＡＰ）及び／又はディスカバリープール関連ＩＮＶ＿ＤＬ  ＳＦ（Ｓ）（又はＤＬ  ＧＡＰ）が設定されないように定義することもできる。
【０２４６】
ここで、一例として、ｉ）仮にＤ２Ｄ  ＵＥが前もって設定されるかシグナリングされた隣接セルディスカバリープールと連結された（隣接セル）Ｄ２ＤＳＳ測定値が前もって設定されるかシグナリングされた閾値以下であるかについての情報、又はｉｉ）Ｄ２Ｄ  ＵＥが前もって設定されるかシグナリングされた隣接セルディスカバリープールと連結された（隣接セル）Ｄ２ＤＳＳ測定値が前もって設定されるかシグナリングされた閾値以上であるかについての情報、又はｉｉｉ）隣接セルディスカバリープールと連結された（隣接セル）Ｄ２ＤＳＳ測定値情報）、又はｉｖ）該当の隣接セルの（ＭＯＤＩＦＩＥＤ）ＲＳＲＰ値（又は（ＭＯＤＩＦＩＥＤ）ＲＳＲＱ値）が前もって設定されるかシグナリングされた閾値以下であるかについての情報、又はｖ）該当の隣接セルの（ＭＯＤＩＦＩＥＤ）ＲＳＲＰ値（又は（ＭＯＤＩＦＩＥＤ）ＲＳＲＱ値）が前もって設定されるかシグナリングされた閾値以上であるかについての情報、又はｖｉ）隣接セルの（ＭＯＤＩＦＩＥＤ）ＲＳＲＰ値（又は（ＭＯＤＩＦＩＥＤ）ＲＳＲＱ値）情報）の少なくとも一つをサービングセルに報告すれば、該当の情報を受信したサービングセルは端末特定的な（ＵＥ−ＳＰＥＣＩＦＩＣ）あるいはセル特定的な（ＣＥＬＬ−ＳＰＥＣＩＦＩＣ）形態に前もって定義されたシグナル（例えば、ＤＥＤＩＣＡＴＥＤ  （ＲＲＣ）  ＳＩＧＮＡＬＩＮＧ、  ＳＩＢ）によって、Ｄ２ＤＳＳ関連ＩＮＶ＿ＤＬ  ＳＦ（Ｓ）（又はＤＬ  ＧＡＰ）及び／又はディスカバリープール関連ＩＮＶ＿ＤＬ  ＳＦ（Ｓ）（又はＤＬ  ＧＡＰ）設定有無を知らせることもできる。
【０２４７】
また、一例として、ｅＮＢ（又はサービングセル）が端末特定的（ＵＥ−ＳＰＥＣＩＦＩＣ）／セル特定的（ＣＥＬＬ−ＳＰＥＣＩＦＩＣ）に、どの（ＮＥＩＧＨＢＯＲ）  ＣＥＬＬ（Ｓ）のＤ２ＤＳＳ  ＳＦ（Ｓ）及び／又はＤＩＳＣＯＶＥＲＹ  （ＰＯＯＬ）  ＳＦ（Ｓ）に対し、ＩＮＶ＿ＤＬ  ＳＦ（Ｓ）（又はＤＬ  ＧＡＰ）を設定するかを指定することもできる。
【０２４８】
提案方式に対するさらに他の一例として、表４に示すように、前述したＩＮＶ＿ＤＬ  ＳＦ（Ｓ）（又はＤＬ  ＧＡＰ）は、ＵＥが望む使用インデックス（ＵＳＡＧＥ  ＩＮＤＥＸ）の（ディスカバリー）プールと連結／ペアリングされたＤＬ  ＣＣ（又はＤＬ  ＣＥＬＬ）にのみ設定するように定義されるか、あるいはｅＮＢが特定の使用インデックスの（ディスカバリー）プール（又は特定の（ディスカバリー）プール）（と連結／ペアリングされたＤＬ  ＣＣ（又はＤＬ  ＣＥＬＬ））でのみ設定することもできる。
【０２４９】
提案方式に対するさらに他の一例として、ｗ１の（ディスカバリー信号及び／又は（該当のディスカバリープールと連結された）Ｄ２ＤＳＳ受信関連）同期誤差情報がシグナリングされたセルに対してはＩＮＶ＿ＤＬ  ＳＦ（Ｓ）（又はＤＬ  ＧＡＰ）を設定せずに最善の努力の方式（ＢＥＳＴ  ＥＦＦＯＲＴ  ＭＡＮＮＥＲ）でｉ）ＤＩＳＣＯＶＥＲＹ又はｉｉ）ディスカバリー信号受信動作又はｉｉ）（該当のディスカバリープールと連結された）Ｄ２ＤＳＳ受信動作の少なくとも一つを遂行するように設定することもできる。
【０２５０】
提案方式に対するさらに他の一例として、ｗ１の（ディスカバリー信号及び／又は（該当のディスカバリープールと連結された）Ｄ２ＤＳＳ受信関連）同期誤差情報がシグナリングされたセルに対し、ｗ２の（ディスカバリー信号及び／又は（該当のディスカバリープールと連結された）Ｄ２ＤＳＳ受信関連）同期誤差情報がシグナリングされたセルのようにＩＮＶ＿ＤＬ  ＳＦ（Ｓ）（又はＤＬ  ＧＡＰ）を設定し、これによる性能減少を甘受するように設定することもできる。
【０２５１】
ここで、一例として、ｗ１のディスカバリープール（及び／又は（該当のディスカバリープールと連結された）Ｄ２ＤＳＳ）受信関連同期誤差情報がシグナリングされたセルに対しては、前記方法＃１の例示１−１で説明したように、ｉ）‘隣接セルディスカバリープール上の一番目（ＳＴＡＲＴＩＮＧ）ＳＦ−ＣＥＩＬＩＮＧ（ｗ１）−１’から‘隣接セルディスカバリープール上の最後（ＥＮＤＩＮＧ）ＳＦ＋ＣＥＩＬＩＮＧ（ｗ１）＋１’までの領域と時間リソース領域上で少なくとも一部（すなわち、一部又は全部）が重なるＤＬ  ＳＦ（Ｓ）をＩＮＶ＿ＤＬ  ＳＦ（Ｓ）（又はＤＬ  ＧＡＰ）と仮定し、及び／又はｉｉ）‘ＳＦ＃Ｎ−ＣＥＩＬＩＮＧ（ｗ１）−１’から‘ＳＦ＃Ｎ＋ＣＥＩＬＩＮＧ（ｗ１）＋１’までの領域と時間リソース領域上で少なくとも一部（すなわち、一部又は全部）が重なるＤＬ  ＳＦ（Ｓ）をＩＮＶ＿ＤＬ  ＳＦ（Ｓ）（又はＤＬ  ＧＡＰ）と仮定（例えば、サービングセルＳＦ＃Ｎ上に隣接セルＤ２ＤＳＳリソースが設定された場合）するように設定することができる。
【０２５２】
一方、一例として、ｗ２のディスカバリープール（及び／又は（該当のディスカバリープールと連結された）Ｄ２ＤＳＳ）受信関連同期誤差情報がシグナリングされたセルに対しては、前記方法＃１の例示１−１で説明したように、ｉ）‘隣接セルディスカバリープール上の一番目ＳＦ−１’から‘隣接セルディスカバリープール上の最後のＳＦ＋１’までの領域と時間リソース領域上で少なくとも一部（すなわち、一部又は全部）が重なるＤＬ  ＳＦ（Ｓ）をＩＮＶ＿ＤＬ  ＳＦ（Ｓ）（又はＤＬ  ＧＡＰ）と仮定し、及び／又はｉｉ）‘ＳＦ＃Ｎ−１’から‘ＳＦ＃Ｎ＋１’までの領域と時間リソース領域上で少なくとも一部（すなわち、一部又は全部）が重なるＤＬ  ＳＦ（Ｓ）をＩＮＶ＿ＤＬ  ＳＦ（Ｓ）（又はＤＬ  ＧＡＰ）と仮定（例えば、サービングセルＳＦ＃Ｎ上に隣接セルＤ２ＤＳＳリソースが設定された場合）するように設定することができる。
【０２５３】
以下では、単一ＲＸチェーン（ＳＩＮＧＬＥ  ＲＸ  ＣＨＡＩＮ）のＤ２Ｄ  ＲＸ  ＵＥ（以下、“ＳＲＸＣＨ＿Ｄ２Ｄ  ＲＸ  ＵＥ”）又はＤ２Ｄ／セルラー共有ＲＸチェーン（ＳＨＡＲＥＤ  Ｄ２Ｄ／ＣＥＬＬＵＬＡＲ  ＲＸ  ＣＨＡＩＮ、以下、“ＳＨＲＸＣＨ＿Ｄ２Ｄ  ＲＸ  ＵＥ”）が、ｉ）インターフリクエンシー（ＩＮＴＥＲ−ＦＲＥＱＵＥＮＣＹ）上の他の（ＵＬ）キャリアでのＤ２Ｄディスカバリー信号受信動作を行う場合、又はｉｉ）インターＰＬＭＮ（ＩＮＴＥＲ−ＰＬＭＮ）に基づく他のＰＬＭＮ（ＵＬ）キャリアでのＤ２Ｄディスカバリー信号受信動作を行う場合、前述したＩＮＶ＿ＤＬ  ＳＦ（Ｓ）（又はＤＬ  ＧＡＰ（Ｓ））を効率的に設定する方案を提示する。ここで、ＳＨＲＸＣＨ＿Ｄ２Ｄ  ＲＸ  ＵＥ（又はＳＲＸＣＨ＿Ｄ２Ｄ  ＲＸ  ＵＥ）は自分の（相対的に少ない数又は一つの）ＲＸチェーンをＤ２Ｄ  ＲＸの用途とＷＡＮ  ＤＬ  ＲＸの用途に交互にするか共有して用いる端末と解釈することができる。また、下の提案方式は搬送波集成技法（ＣＡ）が適用された状況だけではなく、一つのセル（ＳＩＮＧＬＥ  ＣＥＬＬ）が設定された状況でも拡張して適用することができる。
【０２５４】
以下、表８はＳＨＲＸＣＨ＿Ｄ２Ｄ  ＲＸ  ＵＥ（又はＳＲＸＣＨ＿Ｄ２Ｄ  ＲＸ  ＵＥ）がＤ２Ｄディスカバリー信号受信時に仮定するＷＡＮ  ＤＬシグナル受信動作（すなわち、ＩＮＶ＿ＤＬ  ＳＦ（Ｓ）（又はＤＬ  ＧＡＰ（Ｓ））設定）を示す。
【０２５５】
【表８】
2020191666.tif 000021
【０２５６】
＜方法＃６＞
ＵＥ（例えば、ＳＩＮＧＬＥ  ＲＸ  ＣＨＡＩＮのＤ２Ｄ  ＲＸ  ＵＥ）（又はＳＲＸＣＨ＿Ｄ２Ｄ  ＲＸ  ＵＥ（例えば、ＳＨＡＲＥＤ  Ｄ２Ｄ／ＣＥＬＬＵＬＡＲ  ＲＸ  ＣＨＡＩＮのＤ２Ｄ  ＲＸ  ＵＥ））が、ｉ）インターフリクエンシー（ＩＮＴＥＲ−ＦＲＥＱＵＥＮＣＹ）上の他の（ＵＬ）キャリアでのＤ２Ｄディスカバリー信号受信動作を行う場合、又はｉｉ）インターＰＬＭＮ（ＩＮＴＥＲ−ＰＬＭＮ）に基づく他のＰＬＭＮ（ＵＬ）キャリアでのＤ２Ｄディスカバリー信号受信動作を行う場合、前述したＩＮＶ＿ＤＬ  ＳＦ（Ｓ）（又はＤＬ  ＧＡＰ（Ｓ））は以下の例示６−１〜例示６−８に開示した下の少なくとも一部（すなわち、一部又は全部）の規則／設定に基づいて設定されるように定義することができる。ここで、一例として、ＳＨＲＸＣＨ＿Ｄ２Ｄ  ＲＸ  ＵＥ（又はＳＲＸＣＨ＿Ｄ２Ｄ  ＲＸ  ＵＥ）は自分の（相対的に少ない数の又は一つの）ＲＸ  ＣＨＡＩＮをＤ２Ｄ  ＲＸ用途とＷＡＮ  ＤＬ  ＲＸの用途に交互にして（又は共有して）用いる端末と解釈することができる。また、一例として、以下の提案方式は搬送波集成技法（ＣＡ）が適用された状況だけではなく、一つのセル（ＳＩＮＧＬＥ  ＣＥＬＬ）が設定された状況でも拡張して適用することができる。
【０２５７】
ここで、提案方式に対する説明の便宜のために、ＳＨＲＸＣＨ＿Ｄ２Ｄ  ＲＸ  ＵＥ（又はＳＲＸＣＨ＿Ｄ２Ｄ  ＲＸ  ＵＥ）が二つのセル（すなわち、ＰＲＩＭＡＲＹ  ＣＥＬＬ＃Ａ（すなわち、ＤＬ  ＣＣ＃Ａ、ＵＬ  ＣＣ＃Ａ）、ＳＥＣＯＮＤＡＲＹ  ＣＥＬＬ＃Ｂ（すなわち、ＤＬ  ＣＣ＃Ｂ、ＵＬ  ＣＣ＃Ｂ））が設定された状況の下で、インターフリクエンシー（ＩＮＴＥＲ−ＦＲＥＱＵＥＮＣＹ）上の他の（ＵＬ）キャリア（又は他のＰＬＭＮ（ＵＬ）キャリア）（以下、“ＤＩＦＦ＿ＣＣ”）でＤ２Ｄディスカバリー信号受信動作を遂行すると仮定した。
【０２５８】
また、インターフリクエンシー（ＩＮＴＥＲ−ＦＲＥＱＵＥＮＣＹ）上の他の（ＵＬ）キャリアは、ＰＣＥＬＬ＃ＡのＵＬ  ＣＣ＃Ａ（ＳＣＥＬＬ＃Ｂ（ＵＬ  ＣＣ＃Ｂ／ＤＬ  ＣＣ＃Ｂ）の観点でインターフリクエンシー（ＩＮＴＥＲ−ＦＲＥＱＵＥＮＣＹ）ＵＬ  ＣＣ）又はＳＣＥＬＬ＃ＢのＵＬ  ＣＣ＃Ｂ（ＰＣＥＬＬ＃Ａ（ＵＬ  ＣＣ＃Ａ／ＤＬ  ＣＣ＃Ａ）の観点でインターフリクエンシー（ＩＮＴＥＲ−ＦＲＥＱＵＥＮＣＹ）ＵＬ  ＣＣ）と指定することもできる。
【０２５９】
また、一例として、方法＃６は三つ以上のセル（又は一つのセル）が設定された状況の下で、ＤＩＦＦ＿ＣＣ上でＤ２Ｄディスカバリー信号受信動作を行う場合にも拡張して適用可能である。一例として、方法＃６はＤＩＦＦ＿ＣＣがサービングセル及び／又は隣接セルとして設定された場合にも拡張して適用可能である。
【０２６０】
（例示６−１）
ＳＨＲＸＣＨ＿Ｄ２Ｄ  ＲＸ  ＵＥ（又はＳＲＸＣＨ＿Ｄ２Ｄ  ＲＸ  ＵＥ）がＤＩＦＦ＿ＣＣ上でＤ２Ｄディスカバリー信号受信動作を遂行する場合、搬送波集成技法と設定された自分の全てのＤＬ  ＣＣ（Ｓ）（例えば、ＤＬ  ＣＣ＃Ａ、ＤＬ  ＣＣ＃Ｂ）上で、ＩＮＶ＿ＤＬ  ＳＦ（Ｓ）（又はＤＬ  ＧＡＰ（Ｓ））を設定するように定義することができる。ここで、このような設定／規則の適用は特定の（サービングセル関連）ＤＬ  ＣＣ上でのＩＮＶ＿ＤＬ  ＳＦ（Ｓ）（又はＤＬ  ＧＡＰ（Ｓ））設定有無が、該当の特定（サービングセル関連）ＤＬ  ＣＣがＤＩＦＦ＿ＣＣとＰＡＩＲＥＤ  ＤＬ  ＣＣ関係にあるか否かではなく、ＤＩＦＦ＿ＣＣ上でのＤ２Ｄディスカバリー信号受信動作の遂行可否によって決定されると解釈することもできる。
【０２６１】
（例示６−２）
ＳＨＲＸＣＨ＿Ｄ２Ｄ  ＲＸ  ＵＥ（又はＳＲＸＣＨ＿Ｄ２Ｄ  ＲＸ  ＵＥ）がＤＩＦＦ＿ＣＣ上でＤ２Ｄディスカバリー信号受信動作を遂行する場合、搬送波集成技法で設定された自分のＤＬ  ＣＣ（Ｓ）（又はサービングセル（Ｓ））のうち前もって定義されるかシグナリングされたサービングセル関連ＤＬ  ＣＣ（Ｓ）でのみ、ＩＮＶ＿ＤＬ  ＳＦ（Ｓ）（又はＤＬ  ＧＡＰ（Ｓ））を設定するように定義することができる。
【０２６２】
ここで、ＩＮＶ＿ＤＬ  ＳＦ（Ｓ）（又はＤＬ  ＧＡＰ（Ｓ））が設定されるＤＬ  ＣＣ（Ｓ）とＤＩＦＦ＿ＣＣの間にはｉ）（仮想的な）ペアリング（ＰＡＩＲＩＮＧ）が指定されていると解釈されるか、あるいはｉｉ）ＩＮＶ＿ＤＬ  ＳＦ（Ｓ）（又はＤＬ  ＧＡＰ（Ｓ））が設定されるＤＬ  ＣＣ（Ｓ）はＤＩＦＦ＿ＣＣの（仮想的な）ペアリングされた（ＰＡＩＲＥＤ）  ＤＬ  ＣＣ（Ｓ）と解釈することができる。
【０２６３】
また、ＳＨＲＸＣＨ＿Ｄ２Ｄ  ＲＸ  ＵＥ（又はＳＲＸＣＨ＿Ｄ２Ｄ  ＲＸ  ＵＥ）がＤＩＦＦ＿ＣＣ上でＤ２Ｄディスカバリー信号受信動作を遂行するとき、ｉ）ＩＮＶ＿ＤＬ  ＳＦ（Ｓ）（又はＤＬ  ＧＡＰ（Ｓ））が設定されるＤＬ  ＣＣ（Ｓ）、又はｉｉ）サービングセル（Ｓ））についての情報は、“Ｄ２Ｄディスカバリープールが設定された（ＵＬ）  ＣＣ（又はサービングセル）情報”と、“Ｄ２Ｄディスカバリープールが設定された該当の（ＵＬ）  ＣＣ（又はサービングセル）上でＤ２Ｄディスカバリー信号受信動作が遂行される場合、ＩＮＶ＿ＤＬ  ＳＦ（Ｓ）（又はＤＬ  ＧＡＰ（Ｓ））が設定されるＤＬ  ＣＣ（Ｓ）（又はサービングセル（Ｓ））についての情報”の対（ＰＡＩＲ）／組合せとしてシグナリング／定義されることができる。
【０２６４】
（例示６−３）
ＳＨＲＸＣＨ＿Ｄ２Ｄ  ＲＸ  ＵＥ（又はＳＲＸＣＨ＿Ｄ２Ｄ  ＲＸ  ＵＥ）がＤＩＦＦ＿ＣＣ上でＤ２Ｄディスカバリー信号受信動作を遂行する場合、搬送波集成技法で設定された自分のＤＬ  ＣＣ（Ｓ）のうちＰＣＥＬＬのＤＬ  ＣＣ（例えば、ＤＬ  ＣＣ＃Ａ）でのみ、ＩＮＶ＿ＤＬ  ＳＦ（Ｓ）（又はＤＬ  ＧＡＰ（Ｓ））を設定するように定義することができる。ここで、このような方式の適用はＰＣＥＬＬのＤＬ  ＣＣ（例えば、ＤＬ  ＣＣ＃Ａ）上でのＩＮＶ＿ＤＬ  ＳＦ（Ｓ）（又はＤＬ  ＧＡＰ（Ｓ））設定有無が、該当のＰＣＥＬＬのペアリングされた（ＰＡＩＲＥＤ）ＵＬ  ＣＣ（例えば、ＵＬ  ＣＣ＃Ａ）でのＤ２Ｄディスカバリー信号受信動作遂行有無ではなく、ＤＩＦＦ＿ＣＣ上でのＤ２Ｄディスカバリー信号受信動作遂行有無によって決定されると解釈することもできる。
【０２６５】
（例示６−４）
ＳＨＲＸＣＨ＿Ｄ２Ｄ  ＲＸ  ＵＥ（又はＳＲＸＣＨ＿Ｄ２Ｄ  ＲＸ  ＵＥ）がＤＩＦＦ＿ＣＣ上でＤ２Ｄディスカバリー信号受信動作を遂行する場合、搬送波集成技法で設定された自分のＤＬ  ＣＣ（Ｓ）のうちＰＣＥＬＬを除いたＳＣＥＬＬ（Ｓ）のＤＬ  ＣＣ（Ｓ）（例えば、ＤＬ  ＣＣ＃Ｂ）でのみ、ＩＮＶ＿ＤＬ  ＳＦ（Ｓ）（又はＤＬ  ＧＡＰ（Ｓ））を設定するように定義することができる。ここで、このような方式の適用はＳＣＥＬＬ（Ｓ）のＤＬ  ＣＣ（Ｓ）（例えば、ＤＬ  ＣＣ＃Ｂ）上でのＩＮＶ＿ＤＬ  ＳＦ（Ｓ）（又はＤＬ  ＧＡＰ（Ｓ））設定有無が、該当のＳＣＥＬＬ（Ｓ）のペアリングされた（ＰＡＩＲＥＤ）ＵＬ  ＣＣ（Ｓ）（例えば、ＵＬ  ＣＣ＃Ｂ）でのＤ２Ｄディスカバリー信号受信動作遂行有無ではなく、ＤＩＦＦ＿ＣＣ上でのＤ２Ｄディスカバリー信号受信動作遂行有無によって決定されると解釈することもできる。
【０２６６】
（例示６−５）
上述した例示（例えば、（例示６−１）、（例示６−２）、（例示６−３）、（例示６−４））で、ＤＩＦＦ＿ＣＣ上のディスカバリープール及び／又は（該当のディスカバリープールと連結された）Ｄ２ＤＳＳ受信関連同期誤差情報がｗ１を介してシグナリングされた場合、ｉ）‘ＤＩＦＦ＿ＣＣディスカバリープール上の一番目（ＳＴＡＲＴＩＮＧ）ＳＦ−ＣＥＩＬＩＮＧ（ｗ１）−１’から‘ＤＩＦＦ＿ＣＣディスカバリープール上の最後（ＥＮＤＩＮＧ）ＳＦ＋ＣＥＩＬＩＮＧ（ｗ１）＋１’までの領域と時間リソース領域上で少なくとも一部（すなわち、一部又は全部）が重なる前述した例示に基づいて選択されるか指定されたＤＬ  ＣＣ（Ｓ）のＤＬ  ＳＦ（Ｓ）をＩＮＶ＿ＤＬ  ＳＦ（Ｓ）（又はＤＬ  ＧＡＰ）と仮定し、及び／又はｉｉ）‘ＳＦ＃Ｎ−ＣＥＩＬＩＮＧ（ｗ１）−１’から‘ＳＦ＃Ｎ＋ＣＥＩＬＩＮＧ（ｗ１）＋１’までの領域と時間リソース領域上で少なくとも一部（すなわち、一部又は全部）が重なる前述した例示に基づいて選択されるか指定されたＤＬ  ＣＣ（Ｓ）のＤＬ  ＳＦ（Ｓ）をＩＮＶ＿ＤＬ  ＳＦ（Ｓ）（又はＤＬ  ＧＡＰ）と仮定（すなわち、サービングセルＳＦ＃Ｎ上にＤＩＦＦ＿ＣＣ  Ｄ２ＤＳＳリソースが設定された場合）することになる。ここで、このような設定／規則はＤＩＦＦ＿ＣＣが隣接セル（及び／又はサービングセル及び／又は他のＰＬＭＮ（ＵＬ）キャリア）である場合にのみ限定的に適用されるように定義することもできる。
【０２６７】
さらに他の一例として、ＤＩＦＦ＿ＣＣ上のディスカバリープール（及び／又は該当のディスカバリープールと連結されたＤ２ＤＳＳ）受信関連同期誤差情報がｗ２を介してシグナリングされた場合、ｉ）‘ＤＩＦＦ＿ＣＣディスカバリープール上の一番目ＳＦ−１’から‘ＤＩＦＦ＿ＣＣディスカバリープール上の最後のＳＦ＋１’までの領域と時間リソース領域上で少なくとも一部（すなわち、一部又は全部）が重なる前述した例示に基づいて選択された（又は指定された）ＤＬ  ＣＣ（Ｓ）のＤＬ  ＳＦ（Ｓ）をＩＮＶ＿ＤＬ  ＳＦ（Ｓ）（又はＤＬ  ＧＡＰ）と仮定し、及び／又はｉｉ）‘ＳＦ＃Ｎ−１’から‘ＳＦ＃Ｎ＋１’までの領域と時間リソース領域上で少なくとも一部（すなわち、一部又は全部）が重なる前述した例示に基づいて選択されるか指定されたＤＬ  ＣＣ（Ｓ）のＤＬ  ＳＦ（Ｓ）をＩＮＶ＿ＤＬ  ＳＦ（Ｓ）（又はＤＬ  ＧＡＰ）と仮定（すなわち、サービングセルＳＦ＃Ｎ上にＤＩＦＦ＿ＣＣ  Ｄ２ＤＳＳリソースが設定された場合）することになる。ここで、該当の規則はＤＩＦＦ＿ＣＣが隣接セル（及び／又はサービングセル及び／又は他のＰＬＭＮ（ＵＬ）キャリア）である場合にのみ限定的に適用されるように定義することもできる。
【０２６８】
（例示６−６）
前述した例示（例えば、（例示６−１）、（例示６−２）、（例示６−３）、（例示６−４））で、ｉ）‘ＤＩＦＦ＿ＣＣディスカバリープール上の一番目（ＳＴＡＲＴＩＮＧ）ＳＦ−１’から‘ＤＩＦＦ＿ＣＣディスカバリープール上の最後（ＥＮＤＩＮＧ）ＳＦ＋１’までの領域と時間リソース領域上で少なくとも一部（すなわち、一部又は全部）が重なる前述した例示に基づいて選択されるか指定されたＤＬ  ＣＣ（Ｓ）のＤＬ  ＳＦ（Ｓ）をＩＮＶ＿ＤＬ  ＳＦ（Ｓ）（又はＤＬ  ＧＡＰ）と仮定し、及び／又はｉｉ）‘ＳＦ＃Ｎ−１’から‘ＳＦ＃Ｎ＋１’までの領域と時間リソース領域上で少なくとも一部（すなわち、一部又は全部）が重なる前述した例示に基づいて選択されるか指定されたＤＬ  ＣＣ（Ｓ）のＤＬ  ＳＦ（Ｓ）をＩＮＶ＿ＤＬ  ＳＦ（Ｓ）（又はＤＬ  ＧＡＰ）と仮定（すなわち、サービングセルＳＦ＃Ｎ上にＤＩＦＦ＿ＣＣ  Ｄ２ＤＳＳリソースが設定）された場合）することになる。ここで、このような設定はＤＩＦＦ＿ＣＣがサービングセル（及び／又は隣接セル及び／又は他のＰＬＭＮ（ＵＬ）キャリア）の場合にのみ限定的に適用されるように定義することもできる。
【０２６９】
（例示６−７）
ｉ）前述した（一部又は全部）例示（等）（例えば、（例示６−１）、（例示６−２）、（例示６−３）、（例示６−４）、（例示６−５）、（例示６−６））の適用可否、又はｉｉ）どの（サービング）セルに前述したどの例示（等）が適用されるか、又はｉｉｉ）インターフリクエンシー（ＩＮＴＥＲ−ＦＲＥＱＵＥＮＣＹ）上の他の（ＵＬ）キャリアでのＤ２Ｄディスカバリー信号受信動作によるＩＮＶ＿ＤＬ  ＳＦ（Ｓ）（又はＤＬ  ＧＡＰ（Ｓ））設定有無、又はｉｖ）他のＰＬＭＮ（ＵＬ）キャリアでのＤ２Ｄディスカバリー信号受信動作によるＩＮＶ＿ＤＬ  ＳＦ（Ｓ）（又はＤＬ  ＧＡＰ（Ｓ））設定有無のうちで少なくとも一つについての情報をサービングｅＮＢ／Ｄ２Ｄ  ＵＥが（他の）Ｄ２Ｄ  ＵＥに前もって定義されたシグナル（例えば、ＳＩＢ、（ＤＥＤＩＣＡＴＥＤ）ＲＲＣ、ＰＤ２ＤＳＣＨ）によって知らせるように設定されるか、前もって定義されるように設定することもできる。
【０２７０】
さらに他の一例として、前述した例示（等）（例えば、（例示６−１）、（例示６−２）、（例示６−３）、（例示６−４）、（例示６−５））、（例示６−６））はＳＨＲＸＣＨ＿Ｄ２Ｄ  ＲＸ  ＵＥ（又はＳＲＸＣＨ＿Ｄ２Ｄ  ＲＸ  ＵＥ）がＤＩＦＦ＿ＣＣ上でＤ２ＤコミュニケーションＳＩＧＮＡＬ（例えば、ＳＡ、Ｄ２Ｄ  ＤＡＴＡ）受信動作を遂行するときにも拡張して適用することができる。
【０２７１】
さらに他の一例として、前述した例示（等）（例えば、（例示６−１）、（例示６−２）、（例示６−３）、（例示６−４）、（例示６−５）、（例示６−６））上でＤＩＦＦ＿ＣＣのペアリングされた（ＰＡＩＲＥＤ）ＤＬ  ＣＣが存在（例えば、インターフリクエンシー（ＩＮＴＥＲ−ＦＲＥＱＵＥＮＣＹ）上の他の（ＵＬ）キャリアでのＤ２Ｄディスカバリー信号受信動作を行う場合）し、ＳＨＲＸＣＨ＿Ｄ２Ｄ  ＲＸ  ＵＥ（又はＳＲＸＣＨ＿Ｄ２Ｄ  ＲＸ  ＵＥ）がＤＩＦＦ＿ＣＣでＤ２Ｄディスカバリー信号受信動作を行う場合、（前述した規則に基づく）ＩＮＶ＿ＤＬ  ＳＦ（Ｓ）（又はＤＬ  ＧＡＰ（Ｓ））が該当のペアリングされた（ＰＡＩＲＥＤ）ＤＬ  ＣＣ上でｉ）いつも又はｉｉ）ＩＮＶ＿ＤＬ  ＳＦ（Ｓ）（又はＤＬ  ＧＡＰ（Ｓ））設定が許可（ＥＮＡＢＬＩＮＧ）された場合にのみ設定されるように定義することもできる。
【０２７２】
（例示６−８）
ＳＨＲＸＣＨ＿Ｄ２Ｄ  ＲＸ  ＵＥ（又はＳＲＸＣＨ＿Ｄ２Ｄ  ＲＸ  ＵＥ）がＤＩＦＦ＿ＣＣ上でＤ２Ｄディスカバリー信号受信動作を遂行する場合に設定するＩＮＶ＿ＤＬ  ＳＦ（Ｓ）（又はＤＬ  ＧＡＰ（Ｓ））情報はビットマップ形態で指定されるかシグナリングされることができる。ここで、該当の情報が実際にどの（サービング）セルに適用されなければならないかは、サービングｅＮＢ（又はＤ２Ｄ  ＵＥ）が（他の）Ｄ２Ｄ  ＵＥに前もって定義された追加的なシグナル（例えば、ＳＩＢ、（ＤＥＤＩＣＡＴＥＤ）ＲＲＣ、ＰＤ２ＤＳＣＨ）によって知らせるように設定されるか、前もって設定されるかあるいは前述した（前もって定義されるかシグナリングされた）少なくとも一部（すなわち、一部又は全部）の規則（例えば、（例示６−１）、（例示６−２）、（例示６−３）、（例示６−４）、（例示６−５）、（例示６−６）、（例示６−７））に基づいて選定されるように定義することもできる。
【０２７３】
＜方法＃７＞
前述した少なくとも一部（すなわち、一部又は全部）の方法（例えば、方法＃１、方法＃２、方法＃３、方法＃４、方法＃５）によってＩＮＶ＿ＤＬ  ＳＦ（Ｓ）が設定される場合、下の少なくとも一部（すなわち、一部又は全部）の設定によってＤＲＸ動作を遂行するように定義することができる。
【０２７４】
本発明についての具体的な説明を開示するに先立ち、既存（端末の）ＤＲＸ設定／動作は表９のように遂行される。
【０２７５】
【表９−１】
2020191666.tif 000022
【０２７６】
【表９−２】
2020191666.tif 000023
【０２７７】
【表９−３】
2020191666.tif 000024
【０２７８】
【表９−４】
2020191666.tif 000025
【０２７９】
【表９−５】
2020191666.tif 000026
【０２８０】
【表９−６】
2020191666.tif 000027
【０２８１】
【表９−７】
2020191666.tif 000028
【０２８２】
【表９−８】
2020191666.tif 000029
【０２８３】
ここで、個別端末のＤＲＸ設定は、サービングセルがＵＥ別に（伝送が必要な）下りリンクデータの存在有無によって端末特定的に（ＵＥ−ＳＰＥＣＩＦＩＣ）設定することができる。また、方法＃７はＳＲＸＣＨ＿Ｄ２Ｄ  ＲＸ  ＵＥの場合にのみ限定的に適用されるように設定することもできる。また、方法＃７はＲＲＣ＿ＣＯＮＮＥＣＴＥＤ  ＵＥ（又はＲＲＣ＿ＩＤＬＥ  ＵＥ）がＤＲＸ動作を遂行する場合にのみ限定的に適用されるように設定することもできる。また、方法＃７は搬送波集成技法が適用された状況（及び／又は搬送波集成技法が適用されない状況）でだけ限定的に適用されるように設定することもできる。
【０２８４】
（例示７−１）
前もって定義されるかシグナリングされたＤＲＸ動作関連の特定タイマー（例えば、ｏｎＤｕｒａｔｉｏｎＴｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ）は、前述した少なくとも一部（すなわち、一部又は全部）の提案方法（例えば、方法＃１、方法＃２、方法＃３、方法＃４、方法＃５）に基づいて設定されるＩＮＶ＿ＤＬ  ＳＦ（Ｓ）でカウントされないように設定することもできる。ここで、該当のＩＮＶ＿ＤＬ  ＳＦ（Ｓ）は既存（ＬＥＧＡＣＹ）動作の下でＤＲＸ動作関連の特定タイマーがカウントされなかった、一種の測定ＧＡＰ（すなわち、表９）と解釈するかあるいはＰＤＣＣＨ−ｓｕｂｆｒａｍｅ（表９参照）ではないと解釈することができる。
【０２８５】
（例示７−２）
前もって定義されるかシグナリングされたＤＲＸ動作関連の特定タイマー（例えば、ｏｎＤｕｒａｔｉｏｎＴｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ）は前述した少なくとも一部（すなわち、一部又は全部）の提案方法（例えば、方法＃１、方法＃２、方法＃３、方法＃４、方法＃５）に基づいて設定されるＩＮＶ＿ＤＬ  ＳＦ（Ｓ）でカウントされるように設定することもできる。ここで、このような方法が適用される場合、該当のＩＮＶ＿ＤＬ  ＳＦ（Ｓ）はＰＤＣＣＨモニタリングが実際に遂行されないが前もって定義されるかシグナリングされたＤＲＸ動作関連の特定タイマーがカウントされるＳＦ（Ｓ）であると解釈することができる。
【０２８６】
（例示７−３）
搬送波集成技法（ＣＡ）が適用された場合と搬送波集成技法が適用されなかった場合、前もって定義されるかシグナリングされたＤＲＸ動作関連の特定のタイマー（例えば、ｏｎＤｕｒａｔｉｏｎＴｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ）がカウントされる方式をそれぞれ違って定義することもできる。
【０２８７】
一例として、説明の便宜上、二つのＣＥＬＬ（例えば、［ＣＥＬＬ＃１］：ＤＬ  ＣＣ＃Ａ、ＵＬ  ＣＣ＃Ａ、［ＣＥＬＬ＃２］：ＤＬ  ＣＣ＃Ｂ、ＵＬ  ＣＣ＃Ｂ）が搬送波集成技法に設定され、ＣＥＬＬ＃１のＵＬ  ＣＣ＃ＡでのみＤ２Ｄ信号（例えば、（サービング／隣接）ディスカバリー信号）受信動作が設定／遂行される状況を仮定する。このような状況の下で、前もって定義されるかシグナリングされたＤＲＸ動作関連の特定のタイマーは前述した少なくとも一部（すなわち、一部又は全部）の方法によって設定されるＩＮＶ＿ＤＬ  ＳＦ（Ｓ）でカウントされるように設定することができる。その理由は、ＣＥＬＬ＃１ＵＬ  ＣＣ＃ＡでのＤ２Ｄ信号受信動作によって（該当のＵＬ  ＣＣ＃Ａとペアリングされた）ＤＬ  ＣＣ＃ＡでのみＷＡＮ下りリンク信号受信動作を遂行することができないだけ（表３参照）、ＣＥＬＬ＃２  ＤＬ  ＣＣ＃ＢではＷＡＮ下りリンク信号受信動作が依然として可能であり、また、ＤＲＸ動作はセル（ＣＥＬＬ）の区分なしに共通的に適用／運営されるからである。
【０２８８】
一方、さらに他の一例として、搬送波集成技法が適用されなかった場合には、前もって定義されるかシグナリングされたＤＲＸ動作関連の特定のタイマーが前述した少なくとも一部（すなわち、一部又は全部）の方法によって設定されるＩＮＶ＿ＤＬ  ＳＦ（Ｓ）でカウントされないように設定することができる。その理由は、搬送波集成技法が適用されない場合、該当のＩＮＶ＿ＤＬ  ＳＦ（Ｓ）上でＷＡＮ下りリンク信号受信動作を遂行することができる他のＣＥＬＬが存在しないからである。
【０２８９】
さらに他の一例として、搬送波集成技法が適用された場合には前もって定義されるかシグナリングされたＤＲＸ動作関連の特定のタイマーが前述した少なくとも一部（すなわち、一部又は全部）の方法によって設定されるＩＮＶ＿ＤＬ  ＳＦ（Ｓ）でカウントされないように設定される反面、搬送波集成技法が適用されなかった場合には前もって定義されるかシグナリングされたＤＲＸ動作関連の特定のタイマーが前述した少なくとも一部（すなわち、一部又は全部）の方法によって設定されるＩＮＶ＿ＤＬ  ＳＦ（Ｓ）でカウントされるように設定することもできる。
【０２９０】
（方法＃８）
上述したＩＮＶ＿ＤＬ  ＳＦ（Ｓ）（又はＤＬ  ＧＡＰ）は以下の例示８−１〜例示８−３の少なくとも一つに開示した少なくとも一部（すなわち、一部又は全部）の規則に従って設定することもできる。
【０２９１】
本方法についての具体的な説明を開示するに先立ち、既存（端末の）ＲＡＮＤＯＭ  ＡＣＣＥＳＳ  ＰＲＯＣＥＤＵＲＥに対する一例は下の表１０及び表１１の通りである。
【０２９２】
【表１０−１】
2020191666.tif 000030
【０２９３】
【表１０−２】
2020191666.tif 000031
【０２９４】
【表１０−３】
2020191666.tif 000032
【０２９５】
【表１１−１】
2020191666.tif 000033
【０２９６】
【表１１−２】
2020191666.tif 000034
【０２９７】
【表１１−３】
2020191666.tif 000035
【０２９８】
【表１１−４】
2020191666.tif 000036
【０２９９】
【表１１−５】
2020191666.tif 000037
【０３００】
【表１１−６】
2020191666.tif 000038
【０３０１】
方法＃８はＳＲＸＣＨ＿Ｄ２Ｄ  ＲＸ  ＵＥの場合にのみ限定的に適用されるように設定することもできる。また、方法＃８はＲＣ＿ＣＯＮＮＥＣＴＥＤ  ＵＥ（又はＲＲＣ＿ＩＤＬＥ  ＵＥ）がＲＡＮＤＯＭ  ＡＣＣＥＳＳ  ＰＲＯＣＥＤＵＲＥを遂行する場合にのみ限定的に適用されるように設定することもできる。また、方法＃８は搬送波集成技法が適用された状況（及び／又は搬送波集成技法が適用されない状況）でのみ限定的に適用されるように設定することもできる。また、方法＃８は競争に基づくランダムアクセス過程（及び／又は非競争に基づくランダムアクセス過程（ＣＯＮＴＥＮＴＩＯＮ  ＦＲＥＥ−ＢＡＳＥＤ  ＲＡＮＤＯＭ  ＡＣＣＥＳＳ  ＰＲＯＣＥＤＵＲＥ））でだけ限定的に適用されるように設定することもできる。
【０３０２】
以下では、説明の便宜上、前述した少なくとも一部（すなわち、一部又は全部）の提案方法（例えば、方法＃１、方法＃２、方法＃３、方法＃４、方法＃５、方法＃６）に基づいて設定されるディスカバリープール関連ＩＮＶ＿ＤＬ  ＳＦ（Ｓ）集合（又はＤＬ  ＧＡＰ集合）（及び／又は（該当のディスカバリープールと連結された）Ｄ２ＤＳＳ関連ＩＮＶ＿ＤＬ  ＳＦ（Ｓ）集合（又はＤＬ  ＧＡＰ集合））を“ＩＮＶ＿ＤＬ  ＳＦ（Ｓ）＿ＤＩＳＷＩＮ”（及び／又は“ＩＮＶ＿ＤＬ  ＳＦ（Ｓ）＿ＤＳＳＷＩＮ”）と名付ける。また、一例として、方法＃８は“ＩＮＶ＿ＤＬ  ＳＦ（Ｓ）＿ＤＩＳＷＩＮ”（及び／又は“ＩＮＶ＿ＤＬ  ＳＦ（Ｓ）＿ＤＳＳＷＩＮ”）の場合にのみ限定的に適用されるように設定することもできる。
【０３０３】
（例示８−１）
ＩＮＶ＿ＤＬ  ＳＦ（Ｓ）＿ＤＩＳＷＩＮ（及び／又はＩＮＶ＿ＤＬ  ＳＦ（Ｓ）＿ＤＳＳＷＩＮ）と前述したランダムアクセス応答ウィンドウ（表１１参照）が少なくとも一部（すなわち、一部又は全部）が重なる場合、Ｄ２Ｄ  ＵＥが該当のディスカバリープール（及び／又は該当のディスカバリープールと連結されたＤ２ＤＳＳ）関連ＩＮＶ＿ＤＬ  ＳＦ（Ｓ）＿ＤＩＳＷＩＮ（及び／又はＩＮＶ＿ＤＬ  ＳＦ（Ｓ）＿ＤＳＳＷＩＮ）を設定しないように定義（すなわち、該当のディスカバリー信号及び／又はディスカバリープールと連結された該当のＤ２ＤＳＳ受信動作を遂行しない）することもできる。
【０３０４】
ここで、このような設定／規則の適用は、ランダムアクセス応答受信（又はＲＡＮＤＯＭ  ＡＣＣＥＳＳ  ＰＲＯＣＥＤＵＲＥ）がディスカバリー信号（及び／又はディスカバリープールと連結されたＤ２ＤＳＳ）受信より優先すると解釈することができる。
【０３０５】
（例示８−２）
ＩＮＶ＿ＤＬ  ＳＦ（Ｓ）＿ＤＩＳＷＩＮ（及び／又はＩＮＶ＿ＤＬ  ＳＦ（Ｓ）＿ＤＳＳＷＩＮ）と前述したランダムアクセス応答ウィンドウ（表１１参照）が少なくとも一部（すなわち、一部又は全部）が重なる場合、Ｄ２Ｄ  ＵＥが‘ランダムアクセス応答ウィンドウの一番目（ＳＴＡＲＴＩＮＧ）ＳＦ’から‘ランダムアクセス応答ウィンドウの最後（ＥＮＤＩＮＧ）ＳＦ’までの領域上ではランダムアクセス応答受信動作を遂行（すなわち、該当のディスカバリー信号及び／又はディスカバリープールと連結された該当のＤ２ＤＳＳを受信しない）するようにし、‘ランダムアクセス応答ウィンドウの最後ＳＦ’以後に該当のＳＦ（Ｓ）でも該当のディスカバリー信号及び／又はディスカバリープールと連結された該当のＤ２ＤＳＳ受信動作を遂行しないように（すなわち、ＷＡＮ下りリンク信号受信動作遂行）設定することもできる。
【０３０６】
ここで、一例として、このような規則が適用される場合、仮に‘ランダムアクセス応答ウィンドウの一番目ＳＦ’以前にもディスカバリープール（及び／又はディスカバリープールと連結されたＤ２ＤＳＳ）関連（受信）リソースが存在すれば、‘ランダムアクセス応答ウィンドウの一番目ＳＦ−１’（すなわち、単一ＲＸチェーン（ＳＩＮＧＬＥ  ＲＸ  ＣＨＡＩＮ）のキャリア（又は周波数帯域）スイッチング動作に必要な時間を保障するためのＳＦ（Ｓ））と少なくとも一部（すなわち、一部又は全部）が重なるリソース上では、ディスカバリー信号及び／又はディスカバリープールと連結されたＤ２ＤＳＳ受信動作を遂行しないように設定することもできる。例えば、仮に‘ランダムアクセス応答ウィンドウの一番目ＳＦ−１’と少なくとも一部（すなわち、一部又は全部）が重なるＳＦの以前ＳＦ（Ｓ）も、ディスカバリープール及び／又はディスカバリープールと連結されたＤ２ＤＳＳ関連（受信）リソースとして設定されていれば、該当の以前ＳＦ（Ｓ）上でディスカバリー信号及び／又はディスカバリープールと連結されたＤ２ＤＳＳ受信動作を遂行するように設定することもできる。
【０３０７】
（例示８−３）
ＩＮＶ＿ＤＬ  ＳＦ（Ｓ）＿ＤＩＳＷＩＮ（及び／又はＩＮＶ＿ＤＬ  ＳＦ（Ｓ）＿ＤＳＳＷＩＮ）と前述したランダムアクセス応答ウィンドウ（表１１）が少なくとも一部（すなわち、一部又は全部）が重なる場合、Ｄ２Ｄ  ＵＥが‘ランダムアクセス応答ウィンドウの一番目ＳＦ−１’から‘ランダムアクセス応答ウィンドウの最後のＳＦ＋１’までの領域と少なくとも一部（すなわち、一部又は全部）が重なるＳＦ（Ｓ）上でのみ該当のディスカバリー信号及び／又はディスカバリープールと連結された該当のＤ２ＤＳＳ受信動作を遂行しないように設定することができる。
【０３０８】
（例示８−４）
ＩＮＶ＿ＤＬ  ＳＦ（Ｓ）＿ＤＩＳＷＩＮ（及び／又はＩＮＶ＿ＤＬ  ＳＦ（Ｓ）＿ＤＳＳＷＩＮ）と下の少なくとも一部（すなわち、一部又は全部）の用途のＳＦ（Ｓ）（集合）（以下、“ＷＡＮ＿ＷＩＮ”）が重なる場合、Ｄ２Ｄ  ＵＥが（該当のディスカバリープール及び／又はディスカバリープールと連結された該当のＤ２ＤＳＳ関連）ＩＮＶ＿ＤＬ  ＳＦ（Ｓ）＿ＤＩＳＷＩＮ（及び／又はＩＮＶ＿ＤＬ  ＳＦ（Ｓ）＿ＤＳＳＷＩＮ）を設定しないこともできる。
【０３０９】
さらに他の一例として、ＩＮＶ＿ＤＬ  ＳＦ（Ｓ）＿ＤＩＳＷＩＮ（及び／又はＩＮＶ＿ＤＬ  ＳＦ（Ｓ）＿ＤＳＳＷＩＮ）と前述したＷＡＮ＿ＷＩＮが少なくとも一部（すなわち、一部又は全部）が重なる場合、Ｄ２Ｄ  ＵＥが‘ＷＡＮ＿ＷＩＮの一番目ＳＦ’から‘ＷＡＮ＿ＷＩＮの最後のＳＦ’までの領域上ではＷＡＮ＿ＷＩＮ関連受信動作を遂行（すなわち、該当のディスカバリー信号及び／又はディスカバリープールと連結された該当のＤ２ＤＳＳを受信しない）するようにし、‘ＷＡＮ＿ＷＩＮの最後のＳＦ’以後に該当のＳＦ（Ｓ）でも該当のディスカバリー信号及び／又はディスカバリープールと連結された該当のＤ２ＤＳＳ受信動作を遂行しないように（すなわち、ＷＡＮ下りリンク信号受信動作遂行）設定することもできる。
【０３１０】
ここで、このような設定／規則が適用される場合、仮に‘ＷＡＮ＿ＷＩＮの一番目ＳＦ’以前にもディスカバリープール及び／又はディスカバリープールと連結されたＤ２ＤＳＳ関連（受信）リソースが存在すれば、‘ＷＡＮ＿ＷＩＮの一番目ＳＦ−１’（すなわち、単一ＲＸチェーン（ＳＩＮＧＬＥ  ＲＸ  ＣＨＡＩＮ）のキャリア（又は周波数帯域）スイッチング動作に必要な時間を保障するためのＳＦ（Ｓ））と少なくとも一部（すなわち、一部又は全部）が重なるリソース上では、ディスカバリー信号及び／又はディスカバリープールと連結されたＤ２ＤＳＳ受信動作を遂行しないように設定することもできる。例えば、仮に‘ＷＡＮ＿ＷＩＮの一番目ＳＦ−１’と少なくとも一部（すなわち、一部又は全部）が重なるＳＦの以前ＳＦ（Ｓ）も、ディスカバリープール及び／又はディスカバリープールと連結されたＤ２ＤＳＳ関連（受信）リソースとして設定されていれば、該当の以前ＳＦ（Ｓ）上でディスカバリー信号及び／又はディスカバリープールと連結されたＤ２ＤＳＳ受信動作を遂行するように設定することもできる。
【０３１１】
さらに他の一例として、ＩＮＶ＿ＤＬ  ＳＦ（Ｓ）＿ＤＩＳＷＩＮ（及び／又はＩＮＶ＿ＤＬ  ＳＦ（Ｓ）＿ＤＳＳＷＩＮ）と前述したＷＡＮ＿ＷＩＮが少なくとも一部（すなわち、一部又は全部）が重なる場合、Ｄ２Ｄ  ＵＥが‘ＷＡＮ＿ＷＩＮの一番目ＳＦ−１’から‘ＷＡＮ＿ＷＩＮの最後ＳＦ＋１’までの領域と少なくとも一部（すなわち、一部又は全部）が重なるＳＦ（Ｓ）上でのみ該当のディスカバリー信号及び／又はディスカバリープールと連結された該当のＤ２ＤＳＳ受信動作を遂行しないように設定することができる。
【０３１２】
・ランダムアクセス応答ウィンドウ
・（競争に基づくランダムアクセス過程上の）ＭＥＳＳＡＧＥ３（例えば、ＰＵＳＣＨ）（再）伝送時点
・（競争に基づくランダムアクセス過程上の）ＭＥＳＳＡＧＥ３（例えば、ＰＵＳＣＨ）（再）伝送関連ＰＨＩＣＨ受信時点
・（競争に基づくランダムアクセス過程上の）ＭＥＳＳＡＧＥ４（すなわち、ＣＯＮＴＥＮＴＩＯＮ  ＲＥＳＯＬＵＴＩＯＮ  ＭＥＳＳＡＧＥ）受信時点
・ランダムアクセスプリアンブル（再）送信時点
＜方法＃９＞
また、本発明が適用可能なマルチキャリア（ＭＵＬＴＩ−ＣＡＲＲＩＥＲ）状況の下でＤ２Ｄディスカバリーを効率的に支援する方法、あるいはＰＣｅｌｌではない他のＣＡＲＲＩＥＲでのＤ２Ｄディスカバリーを効率的に支援する方法について説明する。
【０３１３】
表１２はディスカバリーを効率的に支援する方法、あるいはＰＣｅｌｌではない他のＣＡＲＲＩＥＲでのＤ２Ｄディスカバリーを効率的に支援する方法について説明する。
【０３１４】
【表１２】
2020191666.tif 000039
【０３１５】
表１２のような場合において、本発明によると、ｅＮＢはＰＣｅｌｌを介してＰＣｅｌｌではない他のキャリア（又はセル）のＴＸ／ＲＸディスカバリーリソース設定をシグナリングすることができる。
【０３１６】
例えば、ｉｎｔｒａ−ＰＬＭＮの場合、ＵＥに対してＲＲＣシグナリングによって他のキャリア上でのディスカバリー伝送（リソース）設定が許されることができる。ここで、一例として、ＲＲＣシグナリングはノンプライマリー（ｎｏｎ−ｐｒｉｍａｒｙ）キャリア上でのタイプ１又はタイプ２ディスカバリー（リソース）設定用途に用いることができる。
【０３１７】
他の例として、ｉｎｔｅｒ−ＰＬＭＮの場合、ディスカバリー伝送のためのｉｎｔｅｒ−ＰＬＭＮ認証が上位階層によってハンドリングされることができる。ネットワークインフラストラクチャーがある場合、仮にｉｎｔｅｒ−ＰＬＭＮ情報を有するネットワークであれば、該当のネットワークはｉｎｔｒａ−ＰＬＭＮの場合と同様に、ＵＥに（ディスカバリー伝送（リソース））設定を行えるオプションを有しなければならない。ｉｎｔｅｒ−ＰＬＭＮ  ｃｏｏｒｄｉｎａｔｉｏｎがいつも可能であると言えないので、基本的にｕｎｃｏｏｒｄｉｎａｔｅｄ  ｉｎｔｅｒ−ＰＬＭＮを考慮しなければならない。ネットワークインフラストラクチャーがあるｕｎｃｏｏｒｄｉｎａｔｅｄ  ｉｎｔｅｒ−ＰＬＭＮシナリオを考慮する場合、ＵＥは関係する（ｃｏｎｃｅｒｎｅｄ）キャリア周波数のＳＩＢ１９を判読（又は検出）し、（該当のキャリア周波数で）使うＴＸ／ＲＸリソースプール情報が分かる。ここで、一例として、前もって定義されたシグナリング（又は規則）によってＵＥに（Ｄ２Ｄディスカバリー送信（／受信）が遂行される）キャリア周波数を設定することもできる。一方、ネットワークインフラストラクチャーがないｉｎｔｅｒ−ＰＬＭＮシナリオ（例えば、ＰｒｏＳｅ（又はＤ２Ｄ）キャリア上にｅＮＢがない場合）も支援されることができ、また、カバレージ外のディスカバリーも支援されると見なすことができる。
【０３１８】
また、ｎｏｎ−ＰＣｅｌｌの送信について説明する。まず、ＵＥが送信同期化参照（ｔｒａｎｓｍｉｔ  ｓｙｎｃｈｒｏｎｉｚａｔｉｏｎ  ｒｅｆｅｒｅｎｃｅ）をどのように決定するかを説明する。
【０３１９】
図１５は本発明に係わるマルチキャリア環境の下でカバレージ状態を示す。図１５（ａ）はＴＸ  ＵＥがＰＣｅｌｌのネットワークカバレージ内に存在し、関係する（ｃｏｎｃｅｒｎｅｄ）ｎｏｎ−ＰＣｅｌｌのネットワークカバレージ内に存在する場合であり、図１５（ｂ）はＴＸ  ＵＥがＰＣｅｌｌのネットワークカバレージ内に存在するか、関係する（ｃｏｎｃｅｒｎｅｄ）ｎｏｎ−ＰＣｅｌｌのネットワークカバレージ外に存在する場合である。
【０３２０】
図１６はマルチキャリア環境の下で、異種ネットワーク（ｈｅｔｅｒｏ−ｎｅｔｗｏｒｋ）を示す。図１６を参照すると、搬送波集成（ＣＡ）が適用された場合であっても、ＰＣｅｌｌとｎｏｎ−ＰＣｅｌｌのタイミングは異種ネットワーク（ｈｅｔｅｒｏ−ｎｅｔｗｏｒｋ）環境（図１６参照）の下での伝播遅延（ｐｒｏｐａｇａｔｉｏｎ  ｄｅｌａｙ）の差などによって互いに違う（例えば、ｍｕｌｔｉｐｌｅ  ＴＡＧの場合）ことがあり得る。一例として、図１５（ａ）の場合、ＵＥがｎｏｎ−ＰＣｅｌｌでＤ２Ｄを送信するとき、送信同期化参照としてｎｏｎ−ＰＣｅｌｌ上のＣｅｌｌを使うことが好ましい。このために、ｅＮＢは隣接セルのＲＸプールを設定（又はシグナリング）することと同様に、ｎｏｎ−ＰＣｅｌｌ上のそれぞれのＴＸプール関連同期参照ＩＤをシグナリングすることが必要である。
【０３２１】
ここで、一例として、（隣接セルのＲＸプールを設定（又はシグナリング）することと）違う点は、リソースプール関連ビットマップがｎｏｎ−ＰＣｅｌｌキャリアに位置する指示された参照セルのＳＦＮ＃０を基準に適用されることである。このような情報を受信した場合、ＴＸ  ＵＥは指示された参照セルと同期化し、リソースプール設定によってＤ２Ｄを送信する。該当の指示されたセルはリソースプール上の全ての伝送動作（例えば、ＲＳＲＰに基づくＳＬＳＳ伝送、ＲＳＲＰに基づくリソースプール選択、経路損失従属的開放ループ電力制御）のレファレンスとなる。
【０３２２】
ＵＥがＰＣｅｌｌとＲＲＣ＿ｃｏｎｎｅｃｔｅｄ状態の場合、単一レファレンスセルに基づく一つのＴＸプールであれば十分であり得る。なぜなら、ＵＥからのＲＲＭ報告に基づいてネットワークがレファレンスセルを選択することができるからである。搬送波集成（ＣＡ）又はデュアルコネクティビティによって、ＵＥがｎｏｎ−ＰＣｅｌｌ上のセルと既に連結された場合、レファレンスセルＩＤの指示が省略されることができる。これは、連結されたセルが伝送同期参照と（自然に）なることができるからである。しかし、ＵＥがＲＲＣ＿Ｉｄｌｅ状態にある場合、図１６のように、ＰＣｅｌｌのカバレージ内で多数のスモールセル（ｓｍａｌｌ  ｃｅｌｌ）がｎｏｎ−ＰＣｅｌｌキャリア上に存在することができる。したがって、このような場合、ＰＣｅｌｌシグナリング（例えば、ＳＩＢ）は、レファレンスセル（等）とそれぞれ連関した多数のＴＸプールを含む必要がある。また、適切なｎｏｎ−ＰＣｅｌｌキャリアでのレファレンスセル選択過程を定義する必要がある。
【０３２３】
したがって、本発明によると、ＰＣｅｌｌではないキャリアでそれぞれのディスカバリーリソースプールに対する伝送同期化参照のＩＤをＰＣｅｌｌが指示する必要があり、ＲＲＣ＿ＩＤＬＥ  ＵＥに対してＰＣｅｌｌはＰＣｅｌｌではないキャリアのための多数のＴＸプールを設定することができる。ここで、後者の場合（例えば、ＲＲＣ＿ＩＤＬＥ  ＵＥの場合）、一つのＴＸプールは適切な選択過程（ｐｒｏｐｅｒ  ｓｅｌｅｃｔｉｏｎ  ｐｒｏｃｅｄｕｒｅ）によって選択することができる。
【０３２４】
また、図１５（ｂ）の場合は、Ｄ２Ｄ同期化過程コンテキスト（ｃｏｎｔｅｘｔ）で、カバレージ内（ｉｎ−ｃｏｖｅｒａｇｅ）及びカバレージ外（ｏｕｔ−ｃｏｖｅｒａｇｅ）の状況が単一ＵＥの観点で、キャリア上に混在している。よって、このような場合、ｉ）カバレージ外のＵＥとして動作するか、ｉｉ）あるいはカバレージ内のＵＥとして動作するか、ｉｉｉ）あるいは新しい動作を定義しなければならないかを考慮しなければならない。
【０３２５】
まず、ＵＥがキャリア別にネットワークカバレージ状態が定義される同期化過程に従って、ｎｏｎ−ＰＣｅｌｌでカバレージ外のＵＥとして動作する場合（オプション１）を説明する。しかし、このような場合、ネットワークはｎｏｎ−ＰＣｅｌｌ上のＤ２Ｄ動作に対して制御可能性（ｃｏｎｔｒｏｌｌａｂｉｌｉｔｙ）を持っていなく、ＰＣｅｌｌのＷＡＮとｎｏｎ−ＰＣｅｌｌのＤ２Ｄが共存（ｃｏｅｘｉｓｔ）することはとても難しい。例えば、ＵＥ（例えば、Ｄ２Ｄ  ＵＥ＃Ｘ）がｎｏｎ−ＰＣｅｌｌに既に存在する他のカバレージ外のＵＥからのＳＬＳＳに同期化されている場合、Ｄ２Ｄ動作の位置がｅＮＢに（正確に）知られていなくて二つのキャリアに対してＷＡＮ  ＴＸ及びＤ２Ｄ  ＴＸのＴＤＭが不可能な問題があり得る。このような問題を解決するために、該当のＤ２Ｄ  ＵＥ＃Ｘが、（自分が獲得した／把握した）カバレージ外のＤ２Ｄ  ＵＥ（ＮＯＮ−ＰＣＥＬＬ）とのＤ２Ｄコミュニケーションに使われるｉ）ＳＬＳＳ／ＰＳＢＣＨ又はｉｉ）ＰＳＳＣＨ又はｉｉｉ）ＰＳＣＣＨ又はｉｖ）ＰＳＤＣＨ関連リソース設定／位置情報又はｖ）ＰＣＥＬＬコミュニケーション（例えば、Ｄ２Ｄコミュニケーション又はＷＡＮ通信）とカバレージ外のＤ２Ｄコミュニケーション（ＮＯＮ−ＰＣＥＬＬ）の間の時間／周波数同期差などについての情報の少なくとも一つを前もって定義されたチャネル（又はリソース）を介して、ＰＣＥＬＬに知らせるように設定することもできる。
【０３２６】
ついで、ｎｏｎ−ＰＣｅｌｌのＤ２Ｄ動作に対して制御可能性（ｃｏｎｔｒｏｌｌａｂｉｌｉｔｙ）をネットワークが依然として有する場合（オプション２）には、ネットワークはＰＣｅｌｌ上のシグナリングによってｎｏｎ−ＰＣｅｌｌのＳＬＳＳ伝送のためのリソース及びシーケンスを設定することができる。このような制御によってネットワークはｎｏｎ−ＰＣｅｌｌのＤ２Ｄ動作のための位置が分かり、ＷＡＮ通信との効率的な共存が可能である。また、同期化伝送のために、ｉ）ＵＥがカバレージ内の（ＵＥとしての）同期（例えば、ＳＬＳＳシーケンス）を送信するとき、ｎｏｎ−ＰＣｅｌｌキャリア上の他のカバレージ外のＵＥから送信されるＳＬＳＳより優先順位が高く仮定（／判断）されることができる。さらに他の一例として、同期化伝送のために、ｉｉ）ｎｏｎ−ＰＣｅｌｌキャリア上の他のカバレージ外のＵＥから送信されるＳＬＳＳを無視し、ＵＥがカバレージ外の（ＵＥとしての）同期（例えば、ＳＬＳＳシーケンス）を送信することができる。
【０３２７】
ここで、上述した内容（すなわち、オプション１、オプション２）は同時に適用（又は共存）されることができる。例えば、ｎｏｎ−ＰＣｅｌｌに同期リソースが設定されていない場合はオプション１が適用され、ｎｏｎ−ＰＣｅｌｌに同期リソースが設定された場合はオプション２が適用されるように設定することができる。
【０３２８】
また、ｎｏｎ−ＰＣｅｌｌの受信について説明する。ｎｏｎ−ＰＣｅｌｌで設定されたＲＸプールのためにレファレンスセルも考慮しなければならない。ディスカバリーに関連し、シグナルを提供するセルのＳＦＮ＃０がリソースプール設定のための全てのサブフレームビットマップのレファレンスである。
【０３２９】
また、同期化ウィンドウ（ｗ１又はｗ２）はそれぞれのプールに対してシグナリングされることができる。よって、ＵＥは（シグナリングセルに比べ）タイミングエラーが指示された同期化ウィンドウ内に制限されると仮定し、リソースプールと同期化されることができる。
【０３３０】
ｎｏｎ−ＰＣｅｌｌのＲＸ動作のためのリソースプール構造を再使用するために、受信レファレンスセルが決定されなければならない。ＰＣｅｌｌ（すなわち、シグナリングセル）又はｎｏｎ−ＰＣｅｌｌのセルが受信参照セルとなることができる。
【０３３１】
デュアルコネクティビティが運営されるネットワークにおいて、Ｐｃｅｌｌはｎｏｎ−ＰＣｅｌｌのＣｅｌｌと同期化しないこともある。仮に、ＰＣｅｌｌがｎｏｎ−ＰＣｅｌｌの受信参照セルとして用いられれば、全てのＲＸプールはｎｏｎ−ＰＣｅｌｌのセルに対する同期化状況に関係なく、大きな同期化ウィンドウ（すなわち、ｗ１）を有するように指示されることができる。
【０３３２】
その結果、追加的な情報が提供されなければ、ＵＥはＲＸプールのタイミングを検索する動作を繰り返さなければならない。このような不必要な動作は同じＳＬＳＳ  ＩＤを共有するセルに対する時間同期化を考慮する追加的な情報を許すか、時間同期化したセルのリストを提供することによって防止することができる。代案として、セル又はｎｏｎ−ＰＣｅｌｌキャリア上の同期化したセルの集合は受信参照セルとなることができる。ＰＣｅｌｌからのリソース設定を受信した以後、ＵＥはＰＣｅｌｌの代わりにレファレンスとして動作するセルを指示すること以外の動作が行える。
【０３３３】
ＵＥ送信／受信ケイパビリティについてさらに説明する。
【０３３４】
ＵＥがＤ２Ｄ特定のＴＸ／ＲＸ回路を有しない場合、ＵＥはＷＡＮのための回路をＤ２Ｄ目的でスイッチングしなければならない。このようなスイッチングはＦＤＤのＰＣｅｌｌに基づく（すなわち、ＵＥはディスカバリーを受信するために、ＷＡＮ受信機をＤＬキャリアからＵＬキャリアにスイッチングする）。したがって、ＵＥ複雑度（ＵＥ  ｃｏｍｐｌｅｘｉｔｙ）を考慮し、追加的なＵＥケイパビリティシグナリングはＵＥのマルチキャリア上の同時ＴＸ／ＲＸケイパビリティをネットワークに正確に知らせるように設定することができる。
【０３３５】
すなわち、本発明によると、Ｄ２Ｄ特定のＴＸ／ＲＸサーキットを有するＵＥが規定されないので、ＵＥケイパビリティングシグナリングは正確なマルチキャリア関連同時送受信ケイパビリティをネットワークに知らせるように定義されなければならない。
【０３３６】
また、表１３はＵＥ関連ＴＸ／ＲＸ制限を超える場合のＷＡＮ及びＤ２Ｄキャリアのための設定を示す。
【０３３７】
【表１３】
2020191666.tif 000040
本発明では、表１３に示した設定に基づき、制限されたＲＦケイパビリティを有するＵＥに対するＷＡＮ及びＤ２Ｄディスカバリーの間の効率的なＴＤＭのためのＰｒｏＳＥ  ｇａｐを提案する。
【０３３８】
ＵＥがＰｒｏＳＥ  ｇａｐでのＷＡＮ  ＤＬ受信をモニタリングすることを中断し、他のキャリア（関連したＵＬキャリア又は関連しないキャリア）上でのディスカバリー受信を始める。ここで、ＰｒｏＳＥ  ｇａｐはキャリアスイッチングタイム及びＳＬＳＳ受信を含むディスカバリー受信動作のために必要である。
【０３３９】
また、ＰｒｏＳＥ  ｇａｐはＵＥがＰＣｅｌｌ上のＷＡＮ  ＵＬ  ＴＸとｎｏｎ−ＰＣｅｌｌ上のディスカバリーＴＸの間の単一ＴＸ回路をスイッチングする場合にも必要である。すなわち、ＴＸのためのＰｒｏＳＥ  ｇａｐに含まれたＵＬサブフレームと関連したＤＬ受信は非活性化すると判断することができる。
【０３４０】
一例として、前もって定義された用途の（下りリンク）シグナル／チャネル／データ（例えば、ページング、ＲＡＲ、ＳＩＢ、ＰＳＳ／ＳＳＳ、ＰＳＢＣＨ）が受信されるＤＬ  ＳＦ（Ｓ）（ＰＣＥＬＬ）と連結されたＷＡＮ  ＵＬ  （ＴＸ）  ＳＦ  （ＰＣＥＬＬ）はＤ２Ｄ  ＴＸ  （ＮＯＮ−ＰＣＥＬＬ）による（ＵＬ）  ＧＡＰが設定／許容されないように設定することもできる。ここで、“ＷＡＮ  ＵＬ  （ＴＸ）  ＳＦと連結されたＤＬ  ＳＦ（Ｓ）”の意味は（前もって定義されるかシグナリングされたＵＬ  ＨＡＲＱ  ＴＩＭＥＬＩＮＥによって）ＷＡＮ  ＵＬ  （ＴＸ）  ＳＦでのＰＵＳＣＨ伝送関連ＵＬ  ＧＲＡＮＴ（及び／又はＰＨＩＣＨ）が受信されるＤＬ  ＳＦ（Ｓ）と解釈することもできる。
【０３４１】
一例として、このような規則／設定が適用される場合、前もって定義された用途の（下りリンク）シグナル／チャネル／データが受信されるＤＬ  ＳＦ（Ｓ）と連結されたＷＡＮ  ＵＬ  （ＴＸ）  ＳＦは（ＵＬ）  ＧＡＰが設定されないから、該当の連結されたＤＬ  ＳＦ（Ｓ）が（仮想的に）非活性化しないと解釈することもできる。
【０３４２】
さらに他の一例として、ＷＡＮ  ＵＬ  （ＴＸ）  ＳＦにＤ２Ｄ  ＴＸ関連（ＵＬ）  ＧＡＰが設定される場合、該当の連結されたＤＬ  ＳＦ（Ｓ）が（仮想的に）非活性化することができる。仮に、該当のＤＬ  ＳＦ（Ｓ）が前もって定義された用途の（下りリンク）シグナル／チャネル／データ（例えば、ページング、ＲＡＲ、ＳＩＢ、ＰＳＳ／ＳＳＳ、ＰＳＢＣＨ）が受信されるＳＦ（Ｓ）であれば、Ｄ２Ｄ  ＴＸ関連（ＵＬ）  ＧＡＰ設定が（一部又は全部）無効化されるか、あるいはＭＩＳ−ＣＯＮＦＩＧＵＲＥＤされたものとして見なされるように設定することもできる）。言い換えれば、ＦＤＤで、ＷＡＮ  ＵＬ  ＴＸがサブフレーム＃ｎ＋４で中断された場合、サブフレーム＃ｎでのＵＬグラント又はＤＬ割当てに対応するＰＵＳＣＨ／ＰＵＣＣＨが発生することができないので意味がない。
【０３４３】
したがって、ｅＮＢが上述したＰｒｏＳＥ  ｇａｐに対する制御可能性（ｃｏｎｔｒｏｌｌａｂｉｌｉｔｙ）を有することが好ましい。例えば、ｅＮＢはディスカバリーパフォーマンスとＷＡＮ動作に対するインパクトを考慮して、ＵＥ特定のシグナリングによってそれぞれのプールに対するＰｒｏＳＥ  ｇａｐがｏｎ／ｏｆｆすることができる。
【０３４４】
したがって、本発明では、ＰｒｏＳＥ  ｇａｐではＵＥがＷＡＮチャネル／シグナル受信又は送信を中断することが許され、ＵＥがキャリア間のスイッチングのように、ディスカバリー及びＳＬＳＳの送受信を含むディスカバリー動作を遂行することができる。
【０３４５】
マルチキャリア（ＭＵＬＴＩ−ＣＡＲＲＩＥＲ）状況の下でＤ２Ｄディスカバリーを効率的に支援するか、あるいはＰＣｅｌｌではない他のＣＡＲＲＩＥＲでのＤ２Ｄディスカバリーを効率的に支援するために、上述した方案に従って、基地局又はＰＣＥＬＬからＰＣＥＬＬ  ＵＬ  ＣＣの一部ＵＬ  ＳＦ（Ｓ）上に（ＵＬ）  ＧＡＰが設定され、Ｄ２Ｄ  ＴＸ  ＵＥが該当の（ＵＬ）  ＧＡＰ区間の間に、自分のＴＸチェーンをスイッチングして他のキャリア（又はＮＯＮ−ＰＣＥＬＬ又は非サービングセル又はＳＣＥＬＬ）上でＤ２Ｄ  （ＤＩＳＣＯＶＥＲＹ）  ＴＸ動作を遂行する場合、Ｄ２Ｄ  ＴＸ  ＵＥは以下の例示９−１又は例示９−２の少なくとも一部（すなわち、一部又は全部）の規則／設定に従うように定義することもできる。ここで、下記の（一部又は全部）の規則／設定は（他のキャリア又はＮＯＮ−ＰＣＥＬＬ又はＳＣＥＬＬ上の）Ｄ２ＤコミュニケーションＴＸ及び／又はＳＬＳＳ（ＳｉｄｅＬｉｎｋ  Ｓｙｎｃｈｒｏｎｉｚａｔｉｏｎ  Ｓｉｇｎａｌ）／ＰＳＢＣＨ（Ｐｈｙｓｉｃａｌ  Ｓｉｄｅｌｉｎｋ  Ｂｒｏａｄｃａｓｔ  ＣＨａｎｎｅｌ）  ＴＸの場合にも拡張して適用することもできる。また、以下の少なくとも一部（すなわち、一部又は全部）の規則／設定は、同時伝送が設定されたキャリア数に対して制限されたＴＸチェーンケイパビリティ（ＬＩＭＩＴＥＤ  ＴＸ  （ＣＨＡＩＮ）  ＣＡＰＡＢＩＬＩＴＹ）を有するＤ２Ｄ  （ＴＸ）  ＵＥにのみ限定的に適用されるように設定することもできる。
【０３４６】
（例示９−１）
Ｄ２Ｄ  ＴＸ  ＵＥが該当（ＵＬ）  ＧＡＰ区間間に自分のＴＸチェーンをスイッチングして他のキャリア（又はＮＯＮ−ＰＣＥＬＬあるいはＳＣＥＬＬ）上でタイプ１ディスカバリーＴＸ動作を遂行する場合、該当のＴＹＰＥ１  Ｄ２Ｄ信号リソースプールのうち（ＵＬ）  ＧＡＰ区間に属するリソースのみを考慮して、タイプ１ディスカバリーＴＸリソースを（任意に又は前もって設定された確率に基づいて）選択／決定するように設定することができる。ここで、このような規則が適用される場合、仮に（ＵＬ）  ＧＡＰ区間がＴＹＰＥ１  Ｄ２Ｄ信号リソースプール（大きさ／区間）より小さければ、ＴＹＰＥ１  Ｄ２Ｄ信号リソースプールが仮想的に（ＵＬ）  ＧＡＰ区間上のリソースで（限定的に）再定義／構成されたと解釈することができる。
【０３４７】
（例示９−２）
Ｄ２Ｄ  ＴＸ  ＵＥが該当（ＵＬ）  ＧＡＰ区間の間に自分のＴＸチェーンをスイッチングして他のキャリア（又はＮＯＮ−ＰＣＥＬＬ又はＳＣＥＬＬ）上でタイプ１ディスカバリーＴＸ動作を遂行する場合、仮に該当（全体）ＴＹＰＥ１  Ｄ２Ｄ信号リソースプール上でＤ２Ｄ  ＴＸ  ＵＥが（任意に又は前もって設定された確率に基づいて）選択したタイプ１ディスカバリーＴＸリソースが（ＵＬ）  ＧＡＰ区間外のリソースであれば、ｉ）該当のタイプ１ディスカバリーＴＸを省略するように設定するか、あるいはｉｉ）該当（全体）ＴＹＰＥ１  Ｄ２Ｄ信号リソースプール上でＤ２Ｄ  ＴＸ  ＵＥが（任意に又は前もって設定された確率に基づいて）選択したタイプ１ディスカバリーＴＸリソースが（ＵＬ）  ＧＡＰ区間内のリソースであるまで（繰り返して）再選択するように設定するか、あるいはｉｉｉ）前記例示９−１を適用するように設定することができる。
【０３４８】
ここで、このような規則の適用はＤ２Ｄ  ＴＸ  ＵＥが任意（ＲＡＮＤＯＭ）にあるいは前もって設定された確率に基づいて（初期）タイプ１ディスカバリーＴＸリソースを選択するとき、（ＵＬ）  ＧＡＰ区間に対する考慮なしに全体ＴＹＰＥ１  Ｄ２Ｄ信号リソースプール上のリソースが使用可能（ＡＶＡＩＬＡＢＬＥ）であると仮定して選択すると解釈することもできる。さらに他の一例として、仮に該当（全体）ＴＹＰＥ１  Ｄ２Ｄ信号リソースプール上でＤ２Ｄ  ＴＸ  ＵＥが（任意に又は前もって設定された確率に基づいて）選択したタイプ１ディスカバリーＴＸリソースが（ＵＬ）  ＧＡＰ区間内のリソースであれば、該当のリソースに基づいてタイプ１ディスカバリーＴＸ動作を遂行すれば良い。
【０３４９】
さらに他の一例として、仮にＤ２Ｄ  ＴＸ  ＵＥが自分のＴＸチェーンをスイッチングして他のキャリア（又はＮＯＮ−ＰＣＥＬＬ又は非サービングセル又はＳＣＥＬＬ）上で、基地局（又はＰＣＥＬＬ）から直接的に指示されたリソースに基づくタイプ２Ｂ／２ＡディスカバリーＴＸ動作を遂行しなければならなければ、（タイプ１ディスカバリーＴＸ場合とは違い）基地局（又はＰＣＥＬＬ）は該当のＤ２Ｄ  ＴＸ  ＵＥがどの時間／周波数リソースを用いてＤＩＳＣＯＶＥＲＹ  ＴＹＰＥ  ２Ｂ／２Ａ  ＴＸ動作を遂行するかが正確に分かるから、ｉ）該当の使用時間／周波数リソース（例えば、ＳＦ）又はｉｉ）該当の使用時間／周波数リソースと該当の使用リソースの前及び／又は後に位置するそれぞれＫ個（例えば、１個）のＳＦ（Ｓ）のみが（選択的に）（ＵＬ）  ＧＡＰとして設定／仮定されるように定義することもできる。ここで、Ｋ値は基地局（又はＰＣＥＬＬ）から前もって定義されたシグナリング（例えば、ＳＩＢ、（ＤＥＤＩＣＡＴＥＤ）ＲＲＣ  ＳＩＧＮＡＬＩＮＧ）によって受信するかあるいは予め特定の値（例えば、１）に固定することもできる。
【０３５０】
ここで、Ｄ２Ｄ  ＴＸ  ＵＥが自分のＴＸチェーンをスイッチングして他のキャリア（又はＮＯＮ−ＰＣＥＬＬ又は非サービングセル又はＳＣＥＬＬ）上で基地局（又はＰＣＥＬＬ）から（直接的に）指示されたリソースに基づくタイプ２Ｂ／２ＡディスカバリーＴＸ動作を行うことは、他のキャリア（又はＮＯＮ−ＰＣＥＬＬ又は非サービングセル又はＳＣＥＬＬ）上のタイプ２Ｂ／２ＡディスカバリーＴＸ動作関連リソース情報がＰＣＥＬＬからクロスセル設定されると解釈（例えば、特に、Ｄ２Ｄ  ＴＸ  ＵＥの観点で他のキャリア（又はＮＯＮ−ＰＣＥＬＬ又は非サービングセル又はＳＣＥＬＬ）がカバレージ外であると判断される場合）することもできる。
【０３５１】
さらに他の一例として、Ｄ２Ｄ  ＴＸ  ＵＥが自分のＴＸチェーンをスイッチングして他のキャリア（又はＮＯＮ−ＰＣＥＬＬ又は非サービングセル又はＳＣＥＬＬ）（以下、“ＯＴ＿キャリア”）上でＤ２ＤディスカバリーＴＸ動作を遂行しなければならない場合、仮にＤ２Ｄディスカバリー区間（Ｄ２Ｄ  ＤＩＳＣＯＶＥＲＹ  ＰＥＲＩＯＤ）内でＫ回のＤ２ＤディスカバリーＴＸ再試し（Ｄ２Ｄ  ＤＩＳＣＯＶＥＲＹ  ＴＸ  ＲＥＰＥＴＩＴＩＯＮ）が設定されれば、ｉ）基地局（又はＰＣＥＬＬ）は該当のＤ２Ｄディスカバリー区間（Ｄ２Ｄ  ＤＩＳＣＯＶＥＲＹ  ＰＥＲＩＯＤ）内でＫ回のＤ２ＤディスカバリーＴＸ再試し（Ｄ２Ｄ  ＤＩＳＣＯＶＥＲＹ  ＴＸ  ＲＥＰＥＴＩＴＩＯＮ）と時間領域で少なくとも一部（すなわち、一部又は全部）が重なる（ＰＣＥＬＬ）  ＷＡＮ  ＵＬ  ＴＸをスケジューリングしないと仮定／定義するか、あるいはｉｉ）Ｄ２Ｄ  ＴＸ  ＵＥは該当のＤ２Ｄディスカバリー区間（Ｄ２Ｄ  ＤＩＳＣＯＶＥＲＹ  ＰＥＲＩＯＤ）内でＫ回のＤ２ＤディスカバリーＴＸ再試し（Ｄ２Ｄ  ＤＩＳＣＯＶＥＲＹ  ＴＸ  ＲＥＰＥＴＩＴＩＯＮ）と時間領域で（一部又は全部）が重なる（ＰＣＥＬＬ）  ＷＡＮ  ＵＬ  ＴＸスケジューリング情報を無視（ＤＩＳＣＡＲＤ）すると見なすか、あるいは有効ではない（ＩＮＶＡＬＩＤ）と見なすように設定することもできる。
【０３５２】
ここで、前者のｉ）はＰＣＥＬＬ（又は基地局）が該当のＤ２Ｄ  ＴＸ  ＵＥ関連ＯＴ＿キャリア上のｉ）Ｄ２ＤディスカバリーＴＸ時間／周波数リソース情報（又はＤ２ＤディスカバリーＴＸリソースプール情報）及び／又はｉｉ）時間／周波数同期（ＴＩＭＥ／ＦＲＥＱＵＥＮＣＹ  ＳＹＮＣＨ．）情報などを知っている場合（例えば、ＯＴ＿キャリアが（ＰＣＥＬＬと一緒に）ＣＡとして設定された場合及び／又は（ＰＣＥＬＬと）ＩＮＴＲＡ−ＰＬＭＮキャリアの場合）に適用されるか有効であることがあり得る。
【０３５３】
一方、後者のｉｉ）はＰＣＥＬＬ（又は基地局）が該当のＤ２Ｄ  ＴＸ  ＵＥ関連ＯＴ＿キャリア上のｉ）Ｄ２ＤディスカバリーＴＸ時間／周波数リソース情報（又はＤ２ＤディスカバリーＴＸリソースプール情報）及び／又はｉｉ）時間／周波数同期（ＴＩＭＥ／ＦＲＥＱＵＥＮＣＹ  ＳＹＮＣＨ．）情報などを把握しにくい場合（例えば、ＯＴ＿キャリアが（ＰＣＥＬＬと一緒に）デュアルコネクティビティ（ＤＵＡＬ  ＣＯＮＮＥＣＴＩＶＩＴＹ）として設定された場合及び／又は（ＰＣＥＬＬと）ＩＮＴＥＲ−ＰＬＭＮキャリアの場合）に適用されるか有効であることがあり得る。
【０３５４】
また、一例として、Ｄ２Ｄ  ＴＸ  ＵＥが自分のＴＸチェーンをスイッチングしてＯＴ＿キャリア上でＤ２ＤディスカバリーＴＸ動作を遂行しなければならない場合、仮にＤ２Ｄディスカバリー区間（Ｄ２Ｄ  ＤＩＳＣＯＶＥＲＹ  ＰＥＲＩＯＤ）内でＫ回のＤ２ＤディスカバリーＴＸ再試し（Ｄ２Ｄ  ＤＩＳＣＯＶＥＲＹ  ＴＸ  ＲＥＰＥＴＩＴＩＯＮ）が設定されれば、ｉ）Ｄ２Ｄ  ＴＸ  ＵＥは該当のＤ２Ｄディスカバリーリソースプール（ＯＴ＿キャリア）のうち前もって設定されるかシグナリングされた（ＵＬ）  ＧＡＰ区間（ＰＣＥＬＬ）内に入って来るリソースであるとともにｉｉ）該当のＫ回の再試し（ＲＥＰＥＴＩＴＩＯＮ）が全て（支援）可能なリソースのみを考慮し、（任意に又は前もって設定された確率に基づいて）選択するように設定することができる。
【０３５５】
さらに他の一例として、Ｄ２Ｄ  ＴＸ  ＵＥが自分のＴＸチェーンをスイッチングしてＯＴ＿キャリア上でＤ２ＤディスカバリーＴＸ動作を、Ｄ２Ｄディスカバリー区間（Ｄ２Ｄ  ＤＩＳＣＯＶＥＲＹ  ＰＥＲＩＯＤ）内でＫ回のＤ２ＤディスカバリーＴＸ再試し（Ｄ２Ｄ  ＤＩＳＣＯＶＥＲＹ  ＴＸ  ＲＥＰＥＴＩＴＩＯＮ）しなければならない場合、仮に該当の（全体）Ｄ２Ｄディスカバリーリソースプール上でＤ２Ｄ  ＴＸ  ＵＥが（任意に又は前もって設定された確率に基づいて）選択したＫ個のＤ２ＤディスカバリーＴＸリソースの少なくとも一部（すなわち、一部又は全部）が（ＵＬ）  ＧＡＰ区間外のリソースであれば、ｉ）該当の全体Ｄ２ＤディスカバリーＴＸを省略するように設定されるかあるいはｉｉ）該当の（全体）Ｄ２Ｄディスカバリーリソースプール上でＤ２Ｄ  ＴＸ  ＵＥが（任意に又は前もって設定された確率に基づいて）選択したＫ個のＤ２ＤディスカバリーＴＸリソースが全て（ＵＬ）  ＧＡＰ区間内のリソースであるまで繰り返して再選択するように設定されるかあるいはｉｉｉ）該当のＤ２Ｄディスカバリーリソースプール（ＯＴ＿キャリア）のうち前もって設定されるかシグナリングされた（ＵＬ）  ＧＡＰ区間（ＰＣＥＬＬ）内に入って来るリソースであるとともに該当のＫ回の再試し（ＲＥＰＥＴＩＴＩＯＮ）が全て（支援）可能なリソースのみを考慮し、（任意に又は前もって設定された確率に基づいて）選択するように設定することもできる。
【０３５６】
さらに他の一例として、ＯＴ＿キャリアでのタイプ２ＢディスカバリーＴＸが（ＰＣＥＬＬから）指定可能であれば、タイプ２Ｂディスカバリー時間ホッピングパターン（ＴＹＰＥ２  ＤＩＳＣＯＶＥＲＹ  ＴＩＭＥ  ＨＯＰＰＩＮＧ  ＰＡＴＴＥＲＮ）（ＯＴ＿キャリア）によって黙示的に（ＵＬ）  ＧＡＰ  （ＰＣＥＬＬ）がＨＯＰＰＴＩＮＧされると見なすか／仮定するように設定するか、あるいはタイプ２Ｂディスカバリー時間ホッピングパターン（ＴＹＰＥ２  ＤＩＳＣＯＶＥＲＹ  ＴＩＭＥ  ＨＯＰＰＩＮＧ  ＰＡＴＴＥＲＮ）（ＯＴ＿キャリア）に相当するＰＣＥＬＬ  ＵＬ  ＳＦと該当のＰＣＥＬＬ  ＵＬ  ＳＦの前及び／又は後に位置する（それぞれ）Ｋ個（例えば、１個）のＰＣＥＬＬ  ＵＬ  ＳＦなども（ＵＬ）  ＧＡＰ  （ＰＣＥＬＬ）であると見なすか／仮定するように設定することもできる。ここで、Ｋ値は基地局（又はＰＣＥＬＬ）から前もって定義されたシグナリング（例えば、ＳＩＢ、（ＤＥＤＩＣＡＴＥＤ）  ＲＲＣ  ＳＩＧＮＡＬＩＮＧ）によって受信されるかあるいは特定の値（例えば、１）に予め固定されることもできる。
【０３５７】
さらに他の一例として、ＵＮＣＯＯＲＤＩＮＡＴＥＤ  ＩＮＥＴＲ−ＰＬＭＮ  ＳＣＥＮＡＲＩＯ（すなわち、表３．１４参照）の下で、（サービング）ネットワーク（又は（サービング）基地局）はＩＮＥＴＥＲ−ＰＬＭＮ  （ＮＯＮ−ＰＲＩＭＡＲＹ又はＮＯＮ−ＳＥＲＶＩＮＧ）  ＣＡＲＲＩＥＲ上のＤ２Ｄ（（ＴＸ／ＲＸ）  ＲＥＳＯＵＲＣＥ）  ＣＯＮＦＩＧＵＲＡＴＩＯＮについての情報を正確に把握することができないことがあり得る。このような場合、（サービング）ネットワーク（又は（サービング）基地局）の“ＰＲＩＭＡＲＹ  ＣＡＲＲＩＥＲ上の前もって設定された（あるいはシグナリングされた）Ｄ２Ｄ  （ＴＸ／ＲＸ）  ＲＥＳＯＵＲＣＥ（Ｓ）”又は  “ＷＡＮ  ＵＬ  ＴＸ”と“ＩＮＥＴＥＲ−ＰＬＭＮ  （ＮＯＮ−ＰＲＩＭＡＲＹ又はＮＯＮ−ＳＥＲＶＩＮＧ）  ＣＡＲＲＩＥＲ上のＤ２Ｄ  （ＴＸ／ＲＸ）  ＲＥＳＯＵＲＣＥ（Ｓ）”の間にＣＯＬＬＳＩＯＮ（Ｓ）（又はＯＶＥＲＬＡＰＰＩＮＧ）が発生することができ、これはＩＮＥＴＥＲ−ＰＬＭＮ  Ｄ２Ｄ性能減少につながることになる。このような問題を緩和させるために、一例として、前もって設定された（又はシグナリングされた）一部（又は全部）のＰＲＯＳＥ  ＧＡＰ（設定情報）が特定の（ＰＳＥＵＤＯ）ＦＵＮＣＴＩＯＮによって、ＴＩＭＥ（リソース領域上）でランダム化（ＲＡＤＯＭＩＺＡＴＩＯＮ）するように設定（ＲＵＬＥ＃Ｑ）することもできる。ここで、一例として、ＰＲＯＳＥ  ＧＡＰは（サービング）ネットワーク（又は（サービング）基地局）が（サービング）Ｄ２Ｄ  ＵＥに、ＩＮＥＴＥＲ−ＰＬＭＮ  Ｄ２Ｄ  （ＴＸ／ＲＸ）動作を許したリソース領域と解釈することができる。以下では、説明の便宜上、一例として、ＰＲＯＳＥ  ＧＡＰ設定情報が（ＳＥＲＶＩＮＧ  ＣＡＲＲＩＥＲ又はＰＲＩＭＡＲＹ  ＣＡＲＲＩＥＲのＳＦＮ＃０を基準に適用される）オフセット情報（すなわち、“ＧＡＰ＿ＯＦＦＳＥＴ”と命名）、‘ＢＩＴＭＡＰ  ＦＯＲ  ＰＲＯＳＥ  ＧＡＰ  ＲＥＳＯＵＲＣＥ  ＰＯＯＬ’情報（すなわち、“ＧＡＰ＿ＲＳＣＢＩＴＭＡＰ”と命名）、周期（すなわち、“ＧＡＰ＿ＰＥＲＩＯＤ”と命名）で構成される場合を仮定する。具体的な一例として、一部（又は全部）のＰＲＯＳＥ  ＧＡＰ設定情報（例えば、ＧＡＰ＿ＯＦＦＳＥＴ（すなわち、ＰＲＯＳＥ  ＧＡＰ位置が周期的にＴＩＭＥ−ＳＨＩＦＴＩＮＧされる形態）、ＧＡＰ＿ＲＳＣＢＩＴＭＡＰ（すなわち、ＰＲＯＳＥ  ＧＡＰ  ＲＥＳＯＵＲＣＥ  ＰＯＯＬの大きさが周期的に変更される形態）、ＧＡＰ＿ＰＥＲＩＯＤ（すなわち、ＰＲＯＳＥ  ＧＡＰが設定される頻度が（周期的に）変更される形態））をＴＩＭＥ（リソース領域上）で（又は（前もって設定された個数の）ＧＡＰ＿ＰＥＲＩＯＤ別に）ランダム化させる（ＰＳＥＵＤＯ）ＦＵＮＣＴＩＯＮは下の（一部又は全部）のパラメーター（等）をＩＮＰＵＴ値（等）として有することができる。
【０３５８】
（ＩＮＴＲＡ−又はＩＮＴＥＲ−）ＰＬＭＮ  ＩＤ
（ＩＮＴＲＡ−ＰＬＭＮ又はＩＮＴＥＲ−ＰＬＭＮ）  （Ｄ２Ｄ）  ＣＡＲＲＩＥＲ  ＦＲＥＱＵＥＮＣＹ
（ＰＲＩＭＡＲＹ  （又はＳＥＲＶＩＮＧ）又はＮＯＮ−ＰＲＩＭＡＲＹ）  （ＶＩＲＴＵＡＬ／ＰＨＹＳＩＣＡＬ）  ＣＥＬＬ  ＩＤ
（ＰＲＩＭＡＲＹ  （又はＳＥＲＶＩＮＧ）  ＣＡＲＲＩＥＲ）  ＳＦＮ  （又はＳＵＢＦＲＡＭＥ  ＩＮＤＥＸ又はＳＬＯＴ  ＩＮＤＥＸ）
（ＰＲＩＭＡＲＹ  （又はＳＥＲＶＩＮＧ）  ＣＡＲＲＩＥＲ）  ＤＦＮ  （Ｄ２Ｄ  （ＳＵＢ）  ＦＲＡＭＥ  ＮＵＭＢＥＲ））
ＵＥ  ＩＤ又は前もってシグナリングされた（又は設定された）ＲＡＮＤＯＭ  ＳＥＥＤ値
前もってシグナリングされた（又は設定された）ＧＡＰ＿ＯＦＦＳＥＴ又はＧＡＰ＿ＰＥＲＩＯＤ（又はＧＡＰ＿ＲＳＣＢＩＴＭＡＰ  （ＳＩＺＥ））
さらに他の一例として、前もって設定された（又はシグナリングされた）（前記）ＰＲＯＳＥ  ＧＡＰが、ＴＩＭＥ（リソース領域上）で、ＣＡＲＲＩＥＲ間にホッピングされて適用されるように規則を定義することもでき、また、ホッピングパターンを決定する（ＰＳＥＵＤＯ）  ＦＵＮＣＴＩＯＮも前述した（一部又は全部）のパラメーター（等）（すなわち、ＲＵＬＥ＃Ｑ）をＩＮＰＵＴ値（等）として有することができる。ここで、一例として、ＣＡＲＲＩＥＲホッピング動作によって適用されるＰＲＯＳＥ  ＧＡＰの一部（又は全部）の設定情報（等）がＲＵＬＥ＃Ｑによってさらにランダム化するように設定することもできる。
【０３５９】
前述した提案方式の一例も本発明の具現方法の一つとして含まれることができるので、一種の提案方式と見なすことができるのは明らかな事実である。また、前述した提案方式は独立的に具現されることもできるが、一部の提案方式の組合せ／併合の形態に具現されることもできる。
【０３６０】
前述した提案方式はＦＤＤシステム及び／又はＴＤＤシステム環境でのみ限定的に適用されるように設定することもできる。
【０３６１】
前述した提案方式はＭＯＤＥ  ２  ＣＯＭＭＵＮＩＣＡＴＩＯＮ及び／又はＴＹＰＥ  １  ＤＩＳＣＯＶＥＲＹ（及び／又はＭＯＤＥ  １  ＣＯＭＭＵＮＩＣＡＴＩＯＮ及び／又はＴＹＰＥ  ２  ＤＩＳＣＯＶＥＲＹ）にのみ限定的に適用されるように設定することもできる。
【０３６２】
前述した提案方式はＤ２Ｄ  ＲＸ  ＵＥがＩＮＴＥＲ−ＣＥＬＬ  ＤＩＳＣＯＶＥＲＹ  ＳＩＧＮＡＬ（及び／又はＮＥＩＧＨＢＯＲ  ＣＥＬＬ  ＤＩＳＣＯＶＥＲＹ  ＳＩＧＮＡＬ）受信関連Ｗ１のＮＥＩＧＨＢＯＲ  ＣＥＬＬ関連同期誤差情報を受信する場合にのみ限定的に適用されるように設定することもできる。
【０３６３】
また、前述した提案方式はＩＮ−ＣＯＶＥＲＡＧＥ  Ｄ２Ｄ  ＵＥ又はＯＵＴ−ＣＯＶＥＲＡＧＥ  Ｄ２Ｄ  ＵＥ又はＲＲＣ＿ＣＯＮＮＥＣＴＥＤ  Ｄ２Ｄ  ＵＥ又はＲＲＣ＿ＩＤＬＥ  Ｄ２Ｄ  ＵＥの少なくとも一つにのみ限定的に適用されるように設定することもできる。
【０３６４】
また、前述した提案方式はＤ２Ｄディスカバリー（送信／受信）動作のみを行うＤ２Ｄ  ＵＥ（及び／又はＤ２Ｄコミュニケーション（送信（／受信））動作のみを行うＤ２Ｄ  ＵＥ）にのみ限定的に適用されるように設定することもできる。
【０３６５】
また、前述した提案方式はＤ２Ｄディスカバリーのみが支援／設定されたシナリオ（及び／又はＤ２Ｄコミュニケーションのみが支援／設定されたシナリオ）でのみ限定的に適用されるように設定することもできる。
【０３６６】
また、前述した提案方式で、ＣＥＩＬＩＮＧ（Ｘ）関数（すなわち、Ｘより大きいか同じ最小整数を導出する関数）はＦＬＯＯＲ（Ｘ）関数（すなわち、Ｘより小さいか同じ最大整数を導出する関数）に取り替えることもできる。
【０３６７】
また、前述した提案方式はＳＨＲＸＣＨ＿Ｄ２Ｄ  ＲＸ  ＵＥ（及び／又はＳＲＸＣＨ＿Ｄ２Ｄ  ＲＸ  ＵＥ）にのみ限定的に適用されるように設定することもできる。
【０３６８】
また、前述した提案方式は搬送波集成技法（ＣＡ）が適用された状況、又は搬送波集成技法が適用されない状況でのみ限定的に適用されるように設定することもできる。
【０３６９】
また、前述した提案方式はＩＮＴＥＲ−ＦＲＥＱＵＥＮＣＹ上の他の（ＵＬ）ＣＡＲＲＩＥＲでのＤ２ＤディスカバリーＳＩＧＮＡＬ受信動作を行う場合及び／又はＩＮＴＥＲ−ＰＬＭＮに基づく他のＰＬＭＮ  （ＵＬ）  ＣＡＲＲＩＥＲでのＤ２ＤディスカバリーＳＩＧＮＡＬ受信動作を行う場合にのみ限定的に適用されるように設定することもできる。
【０３７０】
図１７は本発明の一実施例に適用可能な基地局及び端末を例示する。
【０３７１】
無線通信システムにリレーが含まれる場合、バックホールリンクでの通信は基地局とリレーの間でなされ、アクセスリンクでの通信はリレーと端末の間でなされる。よって、図面に例示した基地局又は端末は状況によってリレーに取り替えることができる。
【０３７２】
図１７を参照すると、無線通信システムは、基地局（ＢＳ）１１０及び端末（ＵＥ）１２０を含む。基地局１１０は、プロセッサ１１２、メモリ１１４及び無線周波数（Ｒａｄｉｏ  Ｆｒｅｑｕｅｎｃｙ、ＲＦ）ユニット１１６を含む。プロセッサ１１２は本発明で提案した過程及び／又は方法を具現するように構成されることができる。メモリ１１４はプロセッサ１１２に連結され、プロセッサ１１２の動作に関連した多様な情報を記憶する。ＲＦユニット１１６はプロセッサ１１２に連結され、無線信号を送信及び／又は受信する。端末１２０は、プロセッサ１２２、メモリ１２４及びＲＦユニット１２６を含む。プロセッサ１２２は本発明で提案した過程及び／又は方法を具現するように構成されることができる。メモリ１２４はプロセッサ１２２に連結され、プロセッサ１２２の動作に関連した多様な情報を記憶する。ＲＦユニット１２６はプロセッサ１２２に連結され、無線信号を送信及び／又は受信する。基地局１１０及び／又は端末１２０は単一アンテナ又は多重アンテナを有することができる。
【０３７３】
前述した実施例は、本発明の構成要素と特徴が所定形態に結合されたものである。各構成要素又は特徴は、別途の明示的言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の実施例で説明する各動作の順序は変更可能である。いずれかの実施例の一部の構成や特徴は、他の実施例に含ませることができ、又は、他の実施例の対応する構成又は特徴に取り替えることができる。特許請求の範囲で明示的な引用関係のない請求項を組み合せて実施例を構成するか、出願後の補正によって新しい請求項として含ませ得ることは自明である。
【０３７４】
本文書で基地局によって遂行されると説明した特定の動作は場合によってはその上位ノード（ｕｐｐｅｒ  ｎｏｄｅ）によって遂行することができる。すなわち、基地局を含む複数のネットワークノード（ｎｅｔｗｏｒｋ  ｎｏｄｅｓ）でなるネットワークで端末との通信のために行われる多様な動作は基地局又は基地局以外の他のネットワークノードによって遂行することができるのは明らかである。基地局は、固定国（ｆｉｘｅｄ  ｓｔａｔｉｏｎ）、Ｎｏｄｅ  Ｂ、ｅＮｏｄｅＢ（ｅＮＢ）、アクセスポイント（ａｃｃｅｓｓ  ｐｏｉｎｔ）などの用語に取り替えることができる。
【０３７５】
本発明の実施例は、多様な手段、例えば、ハードウェア、ファームウェア（ｆｉｒｍｗａｒｅ）、ソフトウェア又はそれらの組合せなどによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０３７６】
ファームウェアやソフトウェアによる具現の場合、本発明の一実施例は、前述した機能又は動作を行うモジュール、手続、関数などの形態に具現することができる。ソフトウェアコードは、メモリユニットに格納してプロセッサによって駆動することができる。
【０３７７】
前記メモリユニットは、前記プロセッサの内部又は外部に位置し、既に公知の多様な手段によって前記プロセッサとデータをやり取りすることができる。
【０３７８】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０３７９】
上述したような無線通信システムにおけるＤ２Ｄ信号送受信方法及びそのための装置は３ＧＰＰ  ＬＴＥシステムに適用される例を中心に説明したが、３ＧＰＰ  ＬＴＥシステムの外にも多様な無線通信システムに適用することが可能である。
【図１】
2020191666.tif 000041
【図２】
2020191666.tif 000042
【図３】
2020191666.tif 000043
【図４】
2020191666.tif 000044
【図５】
2020191666.tif 000045
【図６】
2020191666.tif 000046
【図７】
2020191666.tif 000047
【図８】
2020191666.tif 000048
【図９】
2020191666.tif 000049
【図１０】
2020191666.tif 000050
【図１１】
2020191666.tif 000051
【図１２】
2020191666.tif 000052
【図１３】
2020191666.tif 000053
【図１４】
2020191666.tif 000054
【図１５】
2020191666.tif 000055
【図１６】
2020191666.tif 000056
【図１７】
2020191666.tif 000057